(57)【要約】【課題】項目名及び前記項目名の上位階層である分類名を、オペレータの設定に基づく内容及び配置で、表示領域に表示できる分類名等表示装置、分類名等表示方法及び分類名等表示プログラムの提供を課題とする。【解決手段】本実施形態では（１）印字明細マスタから、指定された帳票レイアウトコードを含むレコードを取得し（２）前記取得したレコードに含まれる帳票レイアウトコード及び分類コードと紐づく分類名を、分類マスタから取得し、前記取得したレコードに含まれる項目コードと紐づく項目名を、項目マスタから取得し（３）前記取得した分類名及び項目名を、前記取得したレコードに含まれる行番号の順に表示領域に表示し、この際、前記取得したレコード間で、同一の分類コードを含むレコードである同一分類レコードが存在する場合には、前記同一分類レコードに含まれる行番号のうち最も若い行番号の位置にのみ、前記取得した分類名を表示する。【選択図】図３
2018147125.tif 000002
【特許請求の範囲】
【請求項１】
制御部および記憶部を備える分類名等表示装置であって、
前記記憶部には、
帳票レイアウトコードと分類コードと行番号と項目コードとを含むレコードを含む印字明細マスタと、
帳票レイアウトコードと分類コードと分類名とを含む分類マスタと、
項目コードと項目名とを含む項目マスタと、
が格納されており、
前記制御部は、
前記印字明細マスタから、指定された帳票レイアウトコードを含むレコードを取得するレコード取得手段と、
前記レコード取得手段で取得したレコードに含まれる帳票レイアウトコードおよび分類コードと紐づく分類名を、前記分類マスタから取得し、前記レコード取得手段で取得したレコードに含まれる項目コードと紐づく項目名を、前記項目マスタから取得する分類名等取得手段と、
前記分類名等取得手段で取得した分類名および項目名を、前記レコード取得手段で取得したレコードに含まれる行番号の順に表示領域に表示する表示制御手段と、
を備え、
前記表示制御手段は、
前記レコード取得手段で取得したレコード間で、同一の分類コードを含むレコードである同一分類レコードが存在する場合には、前記同一分類レコードに含まれる行番号のうち最も若い行番号の位置にのみ、前記分類名等取得手段で取得した分類名を表示すること、
を特徴とする分類名等表示装置。
【請求項２】
制御部および記憶部を備える情報処理装置で実行される分類名等表示方法であって、
前記記憶部には、
帳票レイアウトコードと分類コードと行番号と項目コードとを含むレコードを含む印字明細マスタと、
帳票レイアウトコードと分類コードと分類名とを含む分類マスタと、
項目コードと項目名とを含む項目マスタと、
が格納されており、
前記制御部で実行される、
前記印字明細マスタから、指定された帳票レイアウトコードを含むレコードを取得するレコード取得ステップと、
前記レコード取得ステップで取得したレコードに含まれる帳票レイアウトコードおよび分類コードと紐づく分類名を、前記分類マスタから取得し、前記レコード取得ステップで取得したレコードに含まれる項目コードと紐づく項目名を、前記項目マスタから取得する分類名等取得ステップと、
前記分類名等取得ステップで取得した分類名および項目名を、前記レコード取得ステップで取得したレコードに含まれる行番号の順に表示領域に表示する表示制御ステップと、
を含み、
前記表示制御ステップは、
前記レコード取得ステップで取得したレコード間で、同一の分類コードを含むレコードである同一分類レコードが存在する場合には、前記同一分類レコードに含まれる行番号のうち最も若い行番号の位置にのみ、前記分類名等取得ステップで取得した分類名を表示すること、
を特徴とする分類名等表示方法。
【請求項３】
制御部および記憶部を備える情報処理装置に実行させるための分類名等表示プログラムであって、
前記記憶部には、
帳票レイアウトコードと分類コードと行番号と項目コードとを含むレコードを含む印字明細マスタと、
帳票レイアウトコードと分類コードと分類名とを含む分類マスタと、
項目コードと項目名とを含む項目マスタと、
が格納されており、
前記制御部に実行させるための、
前記印字明細マスタから、指定された帳票レイアウトコードを含むレコードを取得するレコード取得ステップと、
前記レコード取得ステップで取得したレコードに含まれる帳票レイアウトコードおよび分類コードと紐づく分類名を、前記分類マスタから取得し、前記レコード取得ステップで取得したレコードに含まれる項目コードと紐づく項目名を、前記項目マスタから取得する分類名等取得ステップと、
前記分類名等取得ステップで取得した分類名および項目名を、前記レコード取得ステップで取得したレコードに含まれる行番号の順に表示領域に表示する表示制御ステップと、
を含み、
前記表示制御ステップは、
前記レコード取得ステップで取得したレコード間で、同一の分類コードを含むレコードである同一分類レコードが存在する場合には、前記同一分類レコードに含まれる行番号のうち最も若い行番号の位置にのみ、前記分類名等取得ステップで取得した分類名を表示すること、
を特徴とする分類名等表示プログラム。
【発明の詳細な説明】
【技術分野】
【０００１】
本発明は、分類名等表示装置、分類名等表示方法および分類名等表示プログラムに関する。
【背景技術】
【０００２】
特許文献１には、各種施設や設備、機械等の点検作業を支援するシステムが開示されている（０００１段落等参照）。
【先行技術文献】
【特許文献】
【０００３】
【特許文献１】特開２０１５−１２５５７１号公報
【発明の概要】
【発明が解決しようとする課題】
【０００４】
このような点検作業の分野（例えば、浄化槽の清掃業界等）においては、点検項目名や前記点検項目の上位階層である点検分類名を画面上に表示して業者等が確認することにより、点検作業を行うことがある。この際、前記点検項目名および前記点検分類名の種類は、清掃業務の対象となる設備ごと、前記設備の設置地区ごと、行政地区ごと、取引先ごと等に異なるため、前記点検項目名および前記点検分類名の内容ならびにこれらの画面上での配置を、オペレータが柔軟に設定できる仕組みが求められていた。
【０００５】
本発明は、上記に鑑みてなされたものであって、項目名および前記項目名の上位階層である分類名を、オペレータの設定に基づく内容および配置で、表示領域に表示できる分類名等表示装置、分類名等表示方法および分類名等表示プログラムを提供する。
【課題を解決するための手段】
【０００６】
上述した課題を解決し、目的を達成するために、本発明に係る分類名等表示装置は、制御部および記憶部を備える分類名等表示装置であって、前記記憶部には、帳票レイアウトコードと分類コードと行番号と項目コードとを含むレコードを含む印字明細マスタと、帳票レイアウトコードと分類コードと分類名とを含む分類マスタと、項目コードと項目名とを含む項目マスタと、が格納されており、前記制御部は、前記印字明細マスタから、指定された帳票レイアウトコードを含むレコードを取得するレコード取得手段と、前記レコード取得手段で取得したレコードに含まれる帳票レイアウトコードおよび分類コードと紐づく分類名を、前記分類マスタから取得し、前記レコード取得手段で取得したレコードに含まれる項目コードと紐づく項目名を、前記項目マスタから取得する分類名等取得手段と、前記分類名等取得手段で取得した分類名および項目名を、前記レコード取得手段で取得したレコードに含まれる行番号の順に表示領域に表示する表示制御手段と、を備え、前記表示制御手段は、前記レコード取得手段で取得したレコード間で、同一の分類コードを含むレコードである同一分類レコードが存在する場合には、前記同一分類レコードに含まれる行番号のうち最も若い行番号の位置にのみ、前記分類名等取得手段で取得した分類名を表示すること、を特徴とする。
【０００７】
また、本発明に係る分類名等表示方法は、制御部および記憶部を備える情報処理装置で実行される分類名等表示方法であって、前記記憶部には、帳票レイアウトコードと分類コードと行番号と項目コードとを含むレコードを含む印字明細マスタと、帳票レイアウトコードと分類コードと分類名とを含む分類マスタと、項目コードと項目名とを含む項目マスタと、が格納されており、前記制御部で実行される、前記印字明細マスタから、指定された帳票レイアウトコードを含むレコードを取得するレコード取得ステップと、前記レコード取得ステップで取得したレコードに含まれる帳票レイアウトコードおよび分類コードと紐づく分類名を、前記分類マスタから取得し、前記レコード取得ステップで取得したレコードに含まれる項目コードと紐づく項目名を、前記項目マスタから取得する分類名等取得ステップと、前記分類名等取得ステップで取得した分類名および項目名を、前記レコード取得ステップで取得したレコードに含まれる行番号の順に表示領域に表示する表示制御ステップと、を含み、前記表示制御ステップは、前記レコード取得ステップで取得したレコード間で、同一の分類コードを含むレコードである同一分類レコードが存在する場合には、前記同一分類レコードに含まれる行番号のうち最も若い行番号の位置にのみ、前記分類名等取得ステップで取得した分類名を表示すること、を特徴とする。
【０００８】
また、本発明に係る分類名等表示プログラムは、制御部および記憶部を備える情報処理装置に実行させるための分類名等表示プログラムであって、前記記憶部には、帳票レイアウトコードと分類コードと行番号と項目コードとを含むレコードを含む印字明細マスタと、帳票レイアウトコードと分類コードと分類名とを含む分類マスタと、項目コードと項目名とを含む項目マスタと、が格納されており、前記制御部に実行させるための、前記印字明細マスタから、指定された帳票レイアウトコードを含むレコードを取得するレコード取得ステップと、前記レコード取得ステップで取得したレコードに含まれる帳票レイアウトコードおよび分類コードと紐づく分類名を、前記分類マスタから取得し、前記レコード取得ステップで取得したレコードに含まれる項目コードと紐づく項目名を、前記項目マスタから取得する分類名等取得ステップと、前記分類名等取得ステップで取得した分類名および項目名を、前記レコード取得ステップで取得したレコードに含まれる行番号の順に表示領域に表示する表示制御ステップと、を含み、前記表示制御ステップは、前記レコード取得ステップで取得したレコード間で、同一の分類コードを含むレコードである同一分類レコードが存在する場合には、前記同一分類レコードに含まれる行番号のうち最も若い行番号の位置にのみ、前記分類名等取得ステップで取得した分類名を表示すること、を特徴とする。
【発明の効果】
【０００９】
本発明によれば、項目名および前記項目名の上位階層である分類名を、オペレータの設定に基づく内容および配置で、表示領域に表示できるという効果を奏する。
【図面の簡単な説明】
【００１０】
【図１】図１は、分類名等表示装置の構成の一例を示すブロック図である。
【図２】図２は、各マスタ間の紐づきを示す図である。
【図３】図３は、点検分類名および点検項目名の表示画面の一例を示す図である。
【図４】図４は、作業内容マスタの設定画面の一例を示す図である。
【図５】図５は、帳票レイアウトマスタの設定画面の一例を示す図である。
【図６】図６は、点検分類マスタの設定画面の一例を示す図である。
【図７】図７は、点検項目マスタの設定画面の一例を示す図である。
【図８】図８は、印字明細マスタの設定画面の一例を示す図である。
【発明を実施するための形態】
【００１１】
以下に、本発明に係る分類名等表示装置、分類名等表示方法および分類名等表示プログラムの実施形態を、図面に基づいて詳細に説明する。なお、本実施形態によりこの発明が限定されるものではない。
【００１２】
［１．概要］
清掃業界等の分野においては、点検項目や前記点検項目の上位階層である点検分類は、清掃業務の対象となる設備の種類（処理方式）や、清掃設備の設置地区ごとに異なり、更に、各自治体で前記点検項目は見直しとなるため、前記点検項目および前記点検分類の内容ならびにこれらの画面上での配置を、オペレータが柔軟に設定できる仕組みが求められていた。
【００１３】
言い換えると、浄化槽の清掃作業や点検作業における点検項目や点検分類は、行政ごと、取引先ごと、設備の種類ごとに異なるため、前記点検項目および前記点検分類の内容ならびにこれらの画面上での配置を、オペレータが柔軟に設定できる仕組みが求められていた。この仕組みができる以前は、複写式の手書きの専用用紙で前記点検項目および前記点検分類を管理しており、また、業者等が定期的に行政へ提出する書類も、手作業により作成していた。本実施形態により、前記点検項目および前記点検分類を、作業場所で入力およびプリント出力し、顧客へ提出できるようになった。
【００１４】
また、従来においては、前記点検項目を縦２列に配置する際の大分類や中分類の表示方法において、大分類や中分類が同じの場合は表示しないという手法であったため、１列目の最終行と２列目の先頭行の判断が困難であったが、前記点検項目に配置位置等の属性を保持させることにより、制御が容易となった。
【００１５】
本実施形態の概略としては、印字明細マスタに前記点検項目の絶対番号（○○番目）を設定し、前記絶対番号の順に、前記点検項目を画面上に配置し、更に、複数の点検項目が同一の点検分類に属する場合には、前記複数の点検項目のうち最初の行に表示されている点検項目の横にのみ、前記同一の点検分類を表示する。以下、具体的な構成および動作について説明する。
【００１６】
［２．構成］
本実施形態に係る分類名等表示装置１００の構成について、図１を用いて説明する。図１は、分類名等表示装置１００の構成の一例を示すブロック図である。
【００１７】
分類名等表示装置１００は、市販のデスクトップ型パーソナルコンピュータである。なお、分類名等表示装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１８】
分類名等表示装置１００は、図１に示すように、制御部１０２と通信インターフェース部１０４と記憶部１０６と入出力インターフェース部１０８と、を備えている。分類名等表示装置１００が備えている各部は、任意の通信路を介して通信可能に接続されている。
【００１９】
通信インターフェース部１０４は、ルータ等の通信装置および専用線等の有線または無線の通信回線を介して、分類名等表示装置１００をネットワーク３００に通信可能に接続する。通信インターフェース部１０４は、他の装置と通信回線を介してデータを通信する機能を有する。ここで、ネットワーク３００は、分類名等表示装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２０】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４を、表示領域としてのモニタ１１４とし、入力装置１１２をキーボード１１２またはマウス１１２として記載する場合がある。
【００２１】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２２】
記憶部１０６は、作業内容マスタ１０６ａと、帳票レイアウトマスタ１０６ｂと、分類マスタとしての点検分類マスタ１０６ｃと、項目マスタとしての点検項目マスタ１０６ｄと、印字明細マスタ１０６ｅと、を備えている。これらのうち、作業内容マスタ１０６ａおよび帳票レイアウトマスタ１０６ｂは、任意の構成要素であり、記憶部１０６に含まれていても含まれていなくてもよい。以下、各マスタが含む項目について詳細に説明する。なお、各マスタ間の紐づきは、図２に示すとおりである。
【００２３】
作業内容マスタ１０６ａは、作業と設備の種類と帳票レイアウトを設定（どの画面を使用するかを設定）するためのマスタである。作業内容マスタ１０６ａは、作業内容名、システム使用名称、改定日、単位区分、帳票制御コード、金額変動区分、帳票コード（帳票レイアウトコード）、帳票レイアウト名等の項目を含む。なお、作業内容マスタ１０６ａにおけるデータ内容は、図４に示す設定画面を通して設定することができる。また、図４において、「ＣＤ」とは、「コード」を意味し、これは以下の図においても同様である。
【００２４】
帳票レイアウトマスタ１０６ｂは、帳票についての起動プログラムを設定（起動するプログラム名を設定）するためのマスタである。帳票レイアウトマスタ１０６ｂは、会社コード、帳票レイアウトコード、帳票レイアウト名、起動ページＩＤ、次回作業内容区分、次回作業内容区分名等の項目を含む。前記起動ページＩＤは、起動する帳票のレイアウトを指定するＩＤであり、本実施形態においては、５種類の起動ページＩＤ（すなわち、５種類の帳票レイアウト）が存在する。なお、帳票レイアウトマスタ１０６ｂにおけるデータ内容は、図５に示す設定画面を通して設定することができる。
【００２５】
点検分類マスタ１０６ｃは、点検作業のカテゴリ名称を設定するためのマスタである。点検分類マスタ１０６ｃは、帳票レイアウトコードと分類コードと分類名とを含む。前記分類コードおよび前記分類名の意味は、後述する。点検分類マスタ１０６ｃは、更に、例えば、会社コード等の項目を含んでいてもよい。なお、点検分類マスタ１０６ｃにおけるデータ内容は、図６に示す設定画面を通して設定することができる。
【００２６】
点検項目マスタ１０６ｄは、各点検項目の名称や入力タイプ、単位、初期値等を設定するためのマスタである。点検項目マスタ１０６ｄは、項目コードと項目名とを含む。前記項目コードおよび前記項目名の意味は、後述する。点検項目マスタ１０６ｄは、更に、例えば、入力区分、入力内容、共通項目区分、初期値等の項目を含んでいてもよい。なお、点検項目マスタ１０６ｄにおけるデータ内容は、図７に示す設定画面を通して設定することができる。
【００２７】
ここで、前記分類コード、前記分類名、前記項目コード、前記項目名について説明する。前記分類名は、前記項目名の上位階層である。例えば、清掃業界の点検という作業においては、図３の画面の「項目」欄に示す「水道メーター」「日平均汚水量」が項目名であり、これら２つの項目名をまとめた上位階層が、図３の画面の「分類」欄に示す「使用の状況」という分類名である。なお、前記分類名は、前述の清掃業界の点検の例のように、複数の項目名を含んでいてもよいし、または、１つの項目名のみを含んでいてもよい。前記分類コードおよび前記項目コードは、それぞれ、前記分類名および前記項目名に対応するコードである。
【００２８】
印字明細マスタ１０６ｅは、各点検項目の配置を設定するためのマスタである。印字明細マスタ１０６ｅは、帳票レイアウトコードと分類コードと行番号と項目コードとを含むレコードを含む。前記レコードは、前記帳票レイアウトコード、前記分類コード、前記行番号、前記項目コードの組合せ１つを意味する。前記行番号は、同一の帳票レイアウトコード内での通し番号である。例えば、帳票レイアウトコード「１」を含むレコードが２７個存在する場合、当該２７個のレコードはそれぞれ、１〜２７の行番号を含み、更に、帳票レイアウトコード「２」を含むレコードが５２個存在する場合、当該５２個のレコードはそれぞれ、１〜５２の行番号を含むこととなる。印字明細マスタ１０６ｅは、更に、例えば、会社コード等の項目を含んでいてもよい。なお、印字明細マスタ１０６ｅにおけるデータ内容は、図８に示す設定画面を通して設定することができる。
【００２９】
制御部１０２は、分類名等表示装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３０】
制御部１０２は、機能概念的に、（１）前記印字明細マスタから、指定された帳票レイアウトコードを含むレコードを取得するレコード取得手段としてのレコード取得部１０２ａと、（２）前記レコード取得手段で取得したレコードに含まれる帳票レイアウトコードおよび分類コードと紐づく分類名を、前記分類マスタから取得し、前記レコード取得手段で取得したレコードに含まれる項目コードと紐づく項目名を、前記項目マスタから取得する分類名等取得手段としての分類名等取得部１０２ｂと、（３）前記分類名等取得手段で取得した分類名および項目名を、前記レコード取得手段で取得したレコードに含まれる行番号の順に表示領域に表示し、この際、前記レコード取得手段で取得したレコード間で、同一の分類コードを含むレコードである同一分類レコードが存在する場合には、前記同一分類レコードに含まれる行番号のうち最も若い行番号の位置にのみ、前記分類名等取得手段で取得した分類名を表示する表示制御手段としての表示制御部１０２ｃと、を備えている。なお、各部が実行する処理の詳細については、以下の［３．処理の具体例］で説明する。
【００３１】
［３．処理の具体例］
以下、本実施形態に係る処理の具体例について、主に図３を用いて説明する。なお、以下の具体例において、点検分類マスタ１０６ｃ、点検項目マスタ１０６ｄおよび印字明細マスタ１０６ｅにおける具体的なデータ内容は、以下の［各マスタ内のデータの具体例］の項目で述べる内容であると仮定する。
【００３２】
（レコード取得処理）
レコード取得部１０２ａは、印字明細マスタ１０６ｅから、指定された帳票レイアウトコードを含むレコードを取得する。
【００３３】
具体的に、帳票レイアウトコードとして、「３」が指定されたとする。この場合、レコード取得部１０２ａは、印字明細マスタ１０６ｅから、帳票レイアウトコード「３」を含む６２個のレコードを取得する。
【００３４】
（分類名等取得処理）
分類名等取得部１０２ｂは、レコード取得部１０２ａで取得したレコードに含まれる帳票レイアウトコードおよび分類コードと紐づく分類名を、点検分類マスタ１０６ｃから取得する。
【００３５】
具体的に、以下においては説明の便宜上、前記（レコード取得処理）で取得した６２個のレコードのうち、
（帳票レイアウトコード、分類コード、行番号、項目コード）＝
（３、１、１、５６）
（３、１、２、５７）
（３、２、３、１７）
（３、２、４、１８）
（３、２、５、１９）
（３、２、６、２０）
という６つのレコードについてのみ説明する。前記６つのレコードのうち、前半２つのレコードに含まれる（帳票レイアウトコード、分類コード）＝（３、１）と紐づく分類名は、点検分類マスタ１０６ｃにおける具体的なデータ内容を参照すると、「使用の状況」であることがわかる。また、前記６つのレコードのうち、後半４つのレコードに含まれる（帳票レイアウトコード、分類コード）＝（３、２）と紐づく分類名は、点検分類マスタ１０６ｃにおける具体的なデータ内容を参照すると、「処理水の水質」であることがわかる。
【００３６】
分類名等取得部１０２ｂは、レコード取得部１０２ａで取得したレコードに含まれる項目コードと紐づく項目名を、点検項目マスタ１０６ｄから取得する。
【００３７】
具体的に、前記６つのレコードのうち、前半２つのレコードに含まれる項目コード５６および５７と紐づく項目名は、点検項目マスタ１０６ｄにおける具体的なデータ内容を参照すると、それぞれ、「水道メーター」および「日平均汚水量」であることがわかる。また、前記６つのレコードのうち、後半４つのレコードに含まれる項目コード１７、１８、１９、２０と紐づく項目名は、点検項目マスタ１０６ｄにおける具体的なデータ内容を参照すると、それぞれ、「色相」、「臭気」、「水温」、「透明度」であることがわかる。
【００３８】
ここで、前記６つのレコードに含まれる具体的なデータ内容とこれに対応する分類名および項目名をまとめると、以下のとおりとなる。
（帳票レイアウトコード、分類コード、行番号、項目コード）（分類名、項目名）＝
（３、１、１、５６）（使用の状況、水道メーター）
（３、１、２、５７）（使用の状況、日平均汚水量）
（３、２、３、１７）（処理水の水質、色相）
（３、２、４、１８）（処理水の水質、臭気）
（３、２、５、１９）（処理水の水質、水温）
（３、２、６、２０）（処理水の水質、透明度）
【００３９】
（表示制御処理）
表示制御部１０２ｃは、分類名等取得部１０２ｂで取得した分類名および項目名を、レコード取得部１０２ａで取得したレコードに含まれる行番号の順に表示領域に表示する。この際、表示制御部１０２ｃは、レコード取得部１０２ａで取得したレコード間で、同一の分類コードを含むレコードである同一分類レコードが存在する場合には、前記同一分類レコードに含まれる行番号のうち最も若い行番号の位置にのみ、分類名等取得部１０２ｂで取得した分類名を表示する。
【００４０】
分類名等取得部１０２ｂで取得した前半２つのレコードに含まれる（分類名、項目名）は、順に、（使用の状況、水道メーター）、（使用の状況、日平均汚水量）である。また、レコード取得部１０２ａで取得した前半２つのレコードに含まれる行番号は、順に、１、２である。表示制御部１０２ｃが、（使用の状況、水道メーター）、（使用の状況、日平均汚水量）を、前記行番号の順に表示領域に表示すると、
１行目  使用の状況  水道メーター
２行目  使用の状況  日平均汚水量
となるが、２行目の「使用の状況」は、以下の制御により表示されない。すなわち、前記前半２つのレコードは、同一の分類コード「１」を含む同一分類レコードである。ここで、当該同一分類レコードは、それぞれ、行番号１および２を含むが、行番号１の方が若い。この場合、表示制御部１０２ｃは、行番号１の位置にのみ、分類名等取得部１０２ｂで取得した分類名「使用の状況」を表示する。以上より、表示制御部１０２ｃは、図３の＜点検内容結果＞に示すように、
１行目  使用の状況  水道メーター
２行目              日平均汚水量
という様に分類名および項目名を表示する。
【００４１】
分類名等取得部１０２ｂで取得した後半４つのレコードに含まれる（分類名、項目名）は、順に、（処理水の水質、色相）、（処理水の水質、臭気）、（処理水の水質、水温）、（処理水の水質、透明度）である。また、レコード取得部１０２ａで取得した後半４つのレコードに含まれる行番号は、順に、３、４、５、６である。表示制御部１０２ｃが、（処理水の水質、色相）、（処理水の水質、臭気）、（処理水の水質、水温）、（処理水の水質、透明度）を、前記行番号の順に表示領域に表示すると、
３行目  処理水の水質  色相
４行目  処理水の水質  臭気
５行目  処理水の水質  水温
６行目  処理水の水質  透明度
となるが、４〜６行目の「処理水の水質」は、以下の制御により表示されない。すなわち、前記後半４つのレコードは、同一の分類コード「２」を含む同一分類レコードである。ここで、当該同一分類レコードは、それぞれ、行番号３、４、５、６を含むが、行番号３が最も若い。この場合、表示制御部１０２ｃは、行番号３の位置にのみ、分類名等取得部１０２ｂで取得した分類名「処理水の水質」を表示する。以上より、表示制御部１０２ｃは、図３の＜点検内容結果＞に示すように、
３行目  処理水の水質  色相
４行目                臭気
５行目                水温
６行目                透明度
という様に分類名および項目名を表示する。
【００４２】
なお、図３の画面例は、以下の［各マスタ内のデータの具体例］の項目で述べるマスタ内容を基に作成される画面の一例に過ぎず、前記画面例中には、前記マスタ内容と対応していない箇所も存在する。
【００４３】
このように、本実施形態に係る分類名等表示装置１００によれば、項目名および前記項目名の上位階層である分類名を、オペレータの設定に基づく内容および配置で、表示領域に表示できる。特に、本実施形態に係る分類名等表示装置１００によれば、同一の分類に属する項目が複数存在する場合には、同一の分類内で最も若い行番号の項目の行にのみ分類名を表示し、それ以降の行には分類名を表示しない制御を行うことができる。これにより、分類名の重複表示を避けることができるため、分類名および項目名を非常に見やすいレイアウトで表示することができる。
【００４４】
また、本実施形態に係る分類名等表示装置１００においては、例えば、行番号が項目名と対応していることにより、項目名が左右の縦２列に分かれる改列表示を行うことができる。すなわち、例えば、図３に示すように、左列に１〜３３行目の項目名を表示し、右列に３４〜６２行目の項目名を表示するという改列表示をしたい場合、行番号３４を有する項目名を右列の１行目に表示される項目名としてオペレータが予め指定しておけば、前記改列表示を容易に行うことができる。
【００４５】
［４．他の実施形態］
本発明は、上述した実施形態以外にも、特許請求の範囲に記載した技術的思想の範囲内において種々の異なる実施形態にて実施されてよいものである。
【００４６】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００４７】
また、本明細書中や図面中で示した処理手順、制御手順、具体的名称、各処理の登録データや検索条件等のパラメータを含む情報、画面例、データベース構成については、特記する場合を除いて任意に変更することができる。
【００４８】
また、分類名等表示装置１００に関して、図示の各構成要素は機能概念的なものであり、必ずしも物理的に図示の如く構成されていることを要しない。
【００４９】
例えば、分類名等表示装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて分類名等表示装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５０】
また、このコンピュータプログラムは、分類名等表示装置１００に対して任意のネットワークを介して接続されたアプリケーションプログラムサーバに記憶されていてもよく、必要に応じてその全部または一部をダウンロードすることも可能である。
【００５１】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００５２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５３】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００５４】
また、分類名等表示装置１００は、既知のパーソナルコンピュータまたはワークステーション等の情報処理装置として構成してもよく、また、任意の周辺装置が接続された当該情報処理装置として構成してもよい。また、分類名等表示装置１００は、当該装置に本実施形態で説明した処理を実現させるソフトウェア（プログラムまたはデータ等を含む）を実装することにより実現してもよい。
【００５５】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００５６】
本発明は、行政等の外的要因により定期的に点検実施項目が変更となる業界、例えば、清掃業界等において特に有用である。
【符号の説明】
【００５７】
１００  分類名等表示装置
１０２  制御部
１０２ａ  レコード取得部
１０２ｂ  分類名等取得部
１０２ｃ  表示制御部
１０４  通信インターフェース部
１０６  記憶部
１０６ａ  作業内容マスタ
１０６ｂ  帳票レイアウトマスタ
１０６ｃ  点検分類マスタ
１０６ｄ  点検項目マスタ
１０６ｅ  印字明細マスタ
１０８  入出力インターフェース部
１１２  入力装置
１１４  出力装置
２００  サーバ
３００  ネットワーク
【００５８】
［各マスタ内のデータの具体例］
帳票レイアウトマスタ１０６ｂにおける具体的なデータ内容（帳票レイアウトコード、帳票レイアウト名、起動ページＩＤ、次回作業内容区分、次回作業内容区分名）は、例えば、以下のとおりである。なお、−は、入力情報がないことを意味する。
【００５９】
(1、清掃記録票、Z201、1、清掃です)、(2、単独浄化槽保守点検票、Z204、2、点検です)、(3、小型合併浄化槽保守点検票、Z207、2、点検です)、(99、合併浄化槽(点検分類登録用)、ZZZ、0)、(A1、合併浄化槽点検A1、Z210、1、清掃です)、(A2、合併浄化槽点検A2、Z210、1、清掃です)、(A3、合併浄化槽点検A3、Z210、1、清掃です)、(A4、合併浄化槽点検A4、Z210、1、清掃です)、(A5、合併浄化槽点検A5、Z210、1、清掃です)、(A6、合併浄化槽点検A6、Z210、1、清掃です)、(A7、合併浄化槽点検A7、Z210、1、清掃です)、(A8、合併浄化槽点検A8、Z210、1、清掃です)、(A9、汎用(点検実施項目なし)、Z210、0、-)、(AA、H.特殊合併浄化槽点検(YKK-AP)、Z210、1、清掃です)、(AB、K.特殊合併浄化槽定期点検、Z210、1、清掃です)、(AC、J.2系統接触ばっ気用変形、Z210、1、清掃です)、(AD、D.2系統接触ばっ気用、Z210、1、清掃です)、(AE、E.汎用活性汚泥用、Z210、1、清掃です)、(AF、F.活性汚泥用変形(○○市△△高)、Z210、1、清掃です)、(AG、G.特殊合併浄化槽定期点検(コ゛ルフ5、Z210、1、清掃です)、(AH、I.汎用担体流動生物濾過用、Z210、1、清掃です)、(AI、A.汎用沈殿分離接触ばっ気用、Z210、1、清掃です)、(AJ、B.沈殿分離接触ばっ気変形、Z210、1、清掃です)、(AK、C.沈殿分離接触ばっ気変形、Z210、0、-)、(AL、M.沈殿分離接触ばっ気変形、Z210、0、-)、(AM、N.沈殿分離接触ばっ気変形、Z210、0、-)
【００６０】
点検分類マスタ１０６ｃにおける具体的なデータ内容（帳票レイアウトコード、分類コード、分類名）は、例えば、以下のとおりである。
【００６１】
(1、1、清掃汚泥量(搬出汚泥量))、(1、2、共通項目)、(1、3、消毒槽)、(1、4、ばっ気装置)、(1、5、衛生害虫発生状況)、(1、6、付帯設備)、(1、7、清掃実施箇所)、(2、1、処理水の水質)、(2、10、衛生害虫発生状況)、(2、2、共通項目)、(2、3、全ばっ気式)、(2、4、ふはい式)(2、5、消毒槽)、(2、6、ばっ気装置)(2、7、分離接触ばっ気式)、(2、8、分離ばっ気式)、(2、9、3次処理槽)、(3、1、使用の状況)、(3、2、処理水の水質)、(3、3、共通項目)、(3、4、1次処理、第1室)、(3、5、1次処理、第2室)、(3、6、2次処理)、(3、7、消毒槽)、(3、8、衛生害虫発生状況)、(3、9、ばっ気装置)、(4、1、使用の状況)、(4、2、処理水の水質)、(4、3、共通項目)、(4、4、浮上濾過槽)、(4、5、-)、(4、6、2次処理(好気濾床槽))、(4、7、消毒槽)、(4、8、衛生害虫発生状況)、(4、9、ばっ気装置)、(99、1、基本情報)、(99、11、1系No.1曝気槽)、(99、12、1系No.2曝気槽)、(99、13、1系沈殿槽)、(99、14、2系No.1曝気槽)、(99、15、2系No.2曝気槽)、(99、16、2系沈殿槽)、(99、17、No.1曝気槽)、(99、18、No.2曝気槽)、(99、19、後曝気槽)、(99、1A、汚水計量槽)、(99、1B、回転盤槽)、(99、1C、回分槽No.1)(99、1D、回分槽No.1流出水)、(99、1E、回分槽No.2)、(99、1F、回分槽No.2流出水)、(99、1G、間欠曝気槽1)、(99、1H、間欠曝気槽2)、(99、1I、嫌気性ろ床槽第1室)、(99、1J、嫌気性ろ床槽第2室)、(99、1K、嫌気性ろ床槽第3室)、(99、1L、再曝気槽)、(99、1M、三次処理水)、(99、1N、硝化槽)、(99、1O、浄化槽放流水)、(99、1P、真空ホ゜ンフ゜起動圧力)、(99、1Q、真空ホ゜ンフ゜停止圧力)、(99、1R、生物酸化槽内水)、(99、1S、接触酸化槽内水)、(99、1T、接触曝気槽内水)、(99、1U、第1接触曝気1室)、(99、1V、第1接触曝気2室)、(99、1W、第1接触曝気槽)、(99、1X、第1接触曝気槽内水)、(99、1Y、第1沈殿槽)、(99、21、第2接触曝気1室)、(99、22、第2接触曝気2室)、(99、23、第2接触曝気槽)、(99、24、第2接触曝気槽内水)、(99、25、第2沈殿槽)、(99、26、脱窒槽)、(99、27、中間調整槽流入水)、(99、28、中継槽)、(99、29、貯留槽流出水)、(99、2A、沈殿槽)、(99、2B、沈殿槽内水)、(99、2C、曝気槽)、(99、2D、曝気槽1室目)、(99、2E、曝気槽2室目)、(99、2F、曝気槽3室目)、(99、2G、曝気槽第1室)、(99、2H、曝気槽第2室)、(99、2I、曝気槽内水)、(99、2J、曝気槽内水(1系))、(99、2K、曝気槽内水(3系))、(99、2L、放流水)、(99、2M、放流水判定)、(99、2N、膜分離槽1)、(99、2O、膜分離槽2)、(99、2P、流入原水)、(99、2Q、流入水)、(99、2R、流量調整槽流出水)、(99、2S、ろ過ホ゜ンフ゜槽内水)、(99、A0、1系1号返送汚泥ホ゜ンフ゜)、(99、A1、1系1号余剰汚泥ホ゜ンフ゜)、(99、A2、1系2号返送汚泥ホ゜ンフ゜)、(99、A3、1系2号余剰汚泥ホ゜ンフ゜)、(99、A4、1系汚泥掻寄機)、(99、A5、1号汚水移送ホ゜ンフ゜)、(99、A6、1号汚泥貯留槽フ゛ロワー)、(99、A7、1号原水ホ゜ンフ゜)、(99、A8、1号雑排水移送ホ゜ンフ゜)、(99、A9、1号消泡ホ゜ンフ゜)、(99、AA、1号水中撹拌装置)、(99、AB、1号濃縮汚泥引抜ホ゜ンフ゜)、(99、AC、1号ばっ気フ゛ロワー)、(99、AD、1号放流ホ゜ンフ゜)、(99、AE、2階、昇温ホ゜ンフ゜No.1)、(99、AF、2階、昇温ホ゜ンフ゜No.2)、(99、AG、2系1号返送汚泥ホ゜ンフ゜)、(99、AH、2系1号余剰汚泥ホ゜ンフ゜)、(99、AI、2系2号返送汚泥ホ゜ンフ゜)、(99、AJ、2系2号余剰汚泥ホ゜ンフ゜)、(99、AK、2系汚泥掻寄機)、(99、AL、2号汚水移送ホ゜ンフ゜)、(99、AM、2号汚泥貯留槽フ゛ロワー)、(99、AN��2号原水ホ゜ンフ゜)、(99、AO、2号雑排水移送ホ゜ンフ゜)、(99、AP、2号消泡ホ゜ンフ゜)、(99、AQ、2号水中撹拌装置)、(99、AR、2号濃縮汚泥引抜ホ゜ンフ゜)、(99、AS、2号ばっ気フ゛ロワー)、(99、AT、2号放流ホ゜ンフ゜)、(99、AU、3階、昇温ホ゜ンフ゜No.1)、(99、AV、3号水中撹拌装置)、(99、AW、3号ばっ気フ゛ロワー)、(99、AX、DO計)、(99、AY、MLSS計)、(99、B0、No.1活性炭吸着塔、排水)、(99、B1、No.1活性炭吸着塔、流入)、(99、B2、No.2活性炭吸着塔、排水)、(99、B3、No.2活性炭吸着塔、流入)、(99、B4、ORP計)、(99、B5、PH計)、(99、B6、UV計)、(99、B7、UV計サンフ゜リンク゛ホ゜ンフ゜)、(99、B8、圧送ホ゜ンフ゜No.1)、(99、B9、圧送ホ゜ンフ゜No.2)、(99、BA、荒目スクリーン)、(99、BB、移送ホ゜ンフ゜No.1)、(99、BC、移送ホ゜ンフ゜No.2)、(99、BD、井戸ホ゜ンフ゜)、(99、BE、上澄水排水装置No.1)、(99、BF、上澄水排水装置No.2)、(99、BG、エアリフトフ゛ロワ)、(99、BH、エアリフト用フ゛ロワ)、(99、BI、エンシ゛ンホ゜ンフ゜)、(99、BJ、塩素剤注入装置)、(99、BK、汚水移送ホ゜ンフ゜No.1)、(99、BL、汚水移送ホ゜ンフ゜No.2)、(99、BM、汚泥掻寄機)、(99、BN、汚泥掻寄機No.1)、(99、BO、汚泥掻寄機No.2)、(99、BP、汚泥貯留槽フ゛ロワ)、(99、BQ、汚泥貯留フ゛ロワー)、(99、BR、汚泥引抜ホ゜ンフ゜)、(99、BS、汚泥引抜ホ゜ンフ゜No.1)、(99、BT、汚泥引抜ホ゜ンフ゜No.2)、(99、BU、汚泥引抜ホ゜ンフ゜No.3)、(99、BV、汚泥引抜用電動弁)、(99、BW、汚泥返送ホ゜ンフ゜)、(99、BX、汚泥ホ゜ンフ゜室給気ファン)、(99、BY、汚泥ホ゜ンフ゜室排気ファン)、(99、C0、加圧給水ホ゜ンフ゜No.1)、(99、C1、加圧給水ホ゜ンフ゜No.2)、(99、C2、回転板装置)、(99、C3、回転槽ばっ気撹拌装置No.1)、(99、C4、回転槽ばっ気撹拌装置No.2)、(99、C5、回転槽フ゛ロワNo.1)、(99、C6、回転槽フ゛ロワNo.2)、(99、C7、回転槽フ゛ロワNo.3(予備))、(99、C8、攪拌機(1槽目))、(99、C9、攪拌機(2槽目))、(99、CA、攪拌機(高分子))、(99、CB、撹拌フ゛ロワー)、(99、CC、撹拌用シ゛ェットレーター)、(99、CD、可搬式汚泥引抜ホ゜ンフ゜)、(99、CE、換気扇)、(99、CF、換気扇No.1)、(99、CG、換気扇No.2)、(99、CH、間欠曝気用フ゛ロワーNo.1)、(99、CI、間欠曝気用フ゛ロワーNo.2)、(99、CJ、管理室用換気扇)、(99、CK、機械室排気ファン)、(99、CL、機械室用換気扇)、(99、CM、逆洗ホ゜ンフ゜)、(99、CN、逆洗ホ゜ンフ゜No.1)、(99、CO、逆洗ホ゜ンフ゜No.2)、(99、CP、凝集剤注入装置)、(99、CQ、検査系原水ホ゜ンフ゜No.1)、(99、CR、検査系原水ホ゜ンフ゜No.1稼働時間)、(99、CS、検査系原水ホ゜ンフ゜No.2)、(99、CT、検査系原水ホ゜ンフ゜No.2稼働時間)、(99、CU、原水ホ゜ンフ゜No.1)、(99、CV、原水ホ゜ンフ゜No.1稼働時間)、(99、CW、原水ホ゜ンフ゜No.2)、(99、CX、原水ホ゜ンフ゜No.2稼働時間)、(99、CY、原水ホ゜ンフ゜No.3)、(99、CZ、原水用非常エンシ゛ンホ゜ンフ゜)、(99、D0、好気性消化槽用フ゛ロワー)、(99、D1、好気性消化槽用フ゛ロワー稼働時間)、(99、D2、コンフ゜レッサー)、(99、D3、最終沈殿池用エアリフトフ゛ロワー)、(99、D4、最終沈殿池用エアリフトフ゛ロワー稼働時間)、(99、D5、採水ホ゜ンフ゜)、(99、D6、雑排水ホ゜ンフ゜No.1)、(99、D7、雑排水ホ゜ンフ゜No.2)、(99、D8、三次処理送風機)、(99、D9、散水ホ゜ンフ゜)、(99、DA、サンフ゜リンク゛ホ゜ンフ゜)、(99、DB、塩鉄注入ホ゜ンフ゜No.1)、(99、DC、塩鉄注入ホ゜ンフ゜No.2)、(99、DD、し渣脱水機)、(99、DE、自���荒目スクリーン)、(99、DF、自動スクリーン)、(99、DG、自動スクリーンNo.1)、(99、DH、自動スクリーンNo.2)、(99、DI、自動微細目スクリーンNo.1)、(99、DJ、自動微細目スクリーンNo.2)、(99、DK、主幹)、(99、DL、消毒槽ファン)、(99、DM、消泡ホ゜ンフ゜)、(99、DN、消泡ホ゜ンフ゜No.1)、(99、DO、消泡ホ゜ンフ゜No.2)、(99、DP、真空ホ゜ンフ゜No.1)、(99、DQ、真空ホ゜ンフ゜No.2)、(99、DR、水中撹拌機)、(99、DS、水中撹拌装置)、(99、DT、水中撹拌ホ゜ンフ゜)、(99、DU、水中撹拌ホ゜ンフ゜No.1)、(99、DV、水中撹拌ホ゜ンフ゜No.2)、(99、DW、スカムエアリフト用フ゛ロワー)、(99、DX、スカムエアリフト用フ゛ロワー稼働時間)、(99、DY、スカムホ゜ンフ゜)、(99、E0、スクリーン室排気ファン)、(99、E1、スクリーン洗浄機)、(99、E2、砂ろ過塔、排水)、(99、E3、砂ろ過塔、流入)、(99、E4、生物酸化槽送風機)、(99、E5、送風機No.1)、(99、E7、送風機No.2)、(99、E8、送風機No.3)、(99、E9、第1沈殿池用エアリフトフ゛ロワー)、(99、EA、第1沈殿池用エアリフトフ゛ロワー稼働時間)、(99、EB、脱臭装置)、(99、EC、脱臭ハ゛イハ゜スファン)、(99、ED、脱臭ファン)、(99、EE、脱水機アニオン注入ホ゜ンフ゜)、(99、EF、脱水機アニオン溶解装置)、(99、EG、脱水機移送ホ゜ンフ゜)、(99、EH、脱水機汚泥移送ホ゜ンフ゜)、(99、EI、脱水機攪拌機)、(99、EJ、脱水機撹拌ホ゜ンフ゜)、(99、EK、脱水機カチオン注入ホ゜ンフ゜)、(99、EL、脱水機カチオン溶解装置)、(99、EM、脱水機モーター)、(99、EN、脱窒素循環ホ゜ンフ゜No.1)、(99、EO、脱窒素循環ホ゜ンフ゜No.2)、(99、EP、脱窒素循環ホ゜ンフ゜No.3)、(99、EQ、脱窒素循環ホ゜ンフ゜No.4)、(99、ER、脱離液用流出弁)、(99、ES、脱リン槽ホ゜ンフ゜)、(99、ET、脱リン用薬注ホ゜ンフ゜)、(99、EU、中間調整槽送風機)、(99、EV、中間調整ホ゜ンフ゜No.1)、(99、EW、中間調整ホ゜ンフ゜No.2)、(99、EX、中継ホ゜ンフ゜No.1)、(99、EY、中継ホ゜ンフ゜No.2)、(99、F0、中継ホ゜ンフ゜No.3)、(99、F1、中継ホ゜ンフ゜No.4)、(99、F2、調整槽送風機)、(99、F3、調整ホ゜ンフ゜)、(99、F4、調整ホ゜ンフ゜No.1)、(99、F5、調整ホ゜ンフ゜No.1稼働時間)、(99、F6、調整ホ゜ンフ゜No.2)、(99、F7、調整ホ゜ンフ゜No.2稼働時間)、(99、F8、調整用送風機)、(99、F9、調整用送風機No.1)、(99、FA、調整用送風機No.2)、(99、FB、貯留ホ゜ンフ゜No.1)、(99、FC、貯留ホ゜ンフ゜No.2)、(99、FD、沈砂槽フ゛ロワー)、(99、FE、沈砂槽用フ゛ロワー)、(99、FF、鉄溶液注入ホ゜ンフ゜No.1)、(99、FG、鉄溶液注入ホ゜ンフ゜No.2)、(99、FH、電気室排気ファン)、(99、FI、電磁弁)、(99、FJ、電磁弁(エアーリフト))、(99、FK、電磁弁(第1沈殿槽))、(99、FL、電磁弁(第2沈殿槽))、(99、FM、電磁弁(ばっ気槽))、(99、FN、電磁弁(ろ過槽))、(99、FO、電磁弁No.1)、(99、FP、電磁弁No.2)、(99、FQ、電磁弁No.3)、(99、FR、電動弁(圧空入口弁))、(99、FS、電動弁(汚泥引抜))、(99、FT、電動弁(逆洗排水弁))、(99、FU、電動弁(逆洗入口弁))、(99、FV、電動弁(空気出入口弁))、(99、FW、電動弁(原水入口弁))、(99、FX、電動弁(処理水弁))、(99、FY、電動弁(水洗排水弁))、(99、G0、電動弁(水抜弁))、(99、G1、電動弁(ろ過用))、(99、G2、トイレ中継ホ゜ンフ゜No.1)、(99、G3、トイレ中継ホ゜ンフ゜No.2)、(99、G4、土壌脱臭排水ホ゜ンフ゜)、(99、G5、排気ファン)、(99、G6、ハ゛イハ゜ススクリーン)、(99、G7、排風機)、(99、G8、排風機No.1)、(99、G9、排風機No.2)、(99、GA、破砕機)、(99���GB、ばっ気撹拌装置No.1)、(99、GC、曝気撹拌装置No.1)、(99、GD、ばっ気撹拌装置No.2)、(99、GE、曝気撹拌装置No.2)、(99、GF、曝気撹拌装置No.3)、(99、GG、曝気撹拌装置No.4)、(99、GH、ばっ気槽1室目用電動弁)、(99、GI、ばっ気槽2室目用電動弁)、(99、GJ、曝気槽水中撹拌機No.1)、(99、GK、曝気槽水中撹拌機No.2)、(99、GL、ばっ気沈砂槽フ゛ロワ)、(99、GM、曝気沈砂槽フ゛ロワ)、(99、GN、ばっ気沈砂排出弁)、(99、GO、ばっ気フ゛ロワNo.1)、(99、GP、曝気フ゛ロワNo.1)、(99、GQ、ばっ気フ゛ロワNo.2)、(99、GR、曝気フ゛ロワNo.2)、(99、GS、ばっ気フ゛ロワNo.3)、(99、GT、曝気フ゛ロワNo.3)、(99、GU、曝気フ゛ロワーNo.1)、(99、GV、曝気フ゛ロワーNo.1(予備))、(99、GW、曝気フ゛ロワーNo.2)、(99、GX、曝気フ゛ロワーNo.2(予備))、(99、GY、曝気フ゛ロワーNo.3)、(99、H0、曝気用送風機)、(99、H1、曝気用送風機No.1)、(99、H2、曝気用送風機No.2)、(99、H3、微細目スクリーン)、(99、H4、微細目スクリーンNo.1)、(99、H5、微細目スクリーンNo.2)、(99、H6、フ゛ロワー室吸気扇)、(99、H7、フ゛ロワー室排気扇)、(99、H8、フ゛ロワー室排気ファン)、(99、H9、フ゛ロワ室排気ファン)、(99、HA、返送汚泥弁)、(99、HB、返送ホ゜ンフ゜No.1)、(99、HC、返送ホ゜ンフ゜No.2)、(99、HD、返送用送風機)、(99、HE、放流ホ゜ンフ゜)、(99、HF、放流ホ゜ンフ゜No.1)、(99、HG、放流ホ゜ンフ゜No.1稼働時間)、(99、HH、放流ホ゜ンフ゜No.2)、(99、
HI、放流ホ゜ンフ゜No.2稼働時間)、(99、HJ、放流ホ゜ンフ゜No.3)、(99、HK、前処理室給気ファン)、(99、HL、前処理室排気ファン)、(99、HM、膜用フ゛ロワーNo.1)、（99、HN、膜用フ゛ロワーNo.2)、(99、HO、膜濾過ホ゜ンフ゜No.1)、(99、HP、膜濾過ホ゜ンフ゜No.2)、(99、HQ、メーター(放流))、(99、HR、メーター(流入))、(99、HS、薬注ホ゜ンフ゜No.1(PAC))、(99、HT、薬注ホ゜ンフ゜No.2(苛性))、(99、HU、薬注ホ゜ンフ゜No.3(高分子))、(99、HV、床排水ホ゜ンフ゜)、(99、HW、余剰汚泥弁)、(99、I0、流量調整槽撹拌ホ゜ンフ゜No.1)、(99、I1、流量調整槽撹拌ホ゜ンフ゜No.2)、(99、I2、流量調整槽撹拌ホ゜ンフ゜No.3)、(99、I3、流量調整槽撹拌ホ゜ンフ゜No.4)、(99、I4、流量調整槽ホ゜ンフ゜No.1)、(99、I5、流量調整槽ホ゜ンフ゜No.2)、(99、I6、流量調整槽用フ゛ロワーNo.1)、(99、I7、流量調整槽用フ゛ロワーNo.1稼働時間)、(99、I8、流量調整槽用フ゛ロワーNo.2)、(99、I9、流量調整槽用フ゛ロワーNo.2稼働時間)、(99、IA、流量調整ホ゜ンフ゜No.1)、(99、IB、流量調整ホ゜ンフ゜No.2)、(99、IC、冷却槽ホ゜ンフ゜No.1)、(99、ID、冷却槽ホ゜ンフ゜No.2)、(99、IE、冷却槽用送風機No.1)、(99、IF、冷却槽用送風機No.2)、(99、IG、ろ過ホ゜ンフ゜)、(99、IH、*予備1(ろ過ホ゜ンフ゜No.1))、(99、II、*予備2(ろ過ホ゜ンフ゜No.2))、(99、IJ、真空ホ゜ンフ゜No.1稼働時間)、(99、IK、真空ホ゜ンフ゜No.2稼働時間)、(99、IL、圧送ホ゜ンフ゜No.1稼働時間)、(99、IM、圧送ホ゜ンフ゜No.2稼働時間)、(99、IN、上記ホ゜ンフ゜前回稼働時間)、(99、P0、共通項目)、(99、P1、1系No.1曝気槽)、(99、P2、1系No.2曝気槽)、(99、P3、1系沈殿槽)、(99、P4、2階屋上、昇温装置)、(99、P5、2系No.1曝気槽)、(99、P6、2系No.2曝気槽)、(99、P7、2系沈殿槽)、(99、P8、3階屋上、昇温装置)、(99、P9、EH曝気槽)、(99、PA、No.1)、(99、PB、No.10)、(99、PC、No.11)、(99、PD、No.12)、(99、PE、No.13)、(99、PF、No.14)、(99、PG、No.15)、(99、PH、No.16)、(99、PI、No.17)、(99、PJ、No.18)、(99、PK、No.19)、(99、PL、No.1回分槽)、(99、PM、No.1曝気槽)、(99、PN、No.2)、(99、PO、No.20)、(99、PP、No.21)、(99、PQ、No.22)、(99、PR、No.2曝気槽)、(99、PS、No.3)、(99、PT、No.4)、(99、PU、No.5)、(99、PV、No.6)、(99、PW、No.7)、(99、PX、No.8)、(99、PY、No.9)、(99、Q0、SSスクリーン)、(99、Q1、後曝気槽)、(99、Q2、一次処理槽)、(99、Q3、井水用ろ過機)、(99、Q4、汚水計量槽)、(99、Q5、汚泥受槽)、(99、Q6、汚泥貯槽)、(99、Q7、汚泥貯留槽)、(99、Q8、汚泥貯留槽No.1)、(99、Q9、汚泥貯留槽No.2)、(99、QA、汚泥濃縮消化槽)、(99、QB、濃縮槽・貯留槽)、(99、QC、汚泥濃縮貯留槽)、(99、QD、回転盤槽)、(99、QE、活性汚泥曝気槽)、(99、QF、活性炭吸着塔)、(99、QG、活性炭ろ過)、(99、QH、間欠曝気槽)、(99、QI、逆洗ホ゜ンフ゜槽)、(99、QJ、凝集槽)、(99、QK、嫌気性ろ床槽第1室)、(99、QL、嫌気性ろ床槽第2室)、(99、QM、嫌気性ろ床槽第3室)、(99、QN、検査系原水槽)、(99、QO、原水槽)、(99、QP、原水ホ゜ンフ゜槽)、(99、QQ、最終沈殿池)、(99、QR、再曝気槽)、(99、QS、雑排水槽)、(99、QT、し渣脱水機)、(99、QU、し渣の量)、(99、QV、自動微細目スクリーン)、(99、QW、受水槽)、(99、QX、硝化槽)、(99、QY、消毒)、(99、R0、消毒槽)、(99、R1、処理水槽)、(99、R2、砂ろ過機)、(99、R3、砂ろ過塔)、(99、R4、生物酸化槽)、(99、R5、接触酸化槽)、(99、R6、接触曝気槽)、(99、R7、接触曝気槽共通項目)、(99、R8、倉庫)、(99、R9、第1接触曝気槽)、(99、RA、第1沈殿池)、(99、RB、第1沈殿槽)、(99、RC、第2接触曝気槽)、(99、RD、第2沈殿槽)、(99、RE、第二沈殿槽)、(99、RF、脱臭装置)、(99、RG、脱水機)、(99、RH、脱リン槽)、(99、RI、脱窒槽)、(99、RJ、担体流動接触曝気槽)、(99、RK、中間調整槽)、(99、RL、中継槽)、(99、RM、中和槽)、(99、RN、調整槽)、(99、RO、貯留槽)、(99、RP、沈砂槽)、(99、RQ、沈殿槽)、(99、RR、沈殿分離槽)、(99、RS、二次処理槽)、(99、RT、廃水槽)、(99、RU、曝気槽)、(99、RV、曝気槽第1室)、(99、RW、曝気槽第2室)、(99、RX、ばっ気沈砂槽)、(99、RY、反応槽)、(99、S0、反応槽1槽目)、(99、S1、放流槽)、(99、S2、放流ホ゜ンフ゜槽)、(99、S3、膜分離槽)、(99、S4、薬品在庫量)、(99、S5、薬品タンク)、(99、S6、油脂分離槽)、(99、S7、流入・前処理)、(99、S8、流入状況)、(99、S9、流量調整槽)、(99、SA、流量調整槽(原水受槽))、(99、SB、冷却調整槽)、(99、SC、ろ過機)、(99、SD、ろ過機設定)、(99、SE、ろ過槽)、(99、SF、ろ過ホ゜ンフ゜槽)、(99、SG、沈殿槽・ろ過槽)、(99、T0、沈殿槽用エアリフト電磁弁)、(99、T1、濃縮槽用エアリフト電磁弁)、(99、T2、スカムスキーマー用電磁弁)、(99、T3、予備)、(99、T4、非常用ホ゜ンフ゜)、(99、T5、ろ過ホ゜ンフ゜No.1)、(99、T6、ろ過ホ゜ンフ゜No.2)、(99、T7、逆洗ホ゜ンフ゜No.1)、(99、T8、逆洗ホ゜ンフ゜No.2)、(99、T9、温泉排水ホ゜ンフ゜No.1)、(99、TA、温泉排水ホ゜ンフ゜No.2)、(99、TB、汚水排水ホ゜ンフ゜No.1)、(99、TC、汚水排水ホ゜ンフ゜No.2)、(99、TD、雨水排水ホ゜ンフ゜No.1)、(99、TE、雨水排水ホ゜ンフ゜No.2)、(99、TF、中継ホ゜ンフ゜南No.1)、(99、TG、中継ホ゜ンフ゜南No.2)、(99、TH、中継ホ゜ンフ゜北No.1)、(99、TI、中継ホ゜ンフ゜北No.2)、(99、TJ、工場排水)、(99、TK、1系送風機No.1)、(99、TL、1系送風機No.2)、(99、TM、2系送風機No.1)、(99、TN、2系送風機No.2)、(99、TO、1系エアリフト電磁弁)、(99、TP、2系エアリフト電磁弁)、(99、TQ、中継用送風機No1)、(99、TR、中継用送風機No2)、(99、TS、原水槽・調整槽)、(99、TT、予備)、(99、TU、(1)中継ホ゜ンフ゜No.1)、(99、TV、(1)中継ホ゜ンフ゜No.2)、(99、TW、(2)中継ホ゜ンフ゜No.1)、(99、TX、(2)中継ホ゜ンフ゜No.2)、(99、TY、(3)中継ホ゜ンフ゜No.1)、(99、TZ、(3)中継ホ゜ンフ゜No.2)
【００６２】
点検項目マスタ１０６ｄにおける具体的なデータ内容（項目コード、項目名、入力区分、入力内容、共通項目区分、初期値等）は、例えば、以下のとおりである。なお、−は、入力情報がないことを意味する。
【００６３】
(02010、No.1ホ゜ンフ゜汚水移送量、0、6080、0、0)、(02011、No.1ホ゜ンフ゜汚水移送量(1系)、0、6080、0、0)、(02012、No.1ホ゜ンフ゜汚水移送量(3系)、0、6080、0、0)、(02017、No.2ホ゜ンフ゜汚水移送量、0、6080、0、0)、(02018、No.2ホ゜ンフ゜汚水移送量(1系)、0、6080、0、0)、(02019、No.2ホ゜ンフ゜汚水移送量(3系)、0、6080、0、0)、(02025、PAC注入状況、0、6050、0、-)、(02023、PAC滴化、0、6054、0、-)、(02034、アニオン残量、0、6065、0、-)、(02035、荒目スクリーンかすの状況、0、6069、0、-)、(02036、泡・スカムの発生、0、6070、0、-)、(02037、異常水位の痕跡、0、6070、0、-)、(02038、異常な臭気の発生、0、6070、0、-)、(02041、移送水量の調整、0、6056、0、-)、(02042、異物・夾雑物、0、6071、0、-)、(02043、異物除去状況、0、6050、0、-)、(02044、異物の有無、0、6070、0、-)、(02045、異物の流入確認、0、6070、0、-)、(02046、上澄水排出装置作動状況、0、6050、0、-)、(02051、エアリフトホ゜ンフ゜、0、6050、0、-)、(02052、衛生害虫の発生、0、6065、0、-)、(02053、越流せきの状況、0、6050、0、-)、(02054、越流堰の状況、0、6050、0、-)、(02048、エアー調整ハ゛ルフ゛、0、6050、0、-)、(02049、エアー量(ハ゛ランス)調整、0、6056、0、-)、(02058、塩素注入状況、0、6050、0、-)、(02060、塩素量調整、0、6078、0、-)、(02061、汚水移送量、0、6080、0、0)、(02062、汚水移送量、0、6050、0、-)、(02073、汚泥掻寄機の状況、0、6050、0、-)、(02074、汚泥掻き寄せ機作動状況、0、6050、0、-)、(02075、汚泥堆積量、0、6065、0、-)、(02076、汚泥堆積の状況、0、6073、0、-)、(02077、汚泥蓄積量、0、6065、0、-)、(02078、汚泥調整、0、6074、0、-)、(02079、汚泥貯留量、0、6065、0、-)、(02080、汚泥沈降状況、0、6050、0、-)、(02081、汚泥濃縮状況、0、6050、0、-)、(02082、汚泥濃縮の状況、0、6051、0、-)、(02083、汚泥濃縮の状況、0、6053、0、-)、(02084、汚泥の堆積状況、0、6065、0、-)、(02085、汚泥の堆積量、0、6065、0、-)、(02086、汚泥搬出の必要性、0、6074、0、-)、(02087、汚泥搬出の必要性、0、6070、0、-)、(02088、汚泥引抜、0、6060、0、-)、(02065、汚水移送量(1系・2系合計)、0、6050、0、-)、(02066、汚水移送量調整、0、6055、0、-)、(02067、汚泥移送、0、6061、0、-)、(02068、汚泥移送状況、0、6050、0、-)、(02091、汚泥引抜搬出の必要性、0、6070、0、-)、(02092、汚泥分離状況、0、6050、0、-)、(02100、回転板の回転状況、0、6050、0、-)、(02101、回転板の目詰まり、0、6072、0、-)、(02102、回分工程、0、6063、0、-)、(02103、撹拌状況、0、6050、0、-)、(02104、撹拌装置の状況、0、6050、0、-)、(02105、撹拌の状況、0、6053、0、-)、(02106、撹拌の状況、0、6050、0、-)、(02096、汚泥返送量(1系)、0、6080、0、0)、(02097、汚泥返送量(3系)、0、6080、0、0)、(02098、汚物堆積・付着、0、6070、0、-)、(02108、カチオン残量、0、6065、0、-)、(02109、活性汚泥フロックの状態、0、6053、0、-)、(02110、逆洗、0、6059、0、-)、(02113、逆洗状況、0、6050、0、-)、(02114、逆洗の必要性、0、6059、0、-)、(02115、逆洗の必要性、0、6062、0、-)、(02094、汚泥返送量、0、6080、0、0)、(02117、逆洗ホ゜ンフ゜作動状況、0、6050、0、-)、(02122、凝集剤点滴状況、0、6050、0、-)、(02123、切替弁作動状況、0、6050、0、-)、(02124、均等循環の状況、0、6050、0、-)、(02127、計量能力、0、6050、0、-)、(02129、高分子滴下、0、6054、0、-)、(02130、固液分離状況、0、6050、0、-)、(02134、散気状況、0、6051、0、-)、(02135、散気装置作動状況、0、6050、0、-)、(02136、散気装置状況、0、6050、0、-)、(02137、散気装置の状況、0、6050、0、-)、(02144、し渣の量、0、6065、0、-)、(02145、自動運転状況、0、6050、0、-)、(02146、臭気の周囲への発散、0、6065、0、-)、(02147、臭気の周囲への発散、0、6064、0、-)、(02148、循環状況、0、6050、0、-)、(02149、循環水流入状況、0、6050、0、-)、(02141、残量、0、6065、0、-)、(02142、し渣掻き揚げ状況、0、6050、0、-)、(02151、循環ホ゜ンフ゜作動状況、0、6050、0、-)、(02158、除塵機状況、0、6050、0、-)、(02159、水位、0、6050、0、-)、(02160、水位異常の痕跡、0、6070、0、-)、(02161、水位状況、0、6050、0、-)、(02162、水位の異常上昇の痕跡、0、6070、0、-)、(02163、スカムスキマーの作動状況、0、6050、0、-)、(02164、スカムスキマーの状況、0、6050、0、-)、(02165、スカムの状況、0、6065、0、-)、(02166、スカムの発生、0、6065、0、-)、(02167、スカムの発生状況、0、6071、0、-)、(02168、スカムの発生状況、0、6065、0、-)、(02169、スクリーンかすの状況、0、6069、0、-)、(02170、スクリーンし渣の状況、0、6065、0、-)、(02171、スクリーンし渣の除去、0、6070、0、-)、(02186、堆積汚泥量、0、6064、0、-)、(02187、堆積汚泥量、0、6065、0、-)、(02188、対流状況、0、6050、0、-)、(02189、脱臭状況、0、6050、0、-)、(02190、脱臭の状況、0、6050、0、-)、(02191、脱水機連動運転の状況、0、6050、0、-)、(02192、脱水ケーキの状況、0、6050、0、-)、(02193、脱水状況、0、6050、0、-)、(02194、脱離液の状況、0、6053、0、-)、(02195、タンク状況、0、6050、0、-)、(02196、担体状況、0、6050、0、-)、(02197、貯留槽への汚泥引抜、0、6059、0、-)、(02198、沈砂堆積状況、0、6065、0、-)、(02199、沈砂の除去、0、6070、0、-)、(02200、沈砂の堆積状況、0、6065、0、-)、(02201、沈砂排出ホ゜ンフ゜作動状況、0、6052、0、-)、(02202、沈殿効果、0、6050、0、-)、(02203、沈殿槽からの汚泥移送、0、6059、0、-)、(02153、消毒剤接触状況、0、6055、0、-)、(02154、消毒剤接触状況、0、6050、0、-)、(02156、消毒状況、0、6052、0、-)、(02173、清掃の要、0、6074、0、-)、(02174、清掃の要、0、6070、0、-)、(02175、生物膜の生成状況、0、6050、0、-)、(02176、生物膜の肥大、0、6070、0、-)、(02180、洗浄状況、0、6050、0、-)、(02183、槽の破損、変形、漏水、0、6070、0、-)、(02205、ト゛レン水抜き、0、6059、0、-)、(02206、配管状況、0、6050、0、-)、(02207、配管等の状況、0、6050、0、-)、(02208、配管類状況、0、6050、0、-)、(02220、曝気装置の状況、0、6050、0、-)、(02221、発泡、0、6065、0、-)、(02222、発泡状況、0、6065、0、-)、(02223、微細目スクリーンかすの状況、0、6069、0、-)、(02224、浮上物、0、6065、0、-)、(02225、浮上物、堆積物状況、0、6065、0、-)、(02226、浮上物・発泡状況、0、6065、0、-)、(02227、浮上物及び汚泥の堆積状況、0、6065、0、-)、(02228、浮上物状況、0、6065、0、-)、(02229、浮遊汚泥、0、6065、0、-)、(02230、浮遊汚泥、0、6064、0、-)、(02231、浮遊汚泥、0、6066、0、-)、(02232、浮遊汚泥量、0、6065、0、-)、(02233、浮遊物質及び汚泥の堆積状況、0、6071、0、-)、(02234、浮遊物質及び汚泥の堆積状況、0、6065、0、-)、(02235、浮遊物質及び汚泥の堆積状況、0、6070、0、-)、(02236、フロックの状況、0、6050、0、-)、(02210、曝気エアー量、0、6050、0、-)、(02211、曝気撹拌状況、0、6052、0、-)、(02212、ばっ気撹拌装置No.1、0、6067、0、-)、(02213、ばっ気撹拌装置No.2、0、6067、0、-)、(02214、ばっ気撹拌装置No.3、0、6067、0、-)、(02215、ばっ気撹拌装置No.4、0、6067、0、-)、(02245、返送汚泥量の状況、0、6050、0、-)、(02254、ホ゜ンフ゜稼働状況、0、6050、0、-)、(02255、ホ゜ンフ゜作動状況、0、6050、0、-)、(02256、ホ゜ンフ゜に送り量かたよりないか、0、6050、0、-)、(02259、マンホール等の状況、0、6050、0、-)、(02265、薬品点滴状況、0、6050、0、-)、(02266、油脂堆積状況、0、6065、0、-)、(02267、油脂堆積量、0、6065、0、-)、(02268、油脂分離状況、0、6050、0、-)、(02269、揚水状況、0、6050、0、-)、(02273、流入状況、0、6050、0、-)、(02274、流量計、0、6050、0、-)、(02275、流量計メーター、0、6050、0、-)、(02276、流量調整装置の状況、0、6050、0、-)、(02277、流量調整槽への移送、0、6058、0、-)、(02278、レヘ゛ルスイッチ、0、6050、0、-)、(02279、レヘ゛ルスイッチの作動状況、0、6050、0、-)、(02280、漏気音、0、6050、0、-)、(02252、防錆剤補充、0、6057、0、-)、(02263、薬注状況、0、6050、0、-)、(02285、ろ過状況、0、6050、0、-)、(02286、ろ過水状況、0、6050、0、-)、(02287、ろ過タンク状況、0、6050、0、-)、(02296、汚泥堆積状況、0、6065、0、-)、(02291、ろ過流量調整、0、6055、0、-)、(02292、ろ材交換の必要性、0、6070、0、-)、(02293、ろ材の目詰まり、0、6070、0、-)、(02294、ろ材汚れ状況、0、6050、0、-)、(03013、pH、0、6050、0、-)、(03019、運転状況、0、6050、0、-)、(02289、ろ過ホ゜ンフ゜作動状況、0、6050、0、-)、(03032、透明度、0、6050、0、-)、(24、漏電、0、6001、0、99)、(25、(流入)点検桝の蓋の状況、0、60020、1)、(26、(流入)異物等の堆積又は付着、0、6001、0、2)、(27、(流入)滞水、0、6001、0、2)、(28、(流入)漏水、0、6001、0、2)、(29、(流出)点検桝の蓋の状況、0、60020、1)、(3、槽の水平保持、0、60021、1)、30、(流出)異物等の堆積又は付着、0、6001、0、2)、(31、(流出)滞水、0、6001、0、2)、(32、(流出)漏水、0、6001、0、2)、(33、ばっ気室内の旋回流の状況、0、60020、1)、(34、混合液の状況、0、60020、1)、(35、散気管の目詰り、回転羽根の異物、0、6001、0、2)、(36、沈殿室のスカムの状況、0、60020、1)、(37、スカムの発生状況、0、60020、1)、(38、ろ床への均等通水、異物の付着、0、60020、1)、(39、ろ床の嫌気性化の状況、0、60020、1)、(4、槽の破損・変形・亀裂、0、6001、1、2)、(40、付帯設備、0、6008、0、99)、(41、オイル、0、6010、0、99)、(42、フィルター、0、6004、0、1)、(43、ヘ゛ルト、0、6009、0、99)、(44、ヘ゛ルトの回転状況、0、60020、99)、(45、オイルの循環状況、0、60020、99)、(46、2基目のばっ気装置の状況、0、60020、1)、(47、沈殿分離室の状況、0、60020、1)、(48、接触材の生物膜の状況、0、60020、1)、(481、接触材の生物膜の状況(3次処理)、0、60020、99)、(49、逆洗、0、6003、0、1)、(491、逆洗(3次処理)、0、6003、0、99)、(5、槽の漏水、0、6001、1、2)、(12、異音、0、6001、1、2)、(13、風量、0、6007、1、1)、(14、1次処理、0、6001、1、2)、(15、2次処理、0、6001、1、2)、(16、3次処理、0、6001、1、99)、(17、色相、0、60(020、1)、(18、臭気、0、60(020、1)、(03039、ろ材の状況、0、6050、1、1)、(1、悪臭の周囲への発散、0、6001、1、2)、(10、消毒剤の接触状況、0、6006、1、1)、(2、異物の混入、0、6001、1、2)、(22、ホ゜ンフ゜設備の作動状況、0、60020、99(5001、天候、0、6081、1、1(51、沈殿分離室の状況、0、60020、1)、(61、汚泥蓄積の状況、0、60020、1)、(62、ろ材の状況、0、60020、1)、(63、移流状況、0、60020、1)、(64、汚泥蓄積の状況、0、60020、1)、(65、ろ材の状況、0、60020、1)、(66、移流状況、0、60020、1)、(67、旋回流の状況、0、60020、1)、(68、発泡の状況、0、60020、1)、(69、散気管の目詰まり、0、6001、0、2)、(7、スラフ゛の状況、0、60021、1)、(70、循環装置の状況、0、60020、1)、(71、沈殿槽・処理水槽の状況、0、60020、1)、(5555、作業内容、0、6079、0、1)、(59、亜硝酸、0、6005、0、1)、(6、マンホールの蓋・枠の状況、0、60021、1)、(73、担体流動生物ろ過槽の状況、0、60020、1)、(75、流量調整装置の状況、0、60020、1)、(76、タイマーユニットの状況、0、60020、1)、(77、逆洗装置の状況、0、60020、1)、(84、中継ホ゜ンフ゜槽・流入ホ゜ンフ゜、0、6001、0、2)、(85、油脂分離槽、0、6001、0、2)、(86、3次処理、0、6001、0、2)、(87、放流ホ゜ンフ゜、0、6001、0、2)、(89、1次処理、0、6012、0、1)、(9、汚泥蓄積状況、0、60021、1)、(90、2次処理、0、6012、0、1)、(91、付帯設備、0、6012、0、99)、(81、水張り、0、6003、0、99)、(82、使用車両、0、6011、0、1)、(8、清掃汚泥量、1、40、1、0)、(60、溶存酸素、1、44、0、-)、(56、水道メー
ター、1、46、0、-)、(57、日平均汚水量、1、47、0、-)、(58、残留塩素、1、44、0、-)、(5002、気温、1、42、0、-)、(23、絶縁抵抗値、1、45、0、99999)、(20、透明度、1、43、0、-)、(21、水素イオン、1、-、0、-)、(11、消毒剤の補充状況、1、41、1、-(19、水温、1、42、0、-)、(03035、稼働時間(h)、1、99、0、-)、(02295、汚泥移送量、1、97、0、-)、(02288、ろ過ホ゜ンフ゜移送量、1、79、0、-)、(02264、薬品残量、1、17、0、-)、(02253、ホ゜ンフ゜稼働時間、1、80、0、-)、(02281、ろ過機出圧力、1、82、0、-)、(02282、ろ過機出流量、1、79、0、-)、(02283、ろ過機入圧力、1、82、0、-)、(02284、ろ過機入流量、1、79、0、-)、(02270、溶存酸素量(DO)、1、44、0、-)、(02271、余剰汚泥流量、1、47、0、-)、(02272、余剰汚泥流量、1、96、0、-)、(02260、水逆洗、1、94、0、-)、(02261、水抜き、1、94、0、-)、(02262、メタノール、1、22、0、-)、(02257、膜間差圧No.1、1、76、0、-)、(02258、膜間差圧No.2、1、76、0、-)、(02246、返送時間、1、88、0、-)、(02247、返送時間、1、90、0、-)、(02248、返送率、1、74、0、-)、(02249、返送率(1系)、1、74、0、-)、(02250、返送率(3系)、1、74、0、-)、(02033、SVI(無希釈)、1、99、0、-)、(02219、曝気時間、1、90、0、-)、(02242、返送汚泥のMLSS、1、44、0、-)、(02243、返送汚泥流量、1、47、0、-)、(02244、返送汚泥量、1、79、0、-)、(02216、曝気サイクル撹拌、1、97、0、-)、(02217、曝気サイクル曝気、1、97、0、-)、(02237、フ゛ロワー風量、1、78、0、-)、(02209、曝気運転時間、1、90、0、-)、(02184、送風量、1、78、0、-)、(02185、堆積汚泥層、1、77、0、-)、(02181、倉庫 塩素在庫数、1、22、0、-)、(02182、倉庫 PAC在庫数、1、22、0、-)、(02177、積算運転時間、1、80、0、-)、(02178、前回のろ材交換、1、81、0、-)、(02179、洗浄、1、94、0、-)、(02157、消毒薬剤の補給、1、12、0、-)、(02155、消毒剤補充量、1、12、0、-)、(02204、電磁流量計表示値、1、18、0、-)、(02172、スクリーンし渣の除去量、1、17、0、-)、(02143、し渣の除去量、1、17、0、-)、(02138、残留塩素、1、44、0、-)、(02139、残留塩素、1、44、0、-)、(02140、残留塩素濃度、1、44、0、-)、(02131、三角堰越流水深、1、43、0、-)、(02132、三角堰越流流量、1、79、0、-)、(02133、三角堰の越流水深、1、43、0、-)、(02128、高分子凝集剤タンク残量、1、17、0、-)、(02119、吸引サイクル、1、87、0、-)、(02120、吸引サイクル、1、86、0、-)、(02121、凝集剤添加状況、1、93、0、-)、(02125、空気量、1、78、0、-)、(02126、計量器、1、79、0、-)、(02095、汚泥返送量、1、75、0、-)、(02111、逆洗回数、1、84、0、-)、(02112、逆洗回数、1、85、0、-)、(02099、開始時間、1、80、0、-)、(02107、苛性ソータ゛、1、22、0、-)、(02093、汚泥返送率、1、74、0、-)、(02071、汚泥界面(水面から)、1、20、0、-)、(02072、汚泥界面(水面から)、1、43、0、-)、(02069、汚泥移送量、1、79、0、-)、(02089、汚泥引抜時間、1、96、0、-)、(02090、汚泥引抜時間、1、92、0、-)、(02063、汚水移送量、1、79、0、-)、(02064、汚水移送量、1、98、0、-)、(02059、塩素注入量、1、83、0、-)、(02050、エア逆洗、1、94、0、-)、(02055、塩化第二鉄、1、22、0、-)、(02056、塩素剤補充量、1、12、0、-)、(02057、塩素残量、1、17、0、-)、(02047、運転時間設定、1、90、0、-)、(02024、PACタンク残量、1、17、0、-)、(02031、SVI(2倍希釈)、1、99、0、-)、(02026、PAC注入量、1、83、0、-)、(02027、PAC補充量、1、22、0、-)、(02028、SV30分値、1、74、0、-)、(02014、No.1濾過流量、1、79、0、-)、(02015、No.2活性炭吸着塔逆洗回数、1、84、0、-)、(02016、No.2ホ゜ンフ゜移送量、1、79、0、-)、(02(021、No.2濾過流量、1、79、0、-)、(02(022、PAC残量、1、17、0、-)、(02002、30分SV値、1、74、0、-)、(02003、30分SV値(2倍希釈)、1、74、0、-)、(02004、30分SV値(無希釈)、1、74、0、-)、(02005、60分SV値(2倍希釈)、1、74、0、-)、(02006、60分SV値(無希釈)、1、74、0、-)、(02008、No.1活性炭吸着塔逆洗回数、1、84、0、-)、(02009、No.1ホ゜ンフ゜移送量、1、79、0、-)、(02000、1系汚泥貯留槽液位、2、-、0、-)、(02001、2系汚泥貯留槽液位、2、-、0、-)、(02007、MLSS濃度、2、-、0、-)、(02020、No.2ホ゜ンフ゜稼働時間、2、-、0、-)、(02013、No.1ホ゜ンフ゜稼働時間、2、-、0、-)、(02029、SVI、2、-、0、-)、(02030、SVI(1系)、2、-、0、-)、(02032、SVI(3系)、2、-、0、-)、(02039、移送時間、2、-、0、-)、(02070、汚泥移送量、2、-、0、-)、(02118、逆洗流量、2、-、0、-)、(02116、逆洗頻度、2、-、0、-)、(02152、循環率、2、-、0、-)、(02150、循環水量、2、-、0、-)、(02239、返送MLSS濃度、2、-、0、-)、(02240、返送MLSS濃度(1系)、2、-、0、-)、(02241、返送MLSS濃度(3系)、2、-、0、-)、(02218、曝気時間、2、-、0、-)、(02251、返送量、2、-、0、-)、(03014、SV(%)、2、-、0、-)、(03016、亜硝酸性窒素、2、-、0、-)、(03018、アンモニア性窒素、2、-、0、-)、(03001、30分SV値、2、-、0、-)、(03003、DO(mg/L)、2、-、0、-)、(03004、DO(mg/1)(撹拌工程終了時)、2、-、0、-)、(03005、DO(mg/1)(ばっ気工程終了時)、2、-、0、-)、(03006、kPa、2、-、0、-)、(03008、MLSS(mg/L)、2、-、0、-)、(03009、備考(MΩ)、2、-、0、-)、(03011、ORP(mV)、2、-、0、-)、(03012、pH、2、-、0、-)、(03036、No.1ホ゜ンフ゜稼働時間積算、2、-、0、-)、(03037、No.2ホ゜ンフ゜稼働時間積算、2、-、0、-)、(03038、逆洗開始時間、2、-、0、-)、(03033、ろ過圧力、2、-、0、-)、(03034、運転状況、2、-、0、-)、(02290、ろ過流量、2、-、0、-)、(03020、汚泥界面、2、-、0、-)、(03021、外観、2、-、0、-)、(03022、嫌気DO(mg/1)、2、-、0、-)、(03023、好気DO(mg/1)、2、-、0、-)、(03024、色相、2、-、0、-)、(03025、臭気、2、-、0、-)、(03027、硝酸性窒素、2、-、0、-)、(03028、水温(℃)、2、-、0、-)、(03029、電流値(A)、2、-、0、-)、(03031、透明度、2、-、0、-)、(5003、前回汚泥搬出、2、-、0、-)、(5004、実水量、2、-、0、-)、(88、-、2、-、0、-)、(83、-、2、-、0、-)、(74、-、3、-、0、-)、(52、ばっ気室は全ばっ気式に準ずる、3、-、0、-)、(53、-、3、-、0、-)、(54、-、3、-、0、-)、(55、他の項目は全ばっ気式に準ずる、3、-、0、-)、(72、-、3、-、0、-)、(50、接触ばっ気室は全ばっ気式に準ずる、3、-、0、-)
【００６４】
印字明細マスタ１０６ｅにおける具体的なデータ内容（帳票レイアウトコード、分類コード、行番号、項目コード）は、例えば、以下のとおりである。なお、−は、入力情報がないことを意味する。
【００６５】
(1、1、1、8)、(1、1、2、81)、(1、1、3、82)、(1、1、4、83)、(1、2、5、1)、(1、2、6、2)、(1、2、7、3)、(1、2、8、4)、(1、2、9、5)、(1、2、10、6)、(1、2、11、7)、(1、3、12、9)、(1、3、13、10)、(1、3、14、11)、(1、4、15、12)、(1、4、16、13)、(1、5、17、14)、(1、5、18、15)、(1、5、19、16)、(1、6、20、84)、(1、6、21、85)、(1、6、22、86)、(1、6、23、87)、(1、6、24、88)、(1、7、25、89)、(1、7、26、90)、(1、7、27、91)、(2、1、1、17)、(2、1、2、18)、(2、1、3、19)、(2、1、4、20)、(2、1、5、21)、(2、10、6、14)、(2、10、7、15)、(2、10、8、16)、(2、2、9、1)、(2、2、10、2)、(2、2、11、3)、(2、2、12、4)、(2、2、13、5)、(2、2、14、6)、(2、2、15、7)、(2、2、16、22)、(2、2、17、23)、(2、2、18、24)、(2、2、19、25)、(2、2、20、26)、(2、2、21、27)、(2、2、22、28)、(2、2、23、29)、(2、2、24、30)、(2、2、25、31)、(2、2、26、32)、(2、3、27、33)、(2、3、28、34)、(2、3、29、35)、(2、3、30、36)、(2、4、31、37)、(2、4、32、38)、(2、4、33、39)、(2、5、34、9)、(2、5、35、10)、(2、5、36、11)、(2、6、37、12)、(2、6、38、13)、(2、6、39、42)、(2、6、40、43)、(2、6、41、44)、(2、6、42、41)、(2、6、43、45)、(2、7、44、47)、(2、7、45、48)、(2、7、46、49)、(2、7、47、50)、(2、8、48、51)、(2、8、49、52)、(2、9、50、481)、(2、9、51、491)、(2、9、52、55)、(3、1、1、56)、(3、1、2、57)、(3、2、3、17)、(3、2、4、18)、(3、2、5、19)、(3、2、6、20)、(3、2、7、21)、(3、2、8、58)、(3、2、9、59)、(3、2、10、60)、(3、3、11、1)、(3、3、12、2)、(3、3、13、3)、(3、3、14、4)、(3、3、15、5)、(3、3、16、6)、(3、3、17、7)、(3、3、18、22)、(3、3、19、23)、(3、3、20、24)、(3、3、21、25)、(3、3、22、26)、(3、3、23、27)、(3、3、24、28)、(3、3、25、29)、(3、3、26、30)、(3、3、27、31)、(3、3、28、32)、(3、4、29、61)、(3、4、30、62)、(3、4、31、63)、(3、4、32、49)、(3、5、33、64)、(3、5、34、65)、(3、5、35、66)、(3、5、36、-)、(3、6、37、67)、(3、6、38、68)、(3、6、39、69)、(3、6、40、70)、(3、6、41、71)、(3、6、42、48)、(3、6、43、73)、(3、6、44、49)、(3、6、45、75)、(3、6、46、-)、(3、7、47、9)、(3、7、48、10)、(3、7、49、11)、(3、8、50、14)、(3、8、51、15)、(3、8、52、)、(3、9、53、12)、(3、9、54、13)、(3、9、55、42)、(3、9、56、43)、(3、9、57、44)、(3、9、58、41)、(3、9、59、45)、(3、9、60、76)、(3、9、61、77)、(3、9、62、-)、(4、1、1、56)、(4、1、2、57)、(4、2、3、17)、(4、2、4、18)、(4、2、5、19)、(4、2、6、20)、(4、2、7、21)、(4、2、8、58)、(4、2、9、59)、(4、2、10、60)、(4、3、11、1)、(4、3、12、2)、(4、3、13、3)、(4、3、14、4)、(4、3、15、5)、(4、3、16、6)、(4、3、17、7)、(4、3、18、22)、(4、3、19、23)、(4、3、20、24)、(4、3、21、25)、(4、3、22、26)、(4、3、23、27)、(4、3、24、28)、(4、3、25、29)、(4、3、26、30)、(4、3、27、31)、(4、3、28、32)、(4、4、29、61)、(4、4、30、62)、(4、4、31、63)、(4、4、32、49)、(4、5、33、-)、(4、5、34、-)、(4、5、35、-)、(4、5、36、-)、(4、6、37、67)、(4、6、38、68)、(4、6、39、69)、(4、6、40、70)、(4、6、41、71)、(4、6、42、48)、(4、6、43、-)、(4、6、44、-)、(4、6、45、-)、(4、6、46、-)、(4、7、47、9)、(4、7、48、10)、(4、7、49、11)、(4、8、50、14)、(4、8、51、15)、(4、8、52、-)、(4、9、53、40)、(4、9、54、41)、(4、9、55、42)、(4、9、56、43)、(4、9、57、44)、(4、9、58、45)、(4、9、59、76)、(4、9、60、77)、(4、9、61、-)、(4、9、62、-)、(99、-、1、5001)、(A1、-、1、-)、(A1、-、2、-)、(A1、-、3、-)、(A1、-、4、-)、(A1、-、5、-)���(A1、-、6、-)、(A1、-、7、-)、(A1、-、8、-)、(A1、-、9、-)、(A1、-、10、-)、(A1、-、11、-)、(A1、-、12、-)、(A1、-、13、-)、(A1、-、14、-)、(A1、-、15、-)、(A1、-、16、-)、(A1、-、17、-)、(A1、-、18、-)、(A1、-、19、-)、(A1、-、20、-)、(A1、-、21、-)、(A1、-、22、-)、(A1、-、23、-)、(A1、-、24、-)、(A1、-、25、-)、(A1、-、26、-)、(A1、-、27、-)、(A1、-、28、-)、(A1、-、29、-)、(A1、-、30、-)、(A1、-、31、-)、(A1、-、32、-)、(A1、-、33、-)、(A1、1、34、5001)、(A1、1、35、5002)、(A1、1、36、5003)、(A1、1、37、5004)、(A1、2I、38、03024)、(A1、2I、39、03025)、(A1、2I、40、03028)、(A1、2I、41、03012)、(A1、2I、42、03018)、(A1、2I、43、03016)、(A1、2I、44、03027)、(A1、2I、45、03031)、(A1、2L、46、03024)、(A1、2L、47、03025)、(A1、2L、48、03028)、(A1、2L、49、03012)、(A1、2L、50、03018)、(A1、2L、51、03016)、(A1、2L、52、03027)、(A1、2L、53、03031)、(A1、2M、54、03024)、(A1、2M、55、03025)、(A1、2M、56、03028)、(A1、2M、57、03012)、(A1、2M、58、03018)、(A1、2M、59、03016)、(A1、2M、60、03027)、(A1、2M、61、03031)、(A1、2Q、62、03024)、(A1、2Q、63、03025)、(A1、2Q、64、03028)、(A1、2Q、65、03012)、(A1、2Q、66、03018)、(A1、2Q、67、03016)、(A1、2Q、68、03027)、(A1、2Q、69、03031)、(A1、BM、70、03029)、(A1、BM、71、03019)、(A1、BM、72、03009)、(A1、CF、73、03029)、(A1、CF、74、03019)、(A1、CF、75、03009)、(A1、CG、76、03029)、(A1、CG、77、03019)、(A1、CG、78、03009)、(A1、CU、79、03029)、(A1、CU、80、03019)、(A1、CU、81、03009)、(A1、CW、82、03029)、(A1、CW、83、03019)、(A1、CW、84、03009)、(A1、DG、85、03029)、(A1、DG、86、03019)、(A1、DG、87、03009)、(A1、DH、88、03029)、(A1、DH、89、03019)、(A1、DH、90、03009)、(A1、DM、91、03029)、(A1、DM、92、03019)、(A1、DM、93、03009)、(A1、E5、94、03029)、(A1、E5、95、03019)、(A1、E5、96、03009)、(A1、E7、97、03029)、(A1、E7、98、03019)、(A1、E7、99、03009)、(A1、E8、100、03029)、(A1、E8、101、03019)、(A1、E8、102、03009)、(A1、EX、103、03029)、(A1、EX、104、03019)、(A1、EX、105、03009)、(A1、EY、106、03029)、(A1、EY、107、03019)、(A1、EY、108、03009)、(A1、F0、109、03029)、(A1、F0、110、03019)、(A1、F0、111、03009)、(A1、F1、112、03029)、(A1、F1、113、03019)、(A1、F1、114、03009)、(A1、F4、115、03029)、(A1、F4、116、03019)、(A1、F4、117、03009)、(A1、F6、118、03029)、(A1、F6、119、03019)、(A1、F6、120、03009)、(A1、F9、121、03029)、(A1、F9、122、03019)、(A1、F9、123、03009)、(A1、FA、124、03029)、(A1、FA、125、03019)、(A1、FA、126、03009)、(A1、FO、127、03029)、(A1、FO、128、03019)、(A1、FO、129、03009)、(A1、FP、130、03029)、(A1、FP、131、03019)、(A1、FP、132、03009)、(A1、GA、133、03029)、(A1、GA、134、03019)、(A1、GA、135、03009)、(A1、HF、136、03029)、(A1、HF、137、03019)、(A1、HF、138、03009)、(A1、HH、139、03029)、(A1、HH、140、03019)、(A1、HH、141、03009)、(A1、P0、142、02146)、(A1、P0、143、02259)、(A1、P0、144、02207)、(A1、P0、145、02183)、(A1、P0、146、02052)、(A1、Q7、147、02075)、(A1、QB、148、02081)、(A1、QE、149、02218)、(A1、QE、150、02210)、(A1、QE、151、02270)、(A1、QE、152、02049)、(A1、QE、153、02136)、(A1、QE、154、02188)、(A1、QE、155、02222)、(A1、QE、156、02007)、(A1、QE、157、02002)、(A1、QE、158、02029)、(A1、QO、159、02225)、(A1、QO、160、02278)、(A1、QO、161、02103)、(A1、QO、162、02061)、(A1、R0、163、02140)、(A1、R0、164、02060)、(A1、R0、165、02056)、(A1、RQ、166、02130)、(A1、RQ、167、02165)、(A1、RQ、168、02094)、(A1、RQ、169、02246)、(A1、RQ、170、02248)、(A1、RQ、171、02239)、(A1、S1、172、02278)、(A1、S7、173、02273)、(A1、S7、174、02169)、(A1、S7、175、02198)、(A1、S9、176、02225)、(A1、S9、177、02278)、(A1、S9、178、02103)、(A1、S9、179、02010)、(A1、S9、180、02013)、(A1、S9、181、02017)、(A1、S9、182、02020)、(A2、-、1、-)、(A2、-、2、-)、(A2、-、3、-)、(A2、-、4、-)、(A2、-、5、-)、(A2、-、6、-)、(A2、-、7、-)、(A2、-、8、-)、(A2、-、9、-)、(A2、-、10、-)、(A2、-、11、-)、(A2、-、12、-)、(A2、-、13、-)、(A2、-、14、-)、(A2、-、15、-)、(A2、-、16、-)、(A2、-、17、-)、(A2、-、18、-)、(A2、-、19、-)、(A2、-、20、-)、(A2、-、21、-)、(A2、-、22、-)、(A2、-、23、-)、(A2、-、24、-)、(A2、01、25、5001)、(A2、01、26、5002)、(A2、01、27、5003)、(A2、01、28、5004)、(A2、1X、29、03024)、(A2、1X、30、03025)、(A2、1X、31、03028)、(A2、1X、32、03012)、(A2、1X、33、03018)、(A2、1X、34、03016)、(A2、1X、35、03027)、(A2、1X、36、03031)、(A2、24、37、03024)、(A2、24、38、03025)、(A2、24、39、03028)、(A2、24、40、03012)、(A2、24、41、03018)、(A2、24、42、03016)、(A2、24、43、03027)、(A2、24、44、03031)、(A2、2L、45、03024)、(A2、2L、46、03025)、(A2、2L、47、03028)、(A2、2L、48、03012)、(A2、2L、49、03018)、(A2、2L、50、03016)、(A2、2L、51、03027)、(A2、2L、52、03031)、(A2、2M、53、03024)、(A2、2M、54、03025)、(A2、2M、55、03028)、(A2、2M、56、03012)、(A2、2M、57、03018)、(A2、2M、58、03016)、(A2、2M、59、03027)、(A2、2M、60、03031)、(A2、2Q、61、03024)、(A2、2Q、62、03025)、(A2、2Q、63、03028)、(A2、2Q、64、03012)、(A2、2Q、65、03018)、(A2、2Q、66、03016)、(A2、2Q、67、03027)、(A2、2Q、68、03031)、(A2、BM、69、03029)、(A2、BM、70、03019)、(A2、BM、71、03009)、(A2、CF、72、03029)、(A2、CF、73、03019)、(A2、CF、74、03009)、(A2、CG、75、03029)、(A2、CG、76、03019)、(A2、CG、77、03009)、(A2、CU、78、03029)、(A2、CU、79、03019)、(A2、CU、80、03009)、(A2、CW、81、03029)、(A2、CW、82、03019)、(A2、CW、83、03009)、(A2、DG、84、03029)、(A2、DG、85、03019)、(A2、DG、86、03009)、(A2、DH、87、03029)、(A2、DH、88、03019)、(A2、DH、89、03009)、(A2、DM、90、03029)、(A2、DM、91、03019)、(A2、DM、92、03009)、(A2、E5、93、03029)、(A2、E5、94、03019)、(A2、E5、95、03009)、(A2、E7、96、03029)、(A2、E7、97、03019)、(A2、E7、98、03009)、(A2、E8、99、03029)、(A2、E8、100、03019)、(A2、E8、101、03009)、(A2、EX、102、03029)、(A2、EX、103、03019)、(A2、EX、104、03009)、(A2、EY、105、03029)、(A2、EY、106、03019)、(A2、EY、107、03009)、(A2、F0、108、03029)、(A2、F0、109、03019)、(A2、F0、110、03009)、(A2、F1、111、03029)、(A2、F1、112、03019)、(A2、F1、113、03009)、(A2、F4、114、03029)、(A2、F4、115、03019)、(A2、F4、116、03009)、(A2、F6、117、03029)、(A2、F6、118、03019)、(A2、F6、119、03009)、(A2、F9、120、03029)、(A2、F9、121、03019)、(A2、F9、122、03009)、(A2、FA、123、03029)、(A2、FA、124、03019)、(A2、FA、125、03009)、(A2、FO、126、03029)、(A2、FO、127、03019)、(A2、FO、128、03009)、(A2、FP、129、03029)、(A2、FP、130、03019)、(A2、FP、131、03009)、(A2、GA、132、03029)、(A2、GA、133、03019)、(A2、GA、134、03009)、(A2、HF、135、03029)、(A2、HF、136、03019)、(A2、HF、137、03009)、(A2、HH、138、03029)、(A2、HH、139、03019)、(A2、HH、140、03009)、(A2、P0、141、02146)、(A2、P0、142、02259)、(A2、P0、143、02207)、(A2、P0、144、02183)、(A2、P0、145、02052)、(A2、Q7、146、02075)、(A2、QB、147、02081)、(A2、QO、148、02225)、(A2、QO、149、02278)、(A2、QO、150、02103)、(A2、R0、151、02140)、(A2、R0、152、02060)、(A2、R0、153、02056)、(A2、R7、154、02218)、(A2、R7、155、02210)、(A2、R7、156、02136)、(A2、R7、157、02188)、(A2、R7、158、02049)、(A2、R7、159、02222)、(A2、R9、160、02270)、(A2、R9、161、02110)、(A2、R9、162、02232)、
(A2、RB、163、02130)、(A2、RB、164、02165)、(A2、RB、165、02067)、(A2、RC、166、02270)、(A2、RC、167、02110)、(A2、RC、168、02232)、(A2、RD、169、02130)、(A2、RD、170、02165)、(A2、RD、171、02067)、(A2、S1、172、02278)、(A2、S7、173、02273)、(A2、S7、174、02169)、(A2、S7、175、02198)、(A2、S9、176、02225)、(A2、S9、177、02278)、(A2、S9、178、02103)、(A2、S9、179、02010)、(A2、S9、180、02013)、(A2、S9、181、02017)、(A2、S9、182、02020)、(A3、-、1、-)、(A3、-、2、-)、(A3、-、3、-)、(A3、-、4、-)、(A3、-、5、-)、(A3、-、6、-)、(A3、-、7、-)、(A3、-、8、-)、(A3、-、9、-)、(A3、-、10、-)、(A3、-、11、-)、(A3、-、12、-)、(A3、-、13、-)、(A3、-、14、-)、(A3、-、15、-)、(A3、-、16、-)、(A3、-、17、-)、(A3、-、18、-)、(A3、-、19、-)、(A3、-、20、-)、(A3、-、21、-)、(A3、-、22、-)、(A3、-、23、-)、(A3、-、24、-)、(A3、-、25、-)、(A3、-、26、-)、(A3、-、27、-)、(A3、-、28、-)、(A3、-、29、-)、(A3、-、30、-)、(A3、-、31、-)、(A3、-、32、-)、(A3、-、33、-)、(A3、-、34、-)、(A3、-、35、-)、(A3、-、36、-)、(A3、-、37、-)、(A3、-、38、-)、(A3、-、39、-)、(A3、-、40、-)、(A3、-、41、-)、(A3、-、42、-)、(A3、-、43、-)、(A3、-、44、-)、(A3、-、45、-)、(A3、-、46、-)、(A3、-、47、-)、(A3、-、48、-)、(A3、-、49、-)、(A3、-、50、-)、(A3、-、51、-)、(A3、-、52、-)、(A3、-、53、-)、(A3、-、54、-)、(A3、-、55、-)、(A3、-、56、-)、(A3、-、57、-)、(A3、-、58、-)、(A3、-、59、-)、(A3、-、60、-)、(A3、-、61、-)、(A3、-、62、-)、(A3、-、63、-)、(A3、-、64、-)、(A3、-、65、-)、(A3、-、66、-)、(A3、-、67、-)、(A3、-、68、-)、(A3、-、69、-)、(A3、-、70、-)、(A3、-、71、-)、(A3、-、72、-)、(A3、-、73、-)、(A3、-、74、-)、(A3、-、75、-)、(A3、-、76、-)、(A3、-、77、-)、(A3、-、78、-)、(A3、-、79、-)、(A3、-、80、-)、(A3、-、81、-)、(A3、-、82、-)、(A3、-、83、-)、(A3、-、84、-)、(A3、-、85、-)、(A3、-、86、-)、(A3、-、87、-)、(A3、-、88、-)、(A3、-、89、-)、(A3、-、90、-)、(A3、-、91、-)、(A3、-、92、-)、(A3、-、93、-)、(A3、-、94、-)、(A3、-、95、-)、(A3、-、96、-)、(A3、-、97、-)、(A3、-、98、-)、(A3、-、99、-)、(A3、-、100、-)、(A3、-、101、-)、(A3、-、102、-)、(A3、-、103、-)、(A3、01、104、5001)、(A3、01、105、5002)、(A3、01、106、5003)、(A3、01、107、5004)、(A3、2C、108、03024)、(A3、2C、109、03025)、(A3、2C、110、03028)、(A3、2C、111、03012)、(A3、2C、112、03031)、(A3、2C、113、-)、(A3、2C、114、-)、(A3、2C、115、-)、(A3、2L、116、03024)、(A3、2L、117、03025)、(A3、2L、118、03028)、(A3、2L、119、03012)、(A3、2L、120、03031)、(A3、2L、121、-)、(A3、2L、122、-)、(A3、2L、123、-)、(A3、2Q、124、03024)、(A3、2Q、125、03025)、(A3、2Q、126、03028)、(A3、2Q、127、03012)、(A3、2Q、128、03031)、(A3、2Q、129、-)、(A3、2Q、130、-)、(A3、2Q、131、-)、(A3、F4、132、03029)、(A3、F4、133、03019)、(A3、F4、134、03009)、(A3、F6、135、03029)、(A3、F6、136、03019)、(A3、F6、137、03009)、(A3、H0、138、03029)、(A3、H0、139、03019)、(A3、H0、140、03009)、(A3、Hf、141、03029)、(A3、Hf、142、03019)、(A3、Hf、143、03009)、(A3、HH、144、03029)、(A3、HH、145、03019)、(A3、HH、146、03009)、(A3、P0、147、02146)、(A3、P0、148、02259)、(A3、P0、149、02207)、(A3、P0、150、02183)、(A3、P0、151、02273)、(A3、P0、152、02045)、(A3、P0、153、02052)、(A3、P0、154、02087)、(A3、Q7、155、02081)、(A3、Q7、156、02296)、(A3、Q7、157、02087)、(A3、Q7、158、02104)、(A3、QY、159、02154)、(A3、QY、160、02140)、(A3、QY、161、02155)、(A3、RQ、162、02092)、(A3、RQ、163、02165)、(A3、RQ、164、02053)、(A3、RQ、165、02244)、(A3、RQ、166、02197)、(A3、RQ、167、02296)、(A3、RQ、168、02048)、(A3、RU、169、02188)、(A3、RU、170、02137)、(A3、RU、171、02049)、(A3、RU、172、02028)、(A3、RU、173、02007)、(A3、RU、174、02270)、(A3、S1、175、02278)、(A3、S9、176、02224)、(A3、S9、177、02278)、(A3、S9、178、02103)、(A3、S9、179、02009)、(A3、S9、180、02013)、(A3、S9、181、02016)、(A3、S9、182、02020)、(A4、-、1、-)、(A4、-、2、-)、(A4、-、3、-)、(A4、-、4、-)、(A4、-、5、-)、(A4、-、6、-)、(A4、-、7、-)、(A4、-、8、-)、(A4、-、9、-)、(A4、-、10、-)、(A4、-、11、-)、(A4、-、12、-)、(A4、-、13、-)、(A4、-、14、-)、(A4、-、15、-)、(A4、-、16、-)、(A4、-、17、-)、(A4、-、18、-)、(A4、-、19、-)、(A4、-、20、-)、(A4、-、21、-)、(A4、-、22、-)、(A4、-、23、-)、(A4、-、24、-)、(A4、-、25、-)、(A4、-、26、-)、(A4、-、27、-)、(A4、-、28、-)、(A4、-、29、-)、(A4、-、30、-)、(A4、-、31、-)、(A4、-、32、-)、(A4、-、33、-)、(A4、-、34、-)、(A4、-、35、-)、(A4、-、36、-)、(A4、-、37、-)、(A4、-、38、-)、(A4、-、39、-)、(A4、-、40、-)、(A4、-、41、-)、(A4、-、42、-)、(A4、-、43、-)、(A4、-、44、-)、(A4、-、45、-)、(A4、-、46、-)、(A4、-、47、-)、(A4、-、48、-)、(A4、-、49、-)、(A4、-、50、-)、(A4、-、51、-)、(A4、-、52、-)、(A4、-、53、-)、(A4、-、54、-)、(A4、-、55、-)、(A4、-、56、-)、(A4、-、57、-)、(A4、-、58、-)、(A4、-、59、-)、(A4、-、60、-)、(A4、-、61、-)、(A4、-、62、-)、(A4、-、63、-)、(A4、-、64、-)、(A4、-、65、-)、(A4、-、66、-)、(A4、-、67、-)、(A4、-、68、-)、(A4、-、69、-)、(A4、-、70、-)、(A4、-、71、-)、(A4、-、72、-)、(A4、-、73、-)、(A4、-、74、-)、(A4、-、75、-)、(A4、-、76、-)、(A4、-、77、-)、(A4、-、78、-)、(A4、-、79、-)、(A4、-、80、-)、(A4、-、81、-)、(A4、-、82、-)、(A4、-、83、-)、(A4、-、84、-)、(A4、-、85、-)、(A4、-、86、-)、(A4、-、87、-)、(A4、-、88、-)、(A4、-、89、-)、(A4、-、90、-)、(A4、-、91、-)、(A4、-、92、-)、(A4、-、93、-)、(A4、-、94、-)、(A4、-、95、-)、(A4、-、96、-)、(A4、-、97、-)、(A4、-、98、-)、(A4、-、99、-)、(A4、-、100、-)、(A4、-、101、-)、(A4、-、102、-)、(A4、-、103、-)、(A4、-、104、-)、(A4、-、105、-)、(A4、-、106、-)、(A4、-、107、-)、(A4、-、108、-)、(A4、-、109、-)、(A4、-、110、-)、(A4、-、111、-)、(A4、-、112、-)、(A4、-、113、-)、(A4、-、114、-)、(A4、-、115、-)、(A4、-、116、-)、(A4、-、117、-)、(A4、-、118、-)、(A4、-、119、-)、(A4、-、120、-)、(A4、-、121、-)、(A4、-、122、-)、(A4、-、123、-)、(A4、-、124、-)、(A4、01、125、5001)、(A4、01、126、5002)、(A4、01、127、5003)、(A4、01、128、5004)、(A4、B8、129、03029)、(A4、B8、130、03019)、(A4、B8、131、03009)、(A4、B9、132、03029)、(A4、B9、133、03019)、(A4、B9、134、03009)、(A4、DP、135、03029)、(A4、DP、136、03019)、(A4、DP、137、03009)、(A4、DQ、138、03029)、(A4、DQ、139、03019)、(A4、DQ、140、03009)、(A4、IJ、141、03035)、(A4、IJ、142、03019)、(A4、IK、143、03035)、(A4、IK、144、03019)、(A4、IL、145、03035)、(A4、IL、146、03019)、(A4、IM、147、03035)、(A4、IM、148、03019)、(A4、IN、149、03035)、(A4、IN、150、03034)、(A4、IN、151、03035)、(A4、IN、152、03034)、(A4、IN、153、03035)、(A4、IN、154、03034)、(A4、IN、155、03035)、(A4、IN、156、03034)、(A4、PA、157、02280)、(A4、PA、158、02098)、(A4、PB、159、02280)、(A4、PB、160、02098)、(A4、PC、161、02280)、(A4、PC、162、02098)、(A4、PD、163、02280)、(A4、PD、164、02098)、(A4、PE、165、02280)、(A4、PE、166、02098)、(A4、PN、167、02280)、(A4、PN、168、02098)、(A4、PS、169、02280)、(A4、PS、170、02098)、(A4、PT、171、02280)、(A4、PT、172、02098)、(A4、PU、173、02280)、(A4、PU、174、02098)、(A4、PV、175、02280)、(A4、PV、176、02098)、(A4、PW、177、02280)、(A4、PW、178、02098)、(A4、PX、179、02280)、(A4、PX、180、02098)、(A4、PY、181、02280)、(A4、PY、182、02098)、(A5、-、1、-)、(A5、-、2、-)、(A5、-、3、-)、(A5、-、4、-)、(A5、-、5、-)、(A5、-、6、-)、(A5、-、7、-)、(A5、-、8、-)、(A5、-、9、-)、(A5、-、10、-)、(A5、-、11、-)、(A5、-、12、-)、(A5、-、13、-)、(A5、-、14、-)、(A5、-、15、-)、(A5、-、16、-)、(A5、-、17、-)、(A5、-、18、-)、(A5、-、19、-)、(A5、-、20、-)、(A5、-、21、-)、(A5、-、22、-)、(A5、-、23、-)、(A5、-、24、-)、(A5、-、25、-)、(A5、-、26、-)、(A5、-、27、-)、(A5、-、28、-)、(A5、-、29、-)、(A5、-、30、-)、(A5、-、31、-)、(A5、01、32、5001)、(A5、01、33、5002)、(A5、01、34、5003)、(A5、01、35、5004)、(A5、1G、36、03021)、(A5、1G、37、03025)、(A5、1G、38、03028)、(A5、1G、39、03012)、(A5、1G、40、03003)、(A5、1G、41、03008)、(A5、1G、42、03031)、(A5、1G、43、-)、(A5、1H、44、03021)、(A5、1H、45、03025)、(A5、1H、46、03028)、(A5、1H、47、03012)、(A5、1H、48、03003)、(A5、1H、49、03008)、(A5、1H、50、03031)、(A5、1H、51、-)、(A5、2L、52、03021)、(A5、2L、53、03025)、(A5、2L、54、03028)、(A5、2L、55、03012)、(A5、2L、56、03003)、(A5、2L、57、03008)、(A5、2L、58、03031)、(A5、2L、59、-)、(A5、2M、60、03021)、(A5、2M、61、03025)、(A5、2M、62、03028)、(A5、2M、63、03012)、(A5、2M、64、03003)、(A5、2M、65、03008)、(A5、2M、66、03031)、(A5、2M、67、-)、(A5、2N、68、03021)、(A5、2N、69、03025)、(A5、2N、70、03028)、(A5、2N、71、03012)、(A5、2N、72、03003)、(A5、2N、73、03008)、(A5、2N、74、03031)、(A5、2N、75、-)、(A5、2O、76、03021)、(A5、2O、77、03025)、(A5、2O、78、03028)、(A5、2O、79、03012)、(A5、2O、80、03003)、(A5、2O、81、03008)、(A5、2O、82、03031)、(A5、2O、83、-)、(A5、2Q、84、03021)、(A5、2Q、85、03025)、(A5、2Q、86、03028)、(A5、2Q、87、03012)、(A5、2Q、88、03003)、(A5、2Q、89、03008)、(A5、2Q、90、03031)、(A5、2Q、91、-)、(A5、BB、92、03029)、(A5、BB、93、03019)、(A5、BB、94、03009)、(A5、BC、95、03029)、(A5、BC、96、03019)、(A5、BC、97、03009)、(A5、CB、98、03029)、(A5、CB、99、03019)、(A5、CB、100、03009)、(A5、CH、101、03029)、(A5、CH、102、03019)、(A5、CH、103、03009)、(A5、CI、104、03029)、(A5、CI、105、03019)、(A5、CI、106、03009)、(A5、EX、107、03029)、(A5、EX、108、03019)、(A5、EX、109、03009)、(A5、EY、110、03029)、(A5、EY、111、03019)、(A5、EY、112、03009)、(A5、F4、113、03029)、(A5、F4、114、03019)、(A5、F4、115、03009)、(A5、F6、116、03029)、(A5、F6、117、03019)、(A5、F6、118、03009)、(A5、FE、119、03029)、(A5、FE、120、03019)、(A5、FE、121、03009)、(A5、H3、122、03029)、(A5、H3、123、03019)、(A5、H3、124、03009)、(A5、HF、125、03029)、(A5、HF、126、03019)、(A5、HF、127、03009)、(A5、HH、128、03029)、(A5、HH、129、03019)、(A5、HH、130、03009)、(A5、HM、131、03029)、(A5、HM、132、03019)、(A5、HM、133、03009)、(A5、HN、134、03029)、(A5、HN、135、03019)、(A5、HN、136、03009)、(A5、HO、137、03029)、(A5、HO、138、03019)、(A5、HO、139、03009)、(A5、HP、140、03029)、(A5、HP、141、03019)、(A5、HP、142、03009)、(A5、P0、143、02147)、(A5、P0、144、02259)、(A5、P0、145、02207)、(A5、P0、146、02183)、(A5、P0、147、02052)、(A5、Q7、148、02186)、(A5、Q7、149、02087)、(A5、Q7、150、02295)、(A5、QH、151、02036)、(A5、QH、152、02188)、(A5、QH、153、02014)、(A5、QH、154、02021)、(A5、QH、155、02159)、(A5、QH、156、02126)、(A5、QH、157、02216)、(A5、QH、158、02217)、(A5、R0
、159、02235)、(A5、R0、160、02139)、(A5、R0、161、02153)、(A5、R0、162、02155)、(A5、RN、163、02224)、(A5、RN、164、02103)、(A5、RN、165、02278)、(A5、S1、166、02278)、(A5、S1、167、02275)、(A5、S3、168、02036)、(A5、S3、169、02188)、(A5、S3、170、02159)、(A5、S3、171、02257)、(A5、S3、172、02258)、(A5、S3、173、02119)、(A5、S3、174、02120)、(A5、S4、175、02262)、(A5、S4、176、02107)、(A5、S4、177、02055)、(A5、S5、178、02121)、(A5、S5、179、02264)、(A5、S8、180、02256)、(A5、S8、181、02051)、(A5、S8、182、02042)、(A6、-、1、-)、(A6、-、2、-)、(A6、-、3、-)、(A6、-、4、-)、(A6、-、5、-)、(A6、-、6、-)、(A6、-、7、-)、(A6、-、8、-)、(A6、-、9、-)、(A6、-、10、-)、(A6、-、11、-)、(A6、-、12、-)、(A6、-、13、-)、(A6、-、14、-)、(A6、-、15、-)、(A6、-、16、-)、(A6、-、17、-)、(A6、-、18、-)、(A6、-、19、-)、(A6、-、20、-)、(A6、-、21、-)、(A6、-、22、-)、(A6、-、23、-)、(A6、-、24、-)、(A6、-、25、-)、(A6、-、26、-)、(A6、-、27、-)、(A6、-、28、-)、(A6、-、29、-)、(A6、-、30、-)、(A6、-、31、-)、(A6、-、32、-)、(A6、-、33、-)、(A6、-、34、-)、(A6、-、35、-)、(A6、-、36、-)、(A6、-、37、-)、(A6、-、38、-)、(A6、-、39、-)、(A6、-、40、-)、(A6、-、41、-)、(A6、-、42、-)、(A6、-、43、-)、(A6、-、44、-)、(A6、-、45、-)、(A6、-、46、-)、(A6、-、47、-)、(A6、-、48、-)、(A6、-、49、-)、(A6、-、50、-)、(A6、-、51、-)、(A6、-、52、-)、(A6、-、53、-)、(A6、-、54、-)、(A6、-、55、-)、(A6、-、56、-)、(A6、-、57、-)、(A6、-、58、-)、(A6、-、59、-)、(A6、-、60、-)、(A6、01、61、5001)、(A6、01、62、5002)、(A6、01、63、5003)、(A6、01、64、5004)、(A6、2I、65、03024)、(A6、2I、66、03025)、(A6、2I、67、03028)、(A6、2I、68、03012)、(A6、2I、69、03018)、(A6、2I、70、03016)、(A6、2I、71、03027)、(A6、2I、72、03031)、(A6、2L、73、03024)、(A6、2L、74、03025)、(A6、2L、75、03028)、(A6、2L、76、03012)、(A6、2L、77、03018)、(A6、2L、78、03016)、(A6、2L、79、03027)、(A6、2L、80、03031)、(A6、2M、81、03024)、(A6、2M、82、03025)、(A6、2M、83、03028)、(A6、2M、84、03012)、(A6、2M、85、03018)、(A6、2M、86、03016)、(A6、2M、87、03027)、(A6、2M、88、03031)、(A6、2Q、89、03024)、(A6、2Q、90、03025)、(A6、2Q、91、03028)、(A6、2Q、92、03012)、(A6、2Q、93、03018)、(A6、2Q、94、03016)、(A6、2Q、95、03027)、(A6、2Q、96、03031)、(A6、CE、97、03029)、(A6、CE、98、03019)、(A6、CE、99、03009)、(A6、CU、100、03029)、(A6、CU、101、03019)、(A6、CU、102、03009)、(A6、CW、103、03029)、(A6、CW、104、03019)、(A6、CW、105、03009)、(A6、E5、106、03029)、(A6、E5、107、03019)、(A6、E5、108、03009)、(A6、E7、109、03029)、(A6、E7、110、03019)、(A6、E7、111、03009)、(A6、EX、112、03029)、(A6、EX、113、03019)、(A6、EX、114、03009)、(A6、EY、115、03029)、(A6、EY、116、03019)、(A6、EY、117、03009)、(A6、F0、118、03029)、(A6、F0、119、03019)、(A6、F0、120、03009)、(A6、F1、121、03029)、(A6、F1、122、03019)、(A6、F1、123、03009)、(A6、F9、124、03029)、(A6、F9、125、03019)、(A6、F9、126、03009)、(A6、FO、127、03029)、(A6、FO、128、03019)、(A6、FO、129、03009)、(A6、FP、130、03029)、(A6、FP、131、03019)、(A6、FP、132、03009)、(A6、FQ、133、03029)、(A6、FQ、134、03019)、(A6、FQ、135、03009)、(A6、HF、136、03029)、(A6、HF、137、03019)、(A6、HF、138、03009)、(A6、HH、139、03029)、(A6、HH、140、03019)、(A6、HH、141、03009)、(A6、P0、142、02146)、(A6、P0、143、02259)、(A6、P0、144、02207)、(A6、P0、145、02183)、(A6、P0、146、02052)、(A6、Q2、147、02149)、(A6、Q2、148、02130)、(A6、Q2、149、02165)、(A6、Q2、150、02187)、(A6、Q2、151、02037)、(A6、Q2、152、02276)、(A6、Q2、153、02041)、(A6、Q7、154、02075)、(A6、QB、155、02081)、(A6、QO、156、02225)、(A6、QO、157、02278)、(A6、QO、158、02103)、(A6、QO、159、02061)、(A6、R0、160、02140)、(A6、R0、161、02060)、(A6、R0、162、02056)、(A6、RS、163、02218)、(A6、RS、164、02210)、(A6、RS、165、02270)、(A6、RS、166、02049)、(A6、RS、167、02136)、(A6、RS、168、02188)、(A6、RS、169、02232)、(A6、RS、170、02222)、(A6、RS、171、02116)、(A6、RS、172、02113)、(A6、RS、173、02150)、(A6、RS、174、02152)、(A6、S1、175、02278)、(A6、S7、176、02273)、(A6、S7、177、02169)、(A6、S7、178、02198)、(A6、SG、179、02130)、(A6、SG、180、02165)、(A6、SG、181、02069)、(A6、SG、182、02039)、(A7、-、1、-)、(A7、-、2、-)、(A7、-、3、-)、(A7、-、4、-)、(A7、-、5、-)、(A7、-、6、-)、(A7、-、7、-)、(A7、-、8、-)、(A7、-、9、-)、(A7、-、10、-)、(A7、-、11、-)、(A7、-、12、-)、(A7、-、13、-)、(A7、-、14、-)、(A7、-、15、-)、(A7、-、16、-)、(A7、-、17、-)、(A7、-、18、-)、(A7、-、19、-)、(A7、-、20、-)、(A7、-、21、-)、(A7、01、22、5001)、(A7、01、23、5002)、(A7、01、24、5003)、(A7、01、25、5004)、(A7、29、26、03024)、(A7、29、27、03025)、(A7、29、28、03028)、(A7、29、29、03012)、(A7、29、30、03011)、(A7、29、31、03031)、(A7、29、32、03003)、(A7、2B、33、03024)、(A7、2B、34、03025)、(A7、2B、35、03028)、(A7、2B、36、03012)、(A7、2B、37、03011)、(A7、2B、38、03031)、(A7、2B、39、03003)、(A7、2I、40、03024)、(A7、2I、41、03025)、(A7、2I、42、03028)、(A7、2I、43、03012)、(A7、2I、44、03011)、(A7、2I、45、03031)、(A7、2I、46、03003)、(A7、2L、47、03024)、(A7、2L、48、03025)、(A7、2L、49、03028)、(A7、2L、50、03012)、(A7、2L、51、03011)、(A7、2L、52、03031)、(A7、2L、53、03003)、(A7、2Q、54、03024)、(A7、2Q、55、03025)、(A7、2Q、56、03028)、(A7、2Q、57、03012)、(A7、2Q、58、03011)、(A7、2Q、59、03031)、(A7、2Q、60、03003)、(A7、BM、61、03029)、(A7、BM、62、03019)、(A7、BM、63、03009)、(A7、BV、64、03029)、(A7、BV、65、03019)、(A7、BV、66、03009)、(A7、CC、67、03029)、(A7、CC、68、03019)、(A7、CC、69、03009)、(A7、Cu、70、03029)、(A7、Cu、71、03019)、(A7、Cu、72、03009)、(A7、CW、73、03029)、(A7、CW、74、03019)、(A7、CW、75、03009)、(A7、DY、76、03029)、(A7、DY、77、03019)、(A7、DY、78、03009)、(A7、E1、79、03029)、(A7、E1、80、03019)、(A7、E1、81、03009)、(A7、EE、82、03029)、(A7、EE、83、03019)、(A7、EE、84、03009)、(A7、EF、85、03029)、(A7、EF、86、03019)、(A7、EF、87、03009)、(A7、EG、88、03029)、(A7、EG、89、03019)、(A7、EG、90、03009)、(A7、EH、91、03029)、(A7、EH、92、03019)、(A7、EH、93、03009)、(A7、EI、94、03029)、(A7、EI、95、03019)、(A7、EI、96、03009)、(A7、EJ、97、03029)、(A7、EJ、98、03019)、(A7、EJ、99、03009)、(A7、EK、100、03029)、(A7、EK、101、03019)、(A7、EK、102、03009)、(A7、EL、103、03029)、(A7、EL、104、03019)、(A7、EL、105、03009)、(A7、EM、106、03029)、(A7、EM、107、03019)、(A7、EM、108、03009)、(A7、ES、109、03029)、(A7、ES、110、03019)、(A7、ES、111、03009)、(A7、ET、112、03029)、(A7、ET、113、03019)、(A7、ET、114、03009)、(A7、FB、115、03029)、(A7、FB、116、03019)、(A7、FB、117、03009)、(A7、FC、118、03029)、(A7、FC、119、03019)、(A7、FC、120、03009)、(A7、H1、121、03029)、(A7、H1、122、03019)、(A7、H1、123、03009)、(A7、H2、124、03029)、(A7、H2、125、03019)、(A7、H2、126、03009)、(A7、HB、127、03029)、(A7、HB、128、03019)、(A7、HB、129、03009)、(A7、HC、130、03029)、(A7、HC、131、03019)、(A7、HC、132、03009)、(A7、HF、133、03029)、(A7、HF、134、03019)、(A7、HF、135、03009)、(A7、HH、136、03029)、(A7、HH、137、03019)、(A7、HH、138、03009)、(A7、P0、139、02146)、(A7、P0、140、02207)、(A7、P0、141、02183)、(A7、P0、142、02052)、(A7、P0、143、02259)、(A7、Q0、144、02043)、(A7、Q0、145、02180)、(A7、QB、146、02081)、(A7、QB、147、02007)、(A7、QE、148、02188)、(A7、QE、149、02049)、(A7、QE、150、02219)、(A7、QE、151、02007)、(A7、QE、152、02004)、(A7、QE、153、02006)、(A7、QE、154、02033)、(A7、QE、155、02003)、(A7、QE、156、02005)、(A7、QE、157、02031)、(A7、QO、158、02273)、(A7、QO、159、02225)、(A7、QO、160、02278)、(A7、R0、161、02138)、(A7、RG、162、02193)、(A7、RG、163、02177)、(A7、RG、164、02047)、(A7、RG、165、02108)、(A7、RG、166、02034)、(A7、RH、167、02088)、(A7、RH、168、02225)、(A7、RO、169、02225)、(A7、RO、170、02061)、(A7、RO、171、02278)、(A7、RO、172、02103)、(A7、RQ、173、02130)、(A7、RQ、174、02165)、(A7、RQ、175、02239)、(A7、RQ、176、02094)、(A7、RQ、177、02093)、(A7、RQ、178、02072)、(A7、RY、179、02263)、(A7、RY、180、02027)、(A7、S1、181、02278)、(A7、S6、182、02267)、(A8、-、1、-)、(A8、-、2、-)、(A8、-、3、-)、(A8、-、4、-)、(A8、-、5、-)、(A8、-、6、-)、(A8、-、7、-)、(A8、-、8、-)、(A8、-、9、-)、(A8、-、10、-)、(A8、-、11、-)、(A8、-、12、-)、(A8、-、13、-)、(A8、-、14、-)、(A8、-、15、-)、(A8、-、16、-)、(A8、-、17、-)、(A8、-、18、-)、(A8、-、19、-)、(A8、-、20、-)、(A8、-、21、-)、(A8、-、22、-)、(A8、-、23、-)、(A8、-、24、-)、(A8、-、25、-)、(A8、-、26、-)、(A8、-、27、-)、(A8、-、28、-)、(A8、-、29、-)、(A8、-、30、-)、(A8、-、31、-)、(A8、-、32、-)、(A8、-、33、-)、(A8、-、34、-)、(A8、-、35、-)、(A8、-、36、-)、(A8、-、37、-)、(A8、-、38、-)、(A8、-、39、-)、(A8、-、40、-)、(A8、-、41、-)、(A8、-、42、-)、(A8、-、43、-)、(A8、-、44、-)、(A8、-、45、-)、(A8、-、46、-)、(A8、-、47、-)、(A8、-、48、-)、(A8、-、49、-)、(A8、-、50、-)、(A8、-、51、-)、(A8、-、52、-)、(A8、-、53、-)、(A8、-、54、-)、(A8、-、55、-)、(A8、-、56、-)、(A8、-、57、-)、(A8、-、58、-)、(A8、-、59、-)、(A8、-、60、-)、(A8、-、61、-)、(A8、-、62、-)、(A8、-、63、-)、(A8、-、64、-)、(A8、-、65、-)、(A8、01、66、5001)、(A8、01、67、5002)、(A8、01、68、5003)、(A8、01、69、5004)、(A8、2B、70、03024)、(A8、2B、71、03025)、(A8、2B、72、03028)、(A8、2B、73、03012)、(A8、2B、74、03011)、(A8、2B、75、03031)、(A8、2I、76、03024)、(A8、2I、77、03025)、(A8、2I、78、03028)、(A8、2I、79、03012)、(A8、2I、80、03011)、(A8、2I、81、03031)、(A8、2L、82、03024)、(A8、2L、83、03025)、(A8、2L、84、03028)、(A8、2L、85、03012)、(A8、2L、86、03011)、(A8、2L、87、03031)、(A8、2Q、88、03024)、(A8、2Q、89、03025)、(A8、2Q、90、03028)、(A8、2Q、91、03012)、(A8、2Q、92、03011)、(A8、2Q、93、03031)、(A8、B5、94、03029)、(A8、B5、95、03019)、(A8、B5、96、03009)、(A8、BM、97、03029)、(A8、BM、98、03019)、(A8、BM、99、03009)、(A8、BR、100、03029)、(A8、BR、101、03019)、(A8、BR、102、03009)、(A8、BW、103、03029)、(A8、BW、104、03019)、(A8、BW、105、03009)、(A8、C8、106、03029)、(A8、C8、107、03019)、(A8、C8、108、03009)、(A8、C9、109、03029)、(A8、C9、110、03019)、(A8、C9、111、03009)、(A8、CA、112、03029)、(A8、CA、113、03019)、(A8、CA、114、03009)、(A8、E5、115、03029)、(A8、E5、116、03019)、(A8、E5、117、03009)、(A8、E7、118、03029)、(A8、E7、119、03019)、(A8、E7、120、03009)、(A8、F3、121、03029)、(A8、F3、122、03019)、(A8、F3、123、03009)、(A8、FS、124、03029)、(A8、FS、125、03019)、(A8、FS、126、03009)、(A8、H
E、127、03029)、(A8、HE、128、03019)、(A8、HE、129、03009)、(A8、HS、130、03029)、(A8、HS、131、03019)、(A8、HS、132、03009)、(A8、HT、133、03029)、(A8、HT、134、03019)、(A8、HT、135、03009)、(A8、HU、136、03029)、(A8、HU、137、03019)、(A8、HU、138、03009)、(A8、P0、139、02146)、(A8、P0、140、02207)、(A8、P0、141、02183)、(A8、P0、142、02052)、(A8、Q7、143、02075)、(A8、Q7、144、02007)、(A8、Q7、145、02278)、(A8、QO、146、02273)、(A8、QO、147、02044)、(A8、QO、148、02225)、(A8、QO、149、02254)、(A8、RJ、150、02188)、(A8、RJ、151、02196)、(A8、RJ、152、02222)、(A8、RJ、153、02210)、(A8、RJ、154、02270)、(A8、RJ、155、02049)、(A8、RJ、156、02136)、(A8、RJ、157、02002)、(A8、RJ、158、02029)、(A8、RJ、159、02007)、(A8、RL、160、02225)、(A8、RL、161、02277)、(A8、RQ、162、02130)、(A8、RQ、163、02165)、(A8、RQ、164、02095)、(A8、RQ、165、02246)、(A8、RQ、166、02239)、(A8、RQ、167、02090)、(A8、RQ、168、02072)、(A8、S0、169、02103)、(A8、S0、170、02129)、(A8、S0、171、02128)、(A8、S0、172、02236)、(A8、S0、173、02103)、(A8、S0、174、02023)、(A8、S0、175、02024)、(A8、S0、176、02236)、(A8、S1、177、02278)、(A8、SA、178、02103)、(A8、SA、179、02061)、(A8、SA、180、02253)、(A8、SA、181、02254)、(A8、SA、182、02225)、(A9、-、1、-)、(A9、-、2、-)、(A9、-、3、-)、(A9、-、4、-)、(A9、-、5、-)、(A9、-、6、-)、(A9、-、7、-)、(A9、-、8、-)、(A9、-、9、-)、(A9、-、10、-)、(A9、-、11、-)、(A9、-、12、-)、(A9、-、13、-)、(A9、-、14、-)、(A9、-、15、-)、(A9、-、16、-)、(A9、-、17、-)、(A9、-、18、-)、(A9、-、19、-)、(A9、-、20、-)、(A9、-、21、-)、(A9、-、22、-)、(A9、-、23、-)、(A9、-、24、-)、(A9、-、25、-)、(A9、-、26、-)、(A9、-、27、-)、(A9、-、28、-)、(A9、-、29、-)、(A9、-、30、-)、(A9、-、31、-)、(A9、-、32、-)、(A9、-、33、-)、(A9、-、34、-)、(A9、-、35、-)、(A9、-、36、-)、(A9、-、37、-)、(A9、-、38、-)、(A9、-、39、-)、(A9、-、40、-)、(A9、-、41、-)、(A9、-、42、-)、(A9、-、43、-)、(A9、-、44、-)、(A9、-、45、-)、(A9、-、46、-)、(A9、-、47、-)、(A9、-、48、-)、(A9、-、49、-)、(A9、-、50、-)、(A9、-、51、-)、(A9、-、52、-)、(A9、-、53、-)、(AA、-、1、-)、(AA、-、2、-)、(AA、-、3、-)、(AA、-、4、-)、(AA、-、5、-)、(AA、-、6、-)、(AA、-、7、-)、(AA、-、8、-)、(AA、-、9、-)、(AA、-、10、-)、(AA、-、11、-)、(AA、-、12、-)、(AA、-、13、-)、(AA、-、14、-)、(AA、-、15、-)、(AA、-、16、-)、(AA、-、17、-)、(AA、-、18、-)、(AA、-、19、-)、(AA、-、20、-)、(AA、-、21、-)、(AA、-、22、-)、(AA、-、23、-)、(AA、-、24、-)、(AA、-、25、-)、(AA、-、26、-)、(AA、-、27、-)、(AA、-、28、-)、(AA、-、29、-)、(AA、-、30、-)、(AA、-、31、-)、(AA、-、32、-)、(AA、-、33、-)、(AA、-、34、-)、(AA、-、35、-)、(AA、-、36、-)、(AA、01、37、5001)、(AA、01、38、5002)、(AA、01、39、5003)、(AA、01、40、5004)、(AA、1T、41、03024)、(AA、1T、42、03025)、(AA、1T、43、03028)、(AA、1T、44、03012)、(AA、1T、45、03018)、(AA、1T、46、03016)、(AA、1T、47、03027)、(AA、1T、48、03031)、(AA、2L、49、03024)、(AA、2L、50、03025)、(AA、2L、51、03028)、(AA、2L、52、03012)、(AA、2L、53、03018)、(AA、2L、54、03016)、(AA、2L、55、03027)、(AA、2L、56、03031)、(AA、2M、57、03024)、(AA、2M、58、03025)、(AA、2M、59、03028)、(AA、2M、60、03012)、(AA、2M、61、03018)、(AA、2M、62、03016)、(AA、2M、63、03027)、(AA、2M、64、03031)、(AA、2Q、65、03024)、(AA、2Q、66、03025)、(AA、2Q、67、03028)、(AA、2Q、68、03012)、(AA、2Q、69、03018)、(AA、2Q、70、03016)、(AA、2Q、71、03027)、(AA、2Q、72、03031)、(AA、DF、73、03029)、(AA、DF、74、03019)、(AA、DF、75、03009)、(AA、E5、76、03029)、(AA、E5、77、03019)、(AA、E5、78、03009)、(AA、E7、79、03029)、(AA、E7、80、03019)、(AA、E7、81、03009)、(AA、F4、82、03029)、(AA、F4、83、03019)、(AA、F4、84、03009)、(AA、F6、85、03029)、(AA、F6、86、03019)、(AA、F6、87、03009)、(AA、F8、88、03029)、(AA、F8、89、03019)、(AA、F8、90、03009)、(AA、FJ、91、03029)、(AA、FJ、92、03019)、(AA、FJ、93、03009)、(AA、FM、94、03029)、(AA、FM、95、03019)、(AA、FM、96、03009)、(AA、FN、97、03029)、(AA、FN、98、03019)、(AA、FN、99、03009)、(AA、FR、100、03029)、(AA、FR、101、03019)、(AA、FR、102、03009)、(AA、FT、103、03029)、(AA、FT、104、03019)、(AA、FT、105、03009)、(AA、FU、106、03029)、(AA、FU、107、03019)、(AA、FU、108、03009)、(AA、FV、109、03029)、(AA、FV、110、03019)、(AA、FV、111、03009)、(AA、FW、112、03029)、(AA、FW、113、03019)、(AA、FW、114、03009)、(AA、FX、115、03029)、(AA、FX、116、03019)、(AA、FX、117、03009)、(AA、FY、118、03029)、(AA、FY、119、03019)、(AA、FY、120、03009)、(AA、G0、121、03029)、(AA、G0、122、03019)、(AA、G0、123、03009)、(AA、HF、124、03029)、(AA、HF、125、03019)、(AA、HF、126、03009)、(AA、HH、127、03029)、(AA、HH、128、03019)、(AA、HH、129、03009)、(AA、P0、130、02146)、(AA、P0、131、02259)、(AA、P0、132、02207)、(AA、P0、133、02183)、(AA、P0、134、02052)、(AA、QB、135、02081)、(AA、QB、136、02075)、(AA、R0、137、02140)、(AA、R0、138、02060)、(AA、R0、139、02056)、(AA、R6、140、02218)、(AA、R6、141、02210)、(AA、R6、142、02270)、(AA、R6、143、02049)、(AA、R6、144、02136)、(AA、R6、145、02188)、(AA、R6、146、02110)、(AA、R6、147、02222)、(AA、RQ、148、02130)、(AA、RQ、149、02165)、(AA、RQ、150、02089)、(AA、S1、151、02278)、(AA、S7、152、02273)、(AA、S7、153、02169)、(AA、S9、154、02225)、(AA、S9、155、02278)、(AA、S9、156、02103)、(AA、S9、157、02010)、(AA、S9、158、02013)、(AA、S9、159、02017)、(AA、S9、160、02020)、(AA、SC、161、02285)、(AA、SC、162、02290)、(AA、SC、163、02118)、(AA、SD、164、02112)、(AA、SD、165、02099)、(AA、SD、166、02261)、(AA、SD、167、02050)、(AA、SD、168、02260)、(AA、SD、169、02179)、(AA、SF、170、02278)、(AA、T5、171、03029)、(AA、T5、172、03019)、(AA、T5、173、03009)、(AA、T6、174、03029)、(AA、T6、175、03019)、(AA、T6、176、03009)、(AA、T7、177、03029)、(AA、T7、178、03019)、(AA、T7、179、03009)、(AA、T8、180、03029)、(AA、T8、181、03019)、(AA、T8、182、03009)、(AB、-、1、-)、(AB、-、2、-)、(AB、-、3、-)、(AB、-、4、-)、(AB、-、5、-)、(AB、-、6、-)、(AB、-、7、-)、(AB、-、8、-)、(AB、-、9、-)、(AB、-、10、-)、(AB、-、11、-)、(AB、-、12、-)、(AB、-、13、-)、(AB、-、14、-)、(AB、-、15、-)、(AB、-、16、-)、(AB、-、17、-)、(AB、-、18、-)、(AB、-、19、-)、(AB、-、20、-)、(AB、-、21、-)、(AB、-、22、-)、(AB、-、23、-)、(AB、-、24、-)、(AB、-、25、-)、(AB、-、26、-)、(AB、-、27、-)、(AB、-、28、-)、(AB、-、29、-)、(AB、-、30、-)、(AB、-、31、-)、(AB、-、32、-)、(AB、-、33、-)、(AB、-、34、-)、(AB、-、35、-)、(AB、-、36、-)、(AB、-、37、-)、(AB、-、38、-)、(AB、-、39、-)、(AB、-、40、-)、(AB、-、41、-)、(AB、-、42、-)、(AB、-、43、-)、(AB、-、44、-)、(AB、-、45、-)、(AB、-、46、-)、(AB、-、47、-)、(AB、-、48、-)、(AB、-、49、-)、(AB、-、50、-)、(AB、-、51、-)、(AB、-、52、-)、(AB、-、53、-)、(AB、-、54、-)、(AB、-、55、-)、(AB、-、56、-)、(AB、-、57、-)、(AB、-、58、-)、(AB、01、59、5001)、(AB、01、60、5002)、(AB、01、61、5003)、(AB、01、62、5004)、(AB、2J、63、03024)、(AB、2J、64、03025)、(AB、2J、65、03028)、(AB、2J、66、03012)、(AB、2J、67、03003)、(AB、2J、68、03008)、(AB、2J、69、03014)、(AB、2J、70、03031)、(AB、2K、71、03024)、(AB、2K、72、03025)、(AB、2K、73、03028)、(AB、2K、74、03012)、(AB、2K、75、03003)、(AB、2K、76、03008)、(AB、2K、77、03014)、(AB、2K、78、03031)、(AB、2L、79、03024)、(AB、2L、80、03025)、(AB、2L、81、03028)、(AB、2L、82、03012)、(AB、2L、83、03003)、(AB、2L、84、03008)、(AB、2L、85、03014)、(AB、2L、86、03031)、(AB、2M、87、03024)、(AB、2M、88、03025)、(AB、2M、89、03028)、(AB、2M、90、03012)、(AB、2M、91、03003)、(AB、2M、92、03008)、(AB、2M、93、03014)、(AB、2M、94、03031)、(AB、2Q、95、03024)、(AB、2Q、96、03025)、(AB、2Q、97、03028)、(AB、2Q、98、03012)、(AB、2Q、99、03003)、(AB、2Q、100、03008)、(AB、2Q、101、03014)、(AB、2Q、102、03031)、(AB、CU、103、03029)、(AB、CU、104、03019)、(AB、CU、105、03009)、(AB、CW、106、03029)、(AB、CW、107、03019)、(AB、CW、108、03009)、(AB、DG、109、03029)、(AB、DG、110、03019)、(AB、DG、111、03009)、(AB、DH、112、03029)、(AB、DH、113、03019)、(AB、DH、114、03009)、(AB、E5、115、03029)、(AB、E5、116、03019)、(AB、E5、117、03009)、(AB、E7、118、03029)、(AB、E7、119、03019)、(AB、E7、120、03009)、(AB、F4、121、03029)、(AB、F4、122、03019)、(AB、F4、123、03009)、(AB、F6、124、03029)、(AB、F6、125、03019)、(AB、F6、126、03009)、(AB、F8、127、03029)、(AB、F8、128、03019)、(AB、F8、129、03009)、(AB、G7、130、03029)、(AB、G7、131、03019)、(AB、G7、132、03009)、(AB、HF、133、03029)、(AB、HF、134、03019)、(AB、HF、135、03009)、(AB、HH、136、03029)、(AB、HH、137、03019)、(AB、HH、138、03009)、(AB、P0、139、02146)、(AB、P0、140、02259)、(AB、P0、141、02207)、(AB、P0、142、02183)、(AB、P0、143、02052)、(AB、Q7、144、02075)、(AB、QE、145、02218)、(AB、QE、146、02210)、(AB、QE、147、02049)、(AB、QE、148、02136)、(AB、QE、149、02188)、(AB、QE、150、02222)、(AB、QE、151、02030)、(AB、QE、152、02032)、(AB、QO、153、02225)、(AB、QO、154、02278)、(AB、QO、155、02103)、(AB、R0、156、02140)、(AB、R0、157、02060)、(AB、R0、158、02056)、(AB、RQ、159、02130)、(AB、RQ、160、02165)、(AB、RQ、161、02096)、(AB、RQ、162、02097)、(AB、RQ、163、02246)、(AB、RQ、164、02249)、(AB、RQ、165、02250)、(AB、RQ、166、02240)、(AB、RQ、167、02241)、(AB、S1、168、02278)、(AB、S6、169、02268)、(AB、S6、170、02266)、(AB、S7、171、02273)、(AB、S7、172、02169)、(AB、S7、173、02198)、(AB、S9、174、02225)、(AB、S9、175、02278)、(AB、S9、176、02103)、(AB、S9、177、02011)、(AB、S9、178、02012)、(AB、S9、179、02013)、(AB、S9、180、02018)、(AB、S9、181、02019)、(AB、S9、182、02020)、(AC、-、1、-)、(AC、-、2、-)、(AC、-、3、-)、(AC、-、4、-)、(AC、-、5、-)、(AC、-、6、-)、(AC、-、7、-)、(AC、-、8、-)、(AC、-、9、-)、(AC、-、10、-)、(AC、-、11、-)、(AC、-、12、-)、(AC、-、13、-)、(AC、-、14、-)、(AC、-、15、-)、(AC、-、16、-)、(AC、-、17、-)、(AC、-、18、-)、(AC、-、19、-)、(AC、-、20、-)、(AC、-、21、-)、(AC、-、22、-)、(AC、01、23、5001)、(AC、01、24、5002)、(AC、01、25、5003)、(AC、01、26、5004)、(AC、1X、27、03024)、(AC、1X、28、03025)、(AC、1X、29、03028)、(AC、1X、30、03012)、(AC、1X、31、03018)、(AC、1X、32、03016)、(AC、1X、33、03027)、(AC、1X、34、03031)、(AC、24、35、03024)、(AC、24、36、03025)、(AC、24、37、03028)、(AC、24、38、03012)、(AC、24、39、03018)、(AC、24、40、03016)、(AC、24、41、03027)、(AC、24、42、03031)、(AC、2L、43、03024)、(AC、2L、44、03025)、(AC、2L、45、03028)、(AC、2L、46、03012)、(AC、2L、47、03018)
、(AC、2L、48、03016)、(AC、2L、49、03027)、(AC、2L、50、03031)、(AC、2M、51、03024)、(AC、2M、52、03025)、(AC、2M、53、03028)、(AC、2M、54、03012)、(AC、2M、55、03018)、(AC、2M、56、03016)、(AC、2M、57、03027)、(AC、2M、58、03031)、(AC、2Q、59、03024)、(AC、2Q、60、03025)、(AC、2Q、61、03028)、(AC、2Q、62、03012)、(AC、2Q、63、03018)、(AC、2Q、64、03016)、(AC、2Q、65、03027)、(AC、2Q、66、03031)、(AC、BA、67、03029)、(AC、BA、68、03019)、(AC、BA、69、03009)、(AC、CF、70、03029)、(AC、CF、71、03019)、(AC、CF、72、03009)、(AC、CU、73、03029)、(AC、CU、74、03019)、(AC、CU、75、03009)、(AC、CW、76、03029)、(AC、CW、77、03019)、(AC、CW、78、03009)、(AC、DG、79、03029)、(AC、DG、80、03019)、(AC、DG、81、03009)、(AC、DH、82、03029)、(AC、DH、83、03019)、(AC、DH、84、03009)、(AC、DM、85、03029)、(AC、DM、86、03019)、(AC、DM、87、03009)、(AC、EX、88、03029)、(AC、EX、89、03019)、(AC、EX、90、03009)、(AC、EY、91、03029)、(AC、EY、92、03019)、(AC、EY、93、03009)、(AC、F4、94、03029)、(AC、F4、95、03019)、(AC、F4、96、03009)、(AC、F6、97、03029)、(AC、F6、98、03019)、(AC、F6、99、03009)、(AC、G8、100、03029)、(AC、G8、101、03019)、(AC、G8、102、03009)、(AC、GA、103、03029)、(AC、GA、104、03019)、(AC、GA、105、03009)、(AC、HF、106、03029)、(AC、HF、107、03019)、(AC、HF、108、03009)、(AC、HH、109、03029)、(AC、HH、110、03019)、(AC、HH、111、03009)、(AC、P0、112、02146)、(AC、P0、113、02259)、(AC、P0、114、02207)、(AC、P0、115、02183)、(AC、P0、116、02052)、(AC、QB、117、02081)、(AC、QB、118、02075)、(AC、QO、119、02225)、(AC、QO、120、02278)、(AC、QO、121、02103)、(AC、R0、122、02140)、(AC、R0、123、02060)、(AC、R0、124、02056)、(AC、R7、125、02218)、(AC、R7、126、02210)、(AC、R7、127、02136)、(AC、R7、128、02188)、(AC、R7、129、02049)、(AC、R7、130、02222)、(AC、R9、131、02270)、(AC、R9、132、02110)、(AC、R9、133、02232)、(AC、RB、134、02130)、(AC、RB、135、02165)、(AC、RB、136、02067)、(AC、RB、137、02039)、(AC、RC、138、02270)、(AC、RC、139、02110)、(AC、RC、140、02232)、(AC、RD、141、02130)、(AC、RD、142、02165)、(AC、RD、143、02067)、(AC、RD、144、02039)、(AC、S1、145、02278)、(AC、S7、146、02273)、(AC、S7、147、02169)、(AC、S7、148、02198)、(AC、S9、149、02225)、(AC、S9、150、02278)、(AC、S9、151、02103)、(AC、S9、152、02010)、(AC、S9、153、02013)、(AC、S9、154、02017)、(AC、S9、155、02020)、(AC、T2、156、03029)、(AC、T2、157、03019)、(AC、T2、158、03009)、(AC、T9、159、03029)、(AC、T9、160、03019)、(AC、T9、161、03009)、(AC、TA、162、03029)、(AC、TA、163、03019)、(AC、TA、164、03009)、(AC、TK、165、03029)、(AC、TK、166、03019)、(AC、TK、167、03009)、(AC、TL、168、03029)、(AC、TL、169、03019)、(AC、TL、170、03009)、(AC、TM、171、03029)、(AC、TM、172、03019)、(AC、TM、173、03009)、(AC、TN、174、03029)、(AC、TN、175、03019)、(AC、TN、176、03009)、(AC、TO、177、03029)、(AC、TO、178、03019)、(AC、TO、179、03009)、(AC、TP、180、03029)、(AC、TP、181、03019)、(AC、TP、182、03009)、(AD、-、1、-)、(AD、-、2、-)、(AD、-、3、-)、(AD、-、4、-)、(AD、-、5、-)、(AD、-、6、-)、(AD、-、7、-)、(AD、-、8、-)、(AD、-、9、-)、(AD、-、10、-)、(AD、-、11、-)、(AD、-、12、-)、(AD、-、13、-)、(AD、-、14、-)、(AD、-、15、-)、(AD、-、16、-)、(AD、-、17、-)、(AD、-、18、-)、(AD、-、19、-)、(AD、-、20、-)、(AD、-、21、-)、(AD、-、22、-)、(AD、-、23、-)、(AD、-、24、-)、(AD、-、25、-)、(AD、-、26、-)、(AD、-、27、-)、(AD、-、28、-)、(AD、01、29、5001)、(AD、01、30、5002)、(AD、01、31、5003)、(AD、01、32、5004)、(AD、1X、33、03024)、(AD、1X、34、03025)、(AD、1X、35、03028)、(AD、1X、36、03012)、(AD、1X、37、03018)、(AD、1X、38、03016)、(AD、1X、39、03027)、(AD、1X、40、03031)、(AD、24、41、03024)、(AD、24、42、03025)、(AD、24、43、03028)、(AD、24、44、03012)、(AD、24、45、03018)、(AD、24、46、03016)、(AD、24、47、03027)、(AD、24、48、03031)、(AD、2L、49、03024)、(AD、2L、50、03025)、(AD、2L、51、03028)、(AD、2L、52、03012)、(AD、2L、53、03018)、(AD、2L、54、03016)、(AD、2L、55、03027)、(AD、2L、56、03031)、(AD、2M、57、03024)、(AD、2M、58、03025)、(AD、2M、59、03028)、(AD、2M、60、03012)、(AD、2M、61、03018)、(AD、2M、62、03016)、(AD、2M、63、03027)、(AD、2M、64、03031)、(AD、2Q、65、03024)、(AD、2Q、66、03025)、(AD、2Q、67、03028)、(AD、2Q、68、03012)、(AD、2Q、69、03018)、(AD、2Q、70、03016)、(AD、2Q、71、03027)、(AD、2Q、72、03031)、(AD、BA、73、03029)、(AD、BA、74、03019)、(AD、BA、75、03009)、(AD、CF、76、03029)、(AD、CF、77、03019)、(AD、CF、78、03009)、(AD、CU、79、03029)、(AD、CU、80、03019)、(AD、CU、81、03009)、(AD、CW、82、03029)、(AD、CW、83、03019)、(AD、CW、84、03009)、(AD、DG、85、03029)、(AD、DG、86、03019)、(AD、DG、87、03009)、(AD、DH、88、03029)、(AD、DH、89、03019)、(AD、DH、90、03009)、(AD、DM、91、03029)、(AD、DM、92、03019)、(AD、DM、93、03009)、(AD、E5、94、03029)、(AD、E5、95、03019)、(AD、E5、96、03009)、(AD、E7、97、03029)、(AD、E7、98、03019)、(AD、E7、99、03009)、(AD、EX、100、03029)、(AD、EX、101、03019)、(AD、EX、102、03009)、(AD、EY、103、03029)、(AD、EY、104、03019)、(AD、EY、105、03009)、(AD、F4、106、03029)、(AD、F4、107、03019)、(AD、F4、108、03009)、(AD、F6、109、03029)、(AD、F6、110、03019)、(AD、F6、111、03009)、(AD、F9、112、03029)、(AD、F9、113、03019)、(AD、F9、114、03009)、(AD、G8、115、03029)、(AD、G8、116、03019)、(AD、G8、117、03009)、(AD、GA、118、03029)、(AD、GA、119、03019)、(AD、GA、120、03009)、(AD、HF、121、03029)、(AD、HF、122、03019)、(AD、HF、123、03009)、(AD、HH、124、03029)、(AD、HH、125、03019)、(AD、HH、126、03009)、(AD、P0、127、02146)、(AD、P0、128、02259)、(AD、P0、129、02207)、(AD、P0、130、02183)、(AD、P0、131、02052)、(AD、QB、132、02081)、(AD、QB、133、02075)、(AD、QO、134、02225)、(AD、QO、135、02278)、(AD、QO、136、02103)、(AD、R0、137、02140)、(AD、R0、138、02060)、(AD、R0、139、02056)、(AD、R7、140、02218)、(AD、R7、141、02210)、(AD、R7、142、02136)、(AD、R7、143、02188)、(AD、R7、144、02049)、(AD、R7、145、02222)、(AD、R9、146、02270)、(AD、R9、147、02110)、(AD、R9、148、02232)、(AD、RB、149、02130)、(AD、RB、150、02165)、(AD、RB、151、02067)、(AD、RB、152、02039)、(AD、RC、153、02270)、(AD、RC、154、02110)、(AD、RC、155、02232)、(AD、RD、156、02130)、(AD、RD、157、02165)、(AD、RD、158、02067)、(AD、RD、159、02039)、(AD、S1、160、02278)、(AD、S7、161、02273)、(AD、S7、162、02169)、(AD、S7、163、02198)、(AD、S9、164、02225)、(AD、S9、165、02278)、(AD、S9、166、02103)、(AD、S9、167、02010)、(AD、S9、168、02013)、(AD、S9、169、02017)、(AD、S9、170、02020)、(AD、T2、171、03029)、(AD、T2、172、03019)、(AD、T2、173、03009)、(AD、T4、174、03029)、(AD、T4、175、03019)、(AD、T4、176、03009)、(AD、TO、177、03029)、(AD、TO、178、03019)、(AD、TO、179、03009)、(AD、TP、180、03029)、(AD、TP、181、03019)、(AD、TP、182、03009)、(AE、-、1、-)、(AE、-、2、-)、(AE、-、3、-)、(AE、-、4、-)、(AE、-、5、-)、(AE、-、6、-)、(AE、-、7、-)、(AE、-、8、-)、(AE、-、9、-)、(AE、-、10、-)、(AE、-、11、-)、(AE、-、12、-)、(AE、-、13、-)���(AE、-、14、-)、(AE、-、15、-)、(AE、-、16、-)、(AE、-、17、-)、(AE、-、18、-)、(AE、-、19、-)、(AE、-、20、-)、(AE、-、21、-)、(AE、-、22、-)、(AE、-、23、-)、(AE、-、24、-)、(AE、-、25、-)、(AE、-、26、-)、(AE、-、27、-)、(AE、-、28、-)、(AE、01、29、5001)、(AE、01、30、5002)、(AE、01、31、5003)、(AE、01、32、5004)、(AE、1T、33、03024)、(AE、1T、34、03025)、(AE、1T、35、03028)、(AE、1T、36、03012)、(AE、1T、37、03018)、(AE、1T、38、03016)、(AE、1T、39、03027)、(AE、1T、40、03031)、(AE、2A、41、02130)、(AE、2A、42、02165)、(AE、2A、43、02094)、(AE、2A、44、02246)、(AE、2A、45、02248)、(AE、2A、46、02239)、(AE、2L、47、03024)、(AE、2L、48、03025)、(AE、2L、49、03028)、(AE、2L、50、03012)、(AE、2L、51、03018)、(AE、2L、52、03016)、(AE、2L、53、03027)、(AE、2L、54、03031)、(AE、2M、55、03024)、(AE、2M、56、03025)、(AE、2M、57、03028)、(AE、2M、58、03012)、(AE、2M、59、03018)、(AE、2M、60、03016)、(AE、2M、61、03027)、(AE、2M、62、03031)、(AE、2Q、63、03024)、(AE、2Q、64、03025)、(AE、2Q、65、03028)、(AE、2Q、66、03012)、(AE、2Q、67、03018)、(AE、2Q、68、03016)、(AE、2Q、69、03027)、(AE、2Q、70、03031)、(AE、BM、71、03029)、(AE、BM、72、03019)、(AE、BM、73、03009)、(AE、CF、74、03029)、(AE、CF、75、03019)、(AE、CF、76、03009)、(AE、CG、77、03029)、(AE、CG、78、03019)、(AE、CG、79、03009)、(AE、CU、80、03029)、(AE、CU、81、03019)、(AE、CU、82、03009)、(AE、CW、83、03029)、(AE、CW、84、03019)、(AE、CW、85、03009)、(AE、DG、86、03029)、(AE、DG、87、03019)、(AE、DG、88、03009)、(AE、DH、89、03029)、(AE、DH、90、03019)、(AE、DH、91、03009)、(AE、DM、92、03029)、(AE、DM、93、03019)、(AE、DM、94、03009)、(AE、E5、95、03029)、(AE、E5、96、03019)、(AE、E5、97、03009)、(AE、E7、98、03029)、(AE、E7、99、03019)、(AE、E7、100、03009)、(AE、EX、101、03029)、(AE、EX、102、03019)、(AE、EX、103、03009)、(AE、EY、104、03029)、(AE、EY、105、03019)、(AE、EY、106、03009)、(AE、F0、107、03029)、(AE、F0、108、03019)、(AE、F0、109、03009)、(AE、F1、110、03029)、(AE、F1、111、03019)、(AE、F1、112、03009)、(AE、F4、113、03029)、(AE、F4、114、03019)、(AE、F4、115、03009)、(AE、F6、116、03029)、(AE、F6、117、03019)、(AE、F6、118、03009)、(AE、F9、119、03029)、(AE、F9、120、03019)、(AE、F9、121、03009)、(AE、FA、122、03029)、(AE、FA、123、03019)、(AE、FA、124、03009)、(AE、GA、125、03029)、(AE、GA、126、03019)、(AE、GA、127、03009)、(AE、HF、128、03029)、(AE、HF、129、03019)、(AE、HF、130、03009)、(AE、HH、131、03029)、(AE、HH、132、03019)、(AE、HH、133、03009)、(AE、P0、134、02146)、(AE、P0、135、02259)、(AE、P0、136、02207)、(AE、P0、137、02183)、(AE、P0、138、02052)、(AE、QB、139、02081)、(AE、QB、140、02075)、(AE、QE、141、02218)、(AE、QE、142、02210)、(AE、QE、143、02270)、(AE、QE、144、02049)、(AE、QE、145、02136)、(AE、QE、146、02188)、(AE、QE、147、02222)、(AE、QE、148、02007)、(AE、QE、149、02002)、(AE、QE、150、02029)、(AE、QO、151、02225)、(AE、QO、152、02278)、(AE、QO、153、02103)、(AE、QO、154、02061)、(AE、R0、155、02140)、(AE、R0、156、02060)、(AE、R0、157、02056)、(AE、S1、158、02278)、(AE、S7、159、02273)、(AE、S7、160、02169)、(AE、S7、161、02198)、(AE、S9、162、02225)、(AE、S9、163、02278)、(AE、S9、164、02103)、(AE、S9、165、02010)、(AE、S9、166、02013)、(AE、S9、167、03036)、(AE、S9、168、02017)、(AE、S9、169、02020)、(AE、S9、170、03037)、(AE、T0、171、03029)、(AE、T0、172、03019)、(AE、T0、173、03009)、(AE、T1、174、0
3029)、(AE、T1、175、03019)、(AE、T1、176、03009)、(AE、T2、177、03029)、(AE、T2、178、03019)、(AE、T2、179、03009)、(AE、T4、180、03029)、(AE、T4、181、03019)、(AE、T4、182、03009)、(AF、-、1、-)、(AF、-、2、-)、(AF、-、3、-)、(AF、-、4、-)、(AF、-、5、-)、(AF、-、6、-)、(AF、-、7、-)、(AF、-、8、-)、(AF、-、9、-)、(AF、-、10、-)、(AF、-、11、-)、(AF、-、12、-)、(AF、-、13、-)、(AF、-、14、-)、(AF、-、15、-)、(AF、-、16、-)、(AF、-、17、-)、(AF、-、18、-)、(AF、-、19、-)、(AF、-、20、-)、(AF、-、21、-)、(AF、-、22、-)、(AF、-、23、-)、(AF、-、24、-)、(AF、-、25、-)、(AF、-、26、-)、(AF、-、27、-)、(AF、-、28、-)、(AF、-、29、-)、(AF、-、30、-)、(AF、-、31、-)、(AF、-、32、-)、(AF、-、33、-)、(AF、-、34、-)、(AF、-、35、-)、(AF、-、36、-)、(AF、-、37、-)、(AF、-、38、-)、(AF、-、39、-)、(AF、-、40、-)、(AF、-、41、-)、(AF、-、42、-)、(AF、-、43、-)、(AF、-、44、-)、(AF、-、45、-)、(AF、-、46、-)、(AF、-、47、-)、(AF、-、48、-)、(AF、01、49、5001)、(AF、01、50、5002)、(AF、01、51、5003)、(AF、01、52、5004)、(AF、1R、53、03024)、(AF、1R、54、03025)、(AF、1R、55、03028)、(AF、1R、56、03012)、(AF、1R、57、03018)、(AF、1R、58、03016)、(AF、1R、59、03027)、(AF、1R、60、03031)、(AF、2I、61、03024)、(AF、2I、62、03025)、(AF、2I、63、03028)、(AF、2I、64、03012)、(AF、2I、65、03018)、(AF、2I、66、03016)、(AF、2I、67、03027)、(AF、2I、68、03031)、(AF、2L、69、03024)、(AF、2L、70、03025)、(AF、2L、71、03028)、(AF、2L、72、03012)、(AF、2L、73、03018)、(AF、2L、74、03016)、(AF、2L、75、03027)、(AF、2L、76、03031)、(AF、2M、77、03024)、(AF、2M、78、03025)、(AF、2M、79、03028)、(AF、2M、80、03012)、(AF、2M、81、03018)、(AF、2M、82、03016)、(AF、2M、83、03027)、(AF、2M、84、03031)、(AF、2Q、85、03024)、(AF、2Q、86、03025)、(AF、2Q、87、03028)、(AF、2Q、88、03012)、(AF、2Q、89、03018)、(AF、2Q、90、03016)、(AF、2Q、91、03027)、(AF、2Q、92、03031)、(AF、BA、93、03029)、(AF、BA、94、03019)、(AF、BA、95、03009)、(AF、CE、96、03029)、(AF、CE、97、03019)、(AF、CE、98、03009)、(AF、CM、99、03029)、(AF、CM、100、03019)、(AF、CM、101、03009)、(AF、CU、102、03029)、(AF、CU、103、03019)、(AF、CU、104、03009)、(AF、CW、105、03029)、(AF、CW、106、03019)、(AF、CW、107、03009)、(AF、DM、108、03029)、(AF、DM、109、03019)、(AF、DM、110、03009)、(AF、E4、111、03029)、(AF、E4、112、03019)、(AF、E4、113、03009)、(AF、E5、114、03029)、(AF、E5、115、03019)、(AF、E5、116、03009)、(AF、E7、117、03029)、(AF、E7、118、03019)、(AF、E7、119、03009)、(AF、F4、120、03029)、(AF、F4、121、03019)、(AF、F4、122、03009)、(AF、F6、123、03029)、(AF、F6、124、03019)、(AF、F6、125、03009)、(AF、F8、126、03029)、(AF、F8、127、03019)、(AF、F8、128、03009)、(AF、G6、129、03029)、(AF、G6、130、03019)、(AF、G6、131、03009)、(AF、GA、132、03029)、(AF、GA、133、03019)、(AF、GA、134、03009)、(AF、P0、135、02259)、(AF、P0、136、02207)、(AF、QC、137、02075)、(AF、QC、138、02081)、(AF、QO、139、02225)、(AF、QO、140、02278)、(AF、R0、141、02140)、(AF、R0、142、02060)、(AF、R0、143、02056)、(AF、R4、144、02270)、(AF、R4、145、02049)、(AF、R4、146、02110)、(AF、R4、147、02222)、(AF、R4、148、02188)、(AF、RB、149、02130)、(AF、RB、150、02165)、(AF、RB、151、02239)、(AF、RB、152、02251)、(AF、RB、153、02246)、(AF、RB、154、02248)、(AF、RD、155、02130)、(AF、RD、156、02165)、(AF、RD、157、02067)、(AF、RD、158、02041)、(AF、RU、159、02218)、(AF、RU、160、02210)、(AF、RU、161、02270)、(AF、RU、162、02049)、(AF、RU、163、02222)、(AF、RU、164、02188)、(AF、RU、165、02007)、(AF、RU、166、03001)、(AF、RU、167、02029)、(AF、S7、168、02273)、(AF、S7、169、02169)、(AF、S9、170、02278)、(AF、S9、171、02103)、(AF、S9、172、02010)、(AF、S9、173、02013)、(AF、S9、174、02017)、(AF、S9、175、02020)、(AF、T5、176、03029)、(AF、T5、177、03019)、(AF、T5、178、03009)、(AF、T6、179、03029)、(AF、T6、180、03019)、(AF、T6、181、03009)、(AG、-、1、-)、(AG、-、2、-)、(AG、-、3、-)、(AG、-、4、-)、(AG、-、5、-)、(AG、-、6、-)、(AG、-、7、-)、(AG、-、8、-)、(AG、-、9、-)、(AG、-、10、-)、(AG、-、11、-)、(AG、-、12、-)、(AG、-、13、-)、(AG、-、14、-)、(AG、-、15、-)、(AG、-、16、-)、(AG、-、17、-)、(AG、-、18、-)、(AG、-、19、-)、(AG、-、20、-)、(AG、-、21、-)、(AG、-、22、-)、(AG、-、23、-)、(AG、-、24、-)、(AG、-、25、-)、(AG、-、26、-)、(AG、-、27、-)、(AG、-、28、-)、(AG、01、29、5001)、(AG、01、30、5002)、(AG、01、31、5003)、(AG、01、32、5004)、(AG、1S、33、03024)、(AG、1S、34、03025)、(AG、1S、35、03028)、(AG、1S、36、03012)、(AG、1S、37、03018)、(AG、1S、38、03016)、(AG、1S、39、03027)、(AG、1S、40、03031)、(AG、1T、41、03024)、(AG、1T、42、03025)、(AG、1T、43、03028)、(AG、1T、44、03012)、(AG、1T、45、03018)、(AG、1T、46、03016)、(AG、1T、47、03027)、(AG、1T、48、03031)、(AG、2L、49、03024)、(AG、2L、50、03025)、(AG、2L、51、03028)、(AG、2L、52、03012)、(AG、2L、53、03018)、(AG、2L、54、03016)、(AG、2L、55、03027)、(AG、2L、56、03031)、(AG、2M、57、03024)、(AG、2M、58、03025)、(AG、2M、59、03028)、(AG、2M、60、03012)、(AG、2M、61、03018)、(AG、2M、62、03016)、(AG、2M、63、03027)、(AG、2M、64、03031)、(AG、2Q、65、03024)、(AG、2Q、66、03025)、(AG、2Q、67、03028)、(AG、2Q、68、03012)、(AG、2Q、69、03018)、(AG、2Q、70、03016)、(AG、2Q、71、03027)、(AG、2Q、72、03031)、(AG、BA、73、03029)、(AG、BA、74、03019)、(AG、BA、75、03009)、(AG、CE、76、03029)、(AG、CE、77、03019)、(AG、CE、78、03009)、(AG、CU、79、03029)、(AG、CU、80、03019)、(AG、CU、81、03009)、(AG、CW、82、03029)、(AG、CW、83、03019)、(AG、CW、84、03009)、(AG、E5、85、03029)、(AG、E5、86、03019)、(AG、E5、87、03009)、(AG、E7、88、03029)、(AG、E7、89、03019)、(AG、E7、90、03009)、(AG、F4、91、03029)、(AG、F4、92、03019)、(AG、F4、93、03009)、(AG、F5、94、03029)、(AG、F5、95、03019)、(AG、F5、96、03009)、(AG、F6、97、03029)、(AG、F6、98、03019)、(AG、F6、99、03009)、(AG、F7、100、03029)、(AG、F7、101、03019)、(AG、F7、102、03009)、(AG、F9、103、03029)、(AG、F9、104、03019)、(AG、F9、105、03009)、(AG、FA、106、03029)、(AG、FA、107、03019)、(AG、FA、108、03009)、(AG、FK、109、03029)、(AG、FK、110、03019)、(AG、FK、111、03009)、(AG、FL、112、03029)、(AG、FL、113、03019)、(AG、FL、114、03009)、(AG、G1、115、03029)、(AG、G1、116、03019)、(AG、G1、117、03009)、(AG、H4、118、03029)、(AG、H4、119、03019)、(AG、H4、120、03009)、(AG、H5、121、03029)、(AG、H5、122、03019)、(AG、H5、123、03009)、(AG、HF、124、03029)、(AG、HF、125、03019)、(AG、HF、126、03009)、(AG、HH、127、03029)、(AG、HH、128、03019)、(AG、HH、129、03009)、(AG、P0、130、02259)、(AG、P0、131、02207)、(AG、QC、132、02075)、(AG、QG、133、02285)、(AG、QG、134、02110)、(AG、QI、135、02278)、(AG、QO、136、02225)、(AG、QO、137、02278)、(AG、R0、138、02140)、(AG、R0、139、02060)、(AG、R0、140、02056)、(AG、R2、141、02285)、(AG、R2、142、02113)、(AG、R2、143、02290)、(AG、R2、144、02118)、(AG、R5、145、02270)、(AG、R5、146、02049)、(AG、R5、147、02110)、(AG、R5、148、02222)、(AG、R6、149、02218)���(AG、R6、150、02210)、(AG、R6、151、02270)、(AG、R6、152、02049)、(AG、R6、153、02110)、(AG、R6、154、02222)、(AG、RB、155、02130)、(AG、RB、156、02165)、(AG、RB、157、02067)、(AG、RB、158、02039)、(AG、RD、159、02130)、(AG、RD、160、02165)、(AG、RD、161、02067)、(AG、RD、162、02039)、(AG、S1、163、02278)、(AG、S1、164、02274)、(AG、S7、165、02273)、(AG、S7、166、02169)、(AG、S9、167、02278)、(AG、S9、168、02103)、(AG、S9、169、02010)、(AG、S9、170、02013)、(AG、S9、171、02017)、(AG、S9、172、02020)、(AG、SF、173、02278)、(AG、T5、174、03029)、(AG、T5、175、03019)、(AG、T5、176、03009)、(AG、T6、177、03029)、(AG、T6、178、03019)、(AG、T6、179、03009)、(AG、T7、180、03029)、(AG、T7、181、03019)、(AG、T7、182、03009)、(AH、-、1、-)、(AH、-、2、-)、(AH、-、3、-)、(AH、-、4、-)、(AH、-、5、-)、(AH、-、6、-)、(AH、-、7、-)、(AH、-、8、-)、(AH、-、9、-)、(AH、-、10、-)、(AH、-、11、-)、(AH、-、12、-)、(AH、-、13、-)、(AH、-、14、-)、(AH、-、15、-)、(AH、-、16、-)、(AH、-、17、-)、(AH、-、18、-)、(AH、-、19、-)、(AH、-、20、-)、(AH、-、21、-)、(AH、-、22、-)、(AH、-、23、-)、(AH、-、24、-)、(AH、-、25、-)、(AH、-、26、-)、(AH、-、27、-)、(AH、-、28、-)、(AH、-、29、-)、(AH、-、30、-)、(AH、-、31、-)、(AH、-、32、-)、(AH、-、33、-)、(AH、-、34、-)、(AH、-、35、-)、(AH、-、36、-)、(AH、-、37、-)、(AH、-、38、-)、(AH、-、39、-)、(AH、-、40、-)、(AH、-、41、-)、(AH、-、42、-)、(AH、01、43、5001)、(AH、01、44、5002)、(AH、01、45、5003)、(AH、01、46、5004)、(AH、2I、47、03024)、(AH、2I、48、03025)、(AH、2I、49、03028)、(AH、2I、50、03012)、(AH、2I、51、03018)、(AH、2I、52、03016)、(AH、2I、53、03027)、(AH、2I、54、03031)、(AH、2L、55、03024)、(AH、2L、56、03025)、(AH、2L、57、03028)、(AH、2L、58、03012)、(AH、2L、59、03018)、(AH、2L、60、03016)、(AH、2L、61、03027)、(AH、2L、62、03031)、(AH、2M、63、03024)、(AH、2M、64、03025)、(AH、2M、65、03028)、(AH、2M、66、03012)、(AH、2M、67、03018)、(AH、2M、68、03016)、(AH、2M、69、03027)、(AH、2M、70、03031)、(AH、2Q、71、03024)、(AH、2Q、72、03025)、(AH、2Q、73、03028)、(AH、2Q、74、03012)、(AH、2Q、75、03018)、(AH、2Q、76、03016)、(AH、2Q、77、03027)、(AH、2Q、78、03031)、(AH、CE、79、03029)、(AH、CE、80、03019)、(AH、CE、81、03009)、(AH、CM、82、03029)、(AH、CM、83、03019)、(AH、CM、84、03009)、(AH、CU、85、03029)、(AH、CU、86、03019)、(AH、CU、87、03009)、(AH、CW、88、03029)、(AH、CW、89、03019)、(AH、CW、90、03009)、(AH、E5、91、03029)、(AH、E5、92、03019)、(AH、E5、93、03009)、(AH、E7、94、03029)、(AH、E7、95、03019)、(AH、E7、96、03009)、(AH、EX、97、03029)、(AH、EX、98、03019)、(AH、EX、99、03009)、(AH、EY、100、03029)、(AH、EY、101、03019)、(AH、EY、102、03009)、(AH、F0、103、03029)、(AH、F0、104、03019)、(AH、F0、105、03009)、(AH、F1、106、03029)、(AH、F1、107、03019)、(AH、F1、108、03009)、(AH、F4、109、03029)、(AH、F4、110、03019)、(AH、F4、111、03009)、(AH、F6、112、03029)、(AH、F6、113、03019)、(AH、F6、114、03009)、(AH、F9、115、03029)、(AH、F9、116、03019)、(AH、F9、117、03009)、(AH、FO、118、03029)、(AH、FO、119、03019)、(AH、FO、120、03009)、(AH、FP、121、03029)、(AH、FP、122、03019)、(AH、FP、123、03009)、(AH、FQ、124、03029)、(AH、FQ、125、03019)、(AH、FQ、126、03009)、(AH、HF、127、03029)、(AH、HF、128、03019)、(AH、HF、129、03009)、(AH、HH、130、03029)、(AH、HH、131、03019)、(AH、HH、132、03009)、(AH、P0、133、02146)、(AH、P0、134、02259)、(AH、P0、135、02207)、(AH、P0、136、02183)、(AH、P
0、137、02052)、(AH、Q2、138、02149)、(AH、Q2、139、02130)、(AH、Q2、140、03039)、(AH、Q2、141、02165)、(AH、Q2、142、02187)、(AH、Q2、143、02037)、(AH、Q2、144、02276)、(AH、Q2、145、02041)、(AH、QB、146、02081)、(AH、QB、147、02075)、(AH、R0、148、02140)、(AH、R0、149、02060)、(AH、R0、150、02056)、(AH、RS、151、02218)、(AH、RS、152、02210)、(AH、RS、153、02270)、(AH、RS、154、02049)、(AH、RS、155、02136)、(AH、RS、156、02188)、(AH、RS、157、02232)、(AH、RS、158、02222)、(AH、RS、159、02116)、(AH、RS、160、03038)、(AH、RS、161、02113)、(AH、RS、162、02150)、(AH、RS、163、02152)、(AH、S1、164、02278)、(AH、S7、165、02273)、(AH、S7、166、02169)、(AH、S7、167、02198)、(AH、SG、168、02130)、(AH、SG、169、02165)、(AH、SG、170、02070)、(AH、SG、171、02039)、(AH、SG、172、02285)、(AH、TQ、173、03029)、(AH、TQ、174、03019)、(AH、TQ、175、03009)、(AH、TR、176、03029)、(AH、TR、177、03019)、(AH、TR、178、03009)、(AH、TS、179、02225)、(AH、TS、180、02278)、(AH、TS、181、02103)、(AH、TS、182、02061)、(AI、-、1、-)、(AI、-、2、-)、(AI、-、3、-)、(AI、-、4、-)、(AI、-、5、-)、(AI、-、6、-)、(AI、-、7、-)、(AI、-、8、-)、(AI、-、9、-)、(AI、-、10、-)、(AI、-、11、-)、(AI、-、12、-)、(AI、-、13、-)、(AI、-、14、-)、(AI、-、15、-)、(AI、-、16、-)、(AI、-、17、-)、(AI、-、18、-)、(AI、-、19、-)、(AI、-、20、-)、(AI、-、21、-)、(AI、-、22、-)、(AI、-、23、-)、(AI、-、24、-)、(AI、-、25、-)、(AI、-、26、-)、(AI、-、27、-)、(AI、01、28、5001)、(AI、01、29、5002)、(AI、01、30、5003)、(AI、01、31、5004)、(AI、1T、32、03024)、(AI、1T、33、03025)、(AI、1T、34、03028)、(AI、1T、35、03012)、(AI、1T、36、03018)、(AI、1T、37、03016)、(AI、1T、38、03027)、(AI、1T、39、03031)、(AI、2L、40、03024)、(AI、2L、41、03025)、(AI、2L、42、03028)、(AI、2L、43、03012)、(AI、2L、44、03018)、(AI、2L、45、03016)、(AI、2L、46、03027)、(AI、2L、47、03031)、(AI、2M、48、03024)、(AI、2M、49、03025)、(AI、2M、50、03028)、(AI、2M、51、03012)、(AI、2M、52、03018)、(AI、2M、53、03016)、(AI、2M、54、03027)、(AI、2M、55、03031)、(AI、2Q、56、03024)、(AI、2Q、57、03025)、(AI、2Q、58、03028)、(AI、2Q、59、03012)、(AI、2Q、60、03018)、(AI、2Q、61、03016)、(AI、2Q、62、03027)、(AI、2Q、63、03031)、(AI、BA、64、03029)、(AI、BA、65、03019)、(AI、BA、66、03009)、(AI、CF、67、03029)、(AI、CF、68、03019)、(AI、CF、69、03009)、(AI、CU、70、03029)、(AI、CU、71、03019)、(AI、CU、72、03009)、(AI、CW、73、03029)、(AI、CW、74、03019)、(AI、CW、75、03009)、(AI、DG、76、03029)、(AI、DG、77、03019)、(AI、DG、78、03009)、(AI、DH、79、03029)、(AI、DH、80、03019)、(AI、DH、81、03009)、(AI、DM、82、03029)、(AI、DM、83、03019)、(AI、DM、84、03009)、(AI、E5、85、03029)、(AI、E5、86、03019)、(AI、E5、87、03009)、(AI、E7、88、03029)、(AI、E7、89、03019)、(AI、E7、90、03009)、(AI、EX、91、03029)、(AI、EX、92、03019)、(AI、EX、93、03009)、(AI、EY、94、03029)、(AI、EY、95、03019)、(AI、EY、96、03009)、(AI、F4、97、03029)、(AI、F4、98、03019)、(AI、F4、99、03009)、(AI、F6、100、03029)、(AI、F6、101、03019)、(AI、F6、102、03009)、(AI、F9、103、03029)、(AI、F9、104、03019)、(AI、F9、105、03009)、(AI、G8、106、03029)、(AI、G8、107、03019)、(AI、G8、108、03009)、(AI、GA、109、03029)、(AI、GA、110、03019)、(AI、GA、111、03009)、(AI、HF、112、03029)、(AI、HF、113、03019)、(AI、HF、114、03009)、(AI、HH、115、03029)、(AI、HH、116、03019)、(AI、HH、117、03009)、(AI、P0、118、02146)、(AI、P0、119、02259)、(AI、P0、120、02207)、(AI、P0、121、02183)、(AI、P0、122、02052)、(AI、QB、123、02081)、(AI、QB、124、02296)、(AI、QO、125、02225)、(AI、QO、126、02278)、(AI、QO、127、02103)、(AI、QO、128、02061)、(AI、R0、129、02140)、(AI、R0、130、02060)、(AI、R0、131、02056)、(AI、R6、132、02218)、(AI、R6、133、02210)、(AI、R6、134、02270)、(AI、R6、135、02049)、(AI、R6、136、02136)、(AI、R6、137、02188)、(AI、R6、138、02110)、(AI、R6、139、02222)、(AI、R6、140、02232)、(AI、RQ、141、02130)、(AI、RQ、142、02165)、(AI、RQ、143、02067)、(AI、RQ、144、02039)、(AI、RR、145、02130)、(AI、RR、146、02165)、(AI、RR、147、02187)、(AI、S1、148、02278)、(AI、S7、149、02273)、(AI、S7、150、02169)、(AI、S7、151、02198)、(AI、S9、152、02225)、(AI、S9、153、02278)、(AI、S9、154、02103)、(AI、S9、155、02010)、(AI、S9、156、02013)、(AI、S9、157、02017)、(AI、S9、158、02020)、(AI、T0、159、03029)、(AI、T0、160、03019)、(AI、T0、161、03009)、(AI、T1、162、03029)、(AI、T1、163、03019)、(AI、T1、164、03009)、(AI、T2、165、03029)、(AI、T2、166、03019)、(AI、T2、167、03009)、(AI、T4、168、03029)、(AI、T4、169、03019)、(AI、T4、170、03009)、(AI、T5、171、03029)、(AI、T5、172、03019)、(AI、T5、173、03009)、(AI、T6、174、03029)、(AI、T6、175、03019)、(AI、T6、176、03009)、(AI、T7、177、03029)、(AI、T7、178、03019)、(AI、T7、179、03009)、(AI、T8、180、03029)、(AI、T8、181、03019)、(AI、T8、182、03009)、(AJ、-、1、-)、(AJ、-、2、-)、(AJ、-、3、-)、(AJ、-、4、-)、(AJ、-、5、-)、(AJ、-、6、-)、(AJ、-、7、-)、(AJ、-、8、-)、(AJ、-、9、-)、(AJ、-、10、-)、(AJ、-、11、-)、(AJ、-、12、-)、(AJ、-、13、-)、(AJ、-、14、-)、(AJ、-、15、-)、(AJ、-、16、-)、(AJ、-、17、-)、(AJ、-、18、-)、(AJ、-、19、-)、(AJ、-、20、-)、(AJ、-、21、-)、(AJ、-、22、-)、(AJ、-、23、-)、(AJ、-、24、-)、(AJ、-、25、-)、(AJ、-、26、-)、(AJ、-、27、-)、(AJ、01、28、5001)、(AJ、01、29、5002)、(AJ、01、30、5003)、(AJ、01、31、5004)、(AJ、1T、32、03024)、(AJ、1T、33、03025)、(AJ、1T、34、03028)、(AJ、1T、35、03012)、(AJ、1T、36、03018)、(AJ、1T、37、03016)、(AJ、1T、38、03027)、(AJ、1T、39、03031)、(AJ、2L、40、03024)、(AJ、2L、41、03025)、(AJ、2L、42、03028)、(AJ、2L、43、03012)、(AJ、2L、44、03018)、(AJ、2L、45、03016)、(AJ、2L、46、03027)、(AJ、2L、47、03031)、(AJ、2M、48、03024)、(AJ、2M、49、03025)、(AJ、2M、50、03028)、(AJ、2M、51、03012)、(AJ、2M、52、03018)、(AJ、2M、53、03016)、(AJ、2M、54、03027)、(AJ、2M、55、03031)、(AJ、2Q、56、03024)、(AJ、2Q、57、03025)、(AJ、2Q、58、03028)、(AJ、2Q、59、03012)、(AJ、2Q、60、03018)、(AJ、2Q、61、03016)、(AJ、2Q、62、03027)、(AJ、2Q、63、03031)、(AJ、BA、64、03029)、(AJ、BA、65、03019)、(AJ、BA、66、03009)、(AJ、CF、67、03029)、(AJ、CF、68、03019)、(AJ、CF、69、03009)、(AJ、CU、70、03029)、(AJ、CU、71、03019)、(AJ、CU、72、03009)、(AJ、CW、73、03029)、(AJ、CW、74、03019)、(AJ、CW、75、03009)、(AJ、D6、76、03029)、(AJ、D6、77、03019)、(AJ、D6、78、03009)、(AJ、D7、79、03029)、(AJ、D7、80、03019)、(AJ、D7、81、03009)、(AJ、DG、82、03029)、(AJ、DG、83、03019)、(AJ、DG、84、03009)、(AJ、DH、85、03029)、(AJ、DH、86、03019)、(AJ、DH、87、03009)、(AJ、DM、88、03029)、(AJ、DM、89、03019)、(AJ、DM、90、03009)、(AJ、E5、91、03029)、(AJ、E5、92、03019)、(AJ、E5、93、03009)、(AJ、E7、94、03029)、(AJ、E7、95、03019)、(AJ、E7、96、03009)、(AJ、F4、97、03029)、(AJ、F4、98、03019)、(AJ、F4、99、03009)、(AJ、F6、100、03029)、(AJ、F6、101、03019)、(AJ、F6、102、03009)、(AJ、F9、103、03029)、(AJ、F9、104、03019)、(AJ、F9、105、03009)、(AJ、G8、106、03029)、(AJ、G8、107、03019)、(AJ、G8、108、03009)、(AJ、GA、109、03029)、(AJ、GA、110、03019)、(AJ、GA、111、03009)、(AJ、HF、112、03029)、(AJ、HF、113、03019)、(AJ、HF、114、03009)、(AJ、HH、115、03029)、(AJ、HH、116、03019)、(AJ、HH、117、03009)、(AJ、P0、118、02146)、(AJ、P0、119、02259)、(AJ、P0、120、02207)、(AJ、P0、121、02183)、(AJ、P0、122、02052)、(AJ、QB、123、02081)、(AJ、QB、124、02075)、(AJ、QO、125、02225)、(AJ、QO、126、02278)、(AJ、QO、127、02103)、(AJ、QO、128、02061)、(AJ、R0、129、02140)、(AJ、R0、130、02060)、(AJ、R0、131、02056)、(AJ、R6、132、02218)、(AJ、R6、133、02210)、(AJ、R6、134、02270)、(AJ、R6、135、02049)、(AJ、R6、136、02136)、(AJ、R6、137、02188)、(AJ、R6、138、02110)、(AJ、R6、139、02222)、(AJ、R6、140、02232)、(AJ、RQ、141、02130)、(AJ、RQ、142、02165)、(AJ、RQ、143、02067)、(AJ、RQ、144、02039)、(AJ、RR、145、02130)、(AJ、RR、146、02165)、(AJ、RR、147、02187)、(AJ、S1、148、02278)、(AJ、S7、149、02273)、(AJ、S7、150、02169)、(AJ、S7、151、02198)、(AJ、S9、152、02225)、(AJ、S9、153、02278)、(AJ、S9、154、02103)、(AJ、S9、155、02010)、(AJ、S9、156、02013)、(AJ、S9、157、02017)、(AJ、S9、158、02020)、(AJ、T0、159、03029)、(AJ、T0、160、03019)、(AJ、T0、161、03009)、(AJ、T1、162、03029)、(AJ、T1、163、03019)、(AJ、T1、164、03009)、(AJ、T2、165、03029)、(AJ、T2、166、03019)、(AJ、T2、167、03009)、(AJ、T4、168、03029)、(AJ、T4、169、03019)、(AJ、T4、170、03009)、(AJ、TB、171、03029)、(AJ、TB、172、03019)、(AJ、TB、173、03009)、(AJ、TC、174、03029)、(AJ、TC、175、03019)、(AJ、TC、176、03009)、(AJ、TD、177、03029)、(AJ、TD、178、03019)、(AJ、TD、179、03009)、(AJ、TE、180、03029)、(AJ、TE、181、03019)、(AJ、TE、182、03009)、(AK、-、1、-)、(AK、-、2、-)、(AK、-、3、-)、(AK、-、4、-)、(AK、-、5、-)、(AK、-、6、-)、(AK、-、7、-)、(AK、-、8、-)、(AK、-、9、-)、(AK、-、10、-)、(AK、-、11、-)、(AK、-、12、-)、(AK、-、13、-)、(AK、-、14、-)、(AK、-、15、-)、(AK、-、16、-)、(AK、-、17、-)、(AK、-、18、-)、(AK、-、19、-)、(AK、-、20、-)、(AK、-、21、-)、(AK、-、22、-)、(AK、-、23、-)、(AK、-、24、-)、(AK、01、25、5001)、(AK、01、26、5002)、(AK、01、27、5003)、(AK、01、28、5004)、(AK、1T、29、03024)、(AK、1T、30、03025)、(AK、1T、31、03028)、(AK、1T、32、03012)、(AK、1T、33、03018)、(AK、1T、34、03016)、(AK、1T、35、03027)、(AK、1T、36、03031)、(AK、2L、37、03024)、(AK、2L、38、03025)、(AK、2L、39、03028)、(AK、2L、40、03012)、(AK、2L、41、03018)、(AK、2L、42、03016)、(AK、2L、43、03027)、(AK、2L、44、03031)、(AK、2M、45、03024)、(AK、2M、46、03025)、(AK、2M、47、03028)、(AK、2M、48、03012)、(AK、2M、49、03018)、(AK、2M、50、03016)、(AK、2M、51、03027)、(AK、2M、52、03031)、(AK、2Q、53、03024)、(AK、2Q、54、03025)、(AK、2Q、55、03028)、(AK、2Q、56、03012)、(AK、2Q、57、03018)、(AK、2Q、58、03016)、(AK、2Q、59、03027)、(AK、2Q、60、03031)、(AK、BA、61、03029)、(AK、BA、62、03019)、(AK、BA、63、03009)、(AK、CF、64、03029)、(AK、CF、65、03019)、(AK、CF、66、03009)、(AK、CU、67、03029)、(AK、CU、68、03019)、(AK、CU、69、03009)、(AK、CW、70、03029)、(AK、CW、71、03019)、(AK、CW、72、03009)、(AK、DG、73、03029)、(AK、DG、74、03019)、(AK、DG、75、03009)、(AK、DH、76、03029)、(AK、DH、77、03019)、(AK、DH、78、03009)、(AK、DM、79、03029)、(AK、DM、80、03019)、(AK、DM、81、03009)、(AK、E5、82、03029)、(AK、E5、83、03019)、(AK、E5、84、03009)、(AK、E7、85、03029)、(AK、E7、86、03019)、(AK、E7、87、03009)、(AK、F4、88、03029)、(AK、F
4、89、03019)、(AK、F4、90、03009)、(AK、F6、91、03029)、(AK、F6、92、03019)、(AK、F6、93、03009)、(AK、F9、94、03029)、(AK、F9、95、03019)、(AK、F9、96、03009)、(AK、G8、97、03029)、(AK、G8、98、03019)、(AK、G8、99、03009)、(AK、GA、100、03029)、(AK、GA、101、03019)、(AK、GA、102、03009)、(AK、HF、103、03029)、(AK、HF、104、03019)、(AK、HF、105、03009)、(AK、HH、106、03029)、(AK、HH、107、03019)、(AK、HH、108、03009)、(AK、P0、109、02146)、(AK、P0、110、02259)、(AK、P0、111、02207)、(AK、P0、112、02183)、(AK、P0、113、02052)、(AK、QB、114、02081)、(AK、QB、115、02075)、(AK、QO、116、02225)、(AK、QO、117、02278)、(AK、QO、118、02103)、(AK、QO、119、02061)、(AK、R0、120、02140)、(AK、R0、121、02060)、(AK、R0、122、02056)、(AK、R6、123、02218)、(AK、R6、124、02210)、(AK、R6、125、02270)、(AK、R6、126、02049)、(AK、R6、127、02136)、(AK、R6、128、02188)、(AK、R6、129、02110)、(AK、R6、130、02222)、(AK、R6、131、02232)、(AK、RQ、132、02130)、(AK、RQ、133、02165)、(AK、RQ、134、02067)、(AK、RQ、135、02039)、(AK、RR、136、02130)、(AK、RR、137、02165)、(AK、RR、138、02187)、(AK、S1、139、02278)、(AK、S7、140、02273)、(AK、S7、141、02169)、(AK、S7、142、02198)、(AK、S9、143、02225)、(AK、S9、144、02278)、(AK、S9、145、02103)、(AK、S9、146、02010)、(AK、S9、147、02013)、(AK、S9、148、02017)、(AK、S9、149、02020)、(AK、T0、150、03029)、(AK、T0、151、03019)、(AK、T0、152、03009)、(AK、T1、153、03029)、(AK、T1、154、03019)、(AK、T1、155、03009)、(AK、T2、156、03029)、(AK、T2、157、03019)、(AK、T2、158、03009)、(AK、T4、159、03029)、(AK、T4、160、03019)、(AK、T4、161、03009)、(AK、TF、162、03029)、(AK、TF、163、03019)、(AK、TF、164、03009)、(AK、TG、165、03029)、(AK、TG、166、03019)、(AK、TG、167、03009)、(AK、TH、168、03029)、(AK、TH、169、03019)、(AK、TH、170、03009)、(AK、TI、171、03029)、(AK、TI、172、03019)、(AK、TI、173、03009)、(AK、TJ、174、02140)、(AK、TJ、175、03024)、(AK、TJ、176、03025)、(AK、TJ、177、03028)、(AK、TJ、178、03012)、(AK、TJ、179、03018)、(AK、TJ、180、03016)、(AK、TJ、181、03027)、(AK、TJ、182、03031)、(AL、-、1、-)、(AL、-、2、-)、(AL、-、3、-)、(AL、-、4、-)、(AL、-、5、-)、(AL、-、6、-)、(AL、-、7、-)、(AL、-、8、-)、(AL、-、9、-)、(AL、-、10、-)、(AL、-、11、-)、(AL、-、12、-)、(AL、-、13、-)、(AL、-、14、-)、(AL、-、15、-)、(AL、-、16、-)、(AL、-、17、-)、(AL、-、18、-)、(AL、-、19、-)、(AL、-、20、-)、(AL、-、21、-)、(AL、-、22、-)、(AL、-、23、-)、(AL、-、24、-)、(AL、-、25、-)、(AL、-、26、-)、(AL、-、27、-)、(AL、01、28、5001)、(AL、01、29、5002)、(AL、01、30、5003)、(AL、01、31、5004)、(AL、1T、32、03024)、(AL、1T、33、03025)、(AL、1T、34、03028)、(AL、1T、35、03012)、(AL、1T、36、03018)、(AL、1T、37、03016)、(AL、1T、38、03027)、(AL、1T、39、03031)、(AL、2L、40、03024)、(AL、2L、41、03025)、(AL、2L、42、03028)、(AL、2L、43、03012)、(AL、2L、44、03018)、(AL、2L、45、03016)、(AL、2L、46、03027)、(AL、2L、47、03031)、(AL、2M、48、03024)、(AL、2M、49、03025)、(AL、2M、50、03028)、(AL、2M、51、03012)、(AL、2M、52、03018)、(AL、2M、53、03016)、(AL、2M、54、03027)、(AL、2M、55、03031)、(AL、2Q、56、03024)、(AL、2Q、57、03025)、(AL、2Q、58、03028)、(AL、2Q、59、03012)、(AL、2Q、60、03018)、(AL、2Q、61、03016)、(AL、2Q、62、03027)、(AL、2Q、63、03031)、(AL、BA、64、03029)、(AL、BA、65、03019)、(AL、BA、66、03009)、(AL、CF、67、03029)、(AL、CF、68、03019)、(AL、CF、69、03009)、(AL、CU、70、03029)、(AL、CU、71、03019)、(AL、CU、72、03009)、(AL、CW、73、03029)、(AL、CW、74、03019)、(AL、CW、75、03009)、(AL、DG、76、03029)、(AL、DG、77、03019)、(AL、DG、78、03009)、(AL、DH、79、03029)、(AL、DH、80、03019)、(AL、DH、81、03009)、(AL、DM、82、03029)、(AL、DM、83、03019)、(AL、DM、84、03009)、(AL、E5、85、03029)、(AL、E5、86、03019)、(AL、E5、87、03009)、(AL、E7、88、03029)、(AL、E7、89、03019)、(AL、E7、90、03009)、(AL、F4、91、03029)、(AL、F4、92、03019)、(AL、F4、93、03009)、(AL、F6、94、03029)、(AL、F6、95、03019)、(AL、F6、96、03009)、(AL、F9、97、03029)、(AL、F9、98、03019)、(AL、F9、99、03009)、(AL、G8、100、03029)、(AL、G8、101、03019)、(AL、G8、102、03009)、(AL、GA、103、03029)、(AL、GA、104、03019)、(AL、GA、105、03009)、(AL、HF、106、03029)、(AL、HF、107、03019)、(AL、HF、108、03009)、(AL、HH、109、03029)、(AL、HH、110、03019)、(AL、HH、111、03009)、(AL、P0、112、02146)、(AL、P0、113、02259)、(AL、P0、114、02207)、(AL、P0、115、02183)、(AL、P0、116、02052)、(AL、QB、117、02081)、(AL、QB、118、02296)、(AL、QO、119、02225)、(AL、QO、120、02278)、(AL、QO、121、02103)、(AL、QO、122、02061)、(AL、R0、123、02140)、(AL、R0、124、02060)、(AL、R0、125、02056)、(AL、R6、126、02218)、(AL、R6、127、02210)、(AL、R6、128、02270)、(AL、R6、129、02049)、(AL、R6、130、02136)、(AL、R6、131、02188)、(AL、R6、132、02110)、(AL、R6、133、02222)、(AL、R6、134、02232)、(AL、RQ、135、02130)、(AL、RQ、136、02165)、(AL、RQ、137、02067)、(AL、RQ、138、02039)、(AL、RR、139、02130)、(AL、RR、140、02165)、(AL、RR、141、02187)、(AL、S1、142、02278)、(AL、S7、143、02273)、(AL、S7、144、02169)、(AL、S7、145、02198)、(AL、S9、146、02225)、(AL、S9、147、02278)、(AL、S9、148、02103)、(AL、S9、149、02010)、(AL、S9、150、02013)、(AL、S9、151、02017)、(AL、S9、152、02020)、(AL、T0、153、03029)、(AL、T0、154、03019)、(AL、T0、155、03009)、(AL、T1、156、03029)、(AL、T1、157、03019)、(AL、T1、158、03009)、(AL、T2、159、03029)、(AL、T2、160、03019)、(AL、T2、161、03009)、(AL、T4、162、03029)、(AL、T4、163、03019)、(AL、T4、164、03009)、(AL、TU、165、03029)、(AL、TU、166、03019)、(AL、TU、167、03009)、(AL、TV、168、03029)、(AL、TV、169、03019)、(AL、TV、170、03009)、(AL、TW、171、03029)、(AL、TW、172、03019)、(AL、TW、173、03009)、(AL、TX、174、03029)、(AL、TX、175、03019)、(AL、TX、176、03009)、(AL、TY、177、03029)、(AL、TY、178、03019)、(AL、TY、179、03009)、(AL、TZ、180、03029)、(AL、TZ、181、03019)、(AL、TZ、182、03009)、(AM、-、1、-)、(AM、-、2、-)、(AM、-、3、-)、(AM、-、4、-)、(AM、-、5、-)、(AM、-、6、-)、(AM、-、7、-)、(AM、-、8、-)、(AM、-、9、-)、(AM、-、10、-)、(AM、-、11、-)、(AM、-、12、-)、(AM、-、13、-)、(AM、-、14、-)、(AM、-、15、-)、(AM、-、16、-)、(AM、-、17、-)、(AM、-、18、-)、(AM、-、19、-)、(AM、-、20、-)、(AM、-、21、-)、(AM、-、22、-)、(AM、-、23、-)、(AM、-、24、-)、(AM、-、25、-)、(AM、-、26、-)、(AM、-、27、-)、(AM、01、28、5001)、(AM、01、29、5002)、(AM、01、30、5003)、(AM、01、31、5004)、(AM、1T、32、03024)、(AM、1T、33、03025)、(AM、1T、34、03028)、(AM、1T、35、03012)、(AM、1T、36、03018)、(AM、1T、37、03016)、(AM、1T、38、03027)、(AM、1T、39、03031)、(AM、2L、40、03024)、(AM、2L、41、03025)、(AM、2L、42、03028)、(AM、2L、43、03012)、(AM、2L、44、03018)、(AM、2L、45、03016)、(AM、2L、46、03027)、(AM、2L、47、03031)、(AM、2M、48、03024)、(AM、2M、49、03025)、(AM、2M、50、03028)、(AM、2M、51、03012)、(AM、2M、52、03018)、(AM、2M、53、03016)、(AM、2M、54、03027)、(AM、2M、55、03031)、(AM、2Q、56、03024)、(AM、2Q、57、03025)、(AM、2Q、58、03028)、(AM、2Q、59、03012)、(AM、2Q、60、03018)、(AM、2Q、61、03016)、(AM、2Q、62、03027)、(AM、2Q、63、03031)、(AM、BA、64、03029)、(AM、BA、65、03019)、(AM、BA、66、03009)、(AM、CF、67、03029)、(AM、CF、68、03019)、(AM、CF、69、03009)、(AM、CU、70、03029)、(AM、CU、71、03019)、(AM、CU、72、03009)、(AM、CW、73、03029)、(AM、CW、74、03019)、(AM、CW、75、03009)、(AM、DG、76、03029)、(AM、DG、77、03019)、(AM、DG、78、03009)、(AM、DH、79、03029)、(AM、DH、80、03019)、(AM、DH、81、03009)、(AM、DM、82、03029)、(AM、DM、83、03019)、(AM、DM、84、03009)、(AM、E5、85、03029)、(AM、E5、86、03019)、(AM、E5、87、03009)、(AM、E7、88、03029)、(AM、E7、89、03019)、(AM、E7、90、03009)、(AM、E8、91、03029)、(AM、E8、92、03019)、(AM、E8、93、03009)、(AM、EX、94、03029)、(AM、EX、95、03019)、(AM、EX、96、03009)、(AM、EY、97、03029)、(AM、EY、98、03019)、(AM、EY、99、03009)、(AM、F4、100、03029)、(AM、F4、101、03019)、(AM、F4、102、03009)、(AM、F6、103、03029)、(AM、F6、104、03019)、(AM、F6、105、03009)、(AM、F9、106、03029)、(AM、F9、107、03019)、(AM、F9、108、03009)、(AM、G8、109、03029)、(AM、G8、110、03019)、(AM、G8、111、03009)、(AM、HF、112、03029)、(AM、HF、113、03019)、(AM、HF、114、03009)、(AM、HH、115、03029)、(AM、HH、116、03019)、(AM、HH、117、03009)、(AM、P0、118、02146)、(AM、P0、119、02259)、(AM、P0、120、02207)、(AM、P0、121、02183)、(AM、P0、122、02052)、(AM、QB、123、02081)、(AM、QB、124、02296)、(AM、QO、125、02225)、(AM、QO、126、02278)、(AM、QO、127、02103)、(AM、QO、128、02061)、(AM、R0、129、02140)、(AM、R0、130、02060)、(AM、R0、131、02056)、(AM、R6、132、02218)、(AM、R6、133、02210)、(AM、R6、134、02270)、(AM、R6、135、02049)、(AM、R6、136、02136)、(AM、R6、137、02188)、(AM、R6、138、02110)、(AM、R6、139、02222)、(AM、R6、140、02232)、(AM、RQ、141、02130)、(AM、RQ、142、02165)、(AM、RQ、143、02067)、(AM、RQ、144、02039)、(AM、RR、145、02130)、(AM、RR、146、02165)、(AM、RR、147、02187)、(AM、S1、148、02278)、(AM、S7、149、02273)、(AM、S7、150、02169)、(AM、S7、151、02198)、(AM、S9、152、02225)、(AM、S9、153、02278)、(AM、S9、154、02103)、(AM、S9、155、02010)、(AM、S9、156、02013)、(AM、S9、157、02017)、(AM、S9、158、02020)、(AM、T0、159、03029)、(AM、T0、160、03019)、(AM、T0、161、03009)、(AM、T1、162、03029)、(AM、T1、163、03019)、(AM、T1、164、03009)、(AM、T2、165、03029)、(AM、T2、166、03019)、(AM、T2、167、03009)、(AM、T4、168、03029)、(AM、T4、169、03019)、(AM、T4、170、03009)、(AM、T5、171、03029)、(AM、T5、172、03019)、(AM、T5、173、03009)、(AM、T6、174、03029)、(AM、T6、175、03019)、(AM、T6、176、03009)、(AM、T7、177、03029)、(AM、T7、178、03019)、(AM、T7、179、03009)、(AM、T8、180、03029)、(AM、T8、181、03019)、(AM、T8、182、03009)
【図１】
2018147125.tif 000003
【図２】
2018147125.tif 000004
【図３】
2018147125.tif 000005
【図４】
2018147125.tif 000006
【図５】
2018147125.tif 000007
【図６】
2018147125.tif 000008
【図７】
2018147125.tif 000009
【図８】
2018147125.tif 000010